(57)【要約】  無線通信システムにおける特別なＤＣトーン・システム、例えば、ＯＦＤＭシステムについて述べる。ダウンリンクにおいて、無線端末の受信器はＲＦ／ベースバンド変換からＤＣトーンにおいて自己干渉をもたらす。従って基地局は他のダウンリンクトーン上で伝送し続けている間、所定のパターンに従ってダウンリンクＤＣトーン上で伝送しない。無線端末はＤＣトーン伝送の一時停止の時間の間にダウンリンクＤＣトーン上で受信した信号を計測し、自己干渉を推定し、そして他の受信されたダウンリンク ＤＣトーンに補正を適用する修正を用いる。アップリンクＤＣトーンの干渉は割当てられた無線端末送信器のベースバンド／ＲＦ変換自己干渉及び無線リンク雑音の合成物である。Ｎ個のシンボル区間ドウェルの一つのシンボル区間の間、アップリンクＤＣトーンは他のＮ−１個の変調シンボルの所定の関数である特別な変調シンボルに関して予約される。基地局において、その受信器はドウェルに関してアップリンクＤＣトーンによって搬送された一組の変調シンボルを受信し、平均ＤＣ成分を計算し、そして受信されたＮ−１個の変調シンボルを補正する。【選択図】      図４
2009500966.tif 000002
【特許請求の範囲】
【請求項１】
信号が基地局によって通過帯域で伝送される周波数分割多重システムにおいて無線端末を動作させる方法、該方法は下記を備える：
通過帯域の信号を受信すること；
前記受信した通過帯域の信号をベースバンド信号に変換すること、ここでＤＣトーンは前記ベースバンドに存在し、そのＤＣトーンは前記通過帯域の信号における対応トーンに対応し、ベースバンド信号は追加の通過帯域トーンに対応する追加のベースバンド・トーンを含む；及び
ＤＣ雑音の計測値を生成するためにＤＣトーン雑音の計測周期内において前記ＤＣトーン上で信号計測を行うこと
を含む。
【請求項２】
さらに下記を備える請求項１記載の方法、
前記ＤＣ雑音の計測周期の間にデータを前記追加のベースバンド・トーンから復元すること。
【請求項３】
さらに下記を備える請求項２記載の方法、
ＤＣ雑音の計測値を生成するために異なるＤＣトーン雑音の計測周期に対応する複数のＤＣ雑音の計測値をフィルタリングすること。
【請求項４】
請求項３記載の方法、ここにおいて、
前記フィルタリングは加重平均化の演算であり、且つ前記ＤＣ雑音の計測値は加重平均のＤＣ雑音の計測値である。
【請求項５】
さらに下記を備える請求項３記載の方法：
データ周期の間、前記ＤＣトーン上及び追加のベースバンド・トーン上のデータを同時に受信すること；及び
前記ＤＣトーン上で受信されたデータを復元する、ここにおいて、前記ＤＣトーン上で受信されたデータを復元するステップは下記を含む：
前記データ周期の間、ＤＣ雑音の計測値の関数としての前記ＤＣトーン上で受信されたシンボル値を調整すること；及び
前記調整の結果から伝送されるシンボル値を決定すること。
【請求項６】
請求項５記載の方法、ここにおいて、
前記調整することは、前記ＤＣ雑音の計測値を前記ＤＣトーン上の受信されたシンボル値から減算することを含む。
【請求項７】
請求項５記載の方法、ここにおいて、
前記雑音の計測周期の間、前記対応するトーンは伝送される電力を全く運ばない。
【請求項８】
請求項７記載の方法、ここにおいて、
前記データ周期は前記ＤＣトーン雑音の計測周期より少なくとも１０倍長く、少なくとも１０個のシンボルは前記ＤＣトーン上で前記データ周期に復元される。
【請求項９】
請求項８記載の方法、ここにおいて、
システムはＯＦＤＭシステムであり、且つ少なくとも１００個の追加のベースバンド・トーンがある。
【請求項１０】
信号が基地局によって通過帯域で伝送される周波数分割多重システムにおける使用のための無線端末で、該無線端末は下記を備える：
通過帯域の信号を受信するための受信器；
前記受信された通過帯域の信号をベースバンド信号に変換するための通過帯域対ベースバンド信号変換モジュール、ここでＤＣトーンは前記ベースバンドに存在し、そのＤＣトーンは前記通過帯域の信号における対応トーンに対応し、ベースバンド信号は追加の通過帯域トーンに対応する追加のベースバンド・トーンを含む；及び
ＤＣ雑音の計測値を生成するためにＤＣトーン雑音の計測周期内において前記ＤＣトーン上で信号計測を行うための信号計測モジュール。
【請求項１１】
さらに下記を備える請求項１０記載の無線端末、
前記受信された通過帯域の信号から、前記ＤＣ雑音の計測周期内において、前記追加のベースバンド・トーンからデータを復元するためのデータ復元モジュール。
【請求項１２】
さらに下記を備える請求項１１記載の無線端末、
フィルタリングされたＤＣ雑音の計測値を生成するためにＤＣトーン雑音の異なる計測周期に対応する複数のＤＣ雑音の計測値をフィルタリングするためのフィルター・モジュール。
【請求項１３】
請求項１２記載の無線端末、ここにおいて、
前記フィルター・モジュールが加重平均化フィルタであり、そして、
前記フィルタリングされたＤＣ雑音の計測値は、加重平均のＤＣ雑音の計測値である。
【請求項１４】
請求項１２記載の無線端末、ここにおいて、
データ周期の間、前記受信器は前記ＤＣトーン上、及び前記追加のベースバンド・トーン上で同時にデータを受信する；そして
前記データ復元モジュールは前記ＤＣトーン上で伝送されたデータを復元するためのＤＣトーン・データ復元サブモジュールを含み、前記ＤＣトーン・データ復元サブモジュールは下記を含む：
前記データ周期の間、フィルタリングされたＤＣ雑音の計測値の関数として、前記ＤＣトーン上で受信されたシンボル値を調整するための調整モジュール；及び
前記調整の結果から伝送されるシンボル値を決定するためのシンボル決定モジュール。
【請求項１５】
請求項１４記載の無線端末、ここにおいて、
前記調整モジュールは前記フィルタリングされたＤＣ雑音の計測値を前記ＤＣトーン上の前記受信したシンボル値から減算するための減算器を含む。
【請求項１６】
請求項１４記載の無線端末、ここにおいて、
前記雑音の計測周期の間、前記対応トーンは伝送される電力を全く運ばない。
【請求項１７】
請求項１６記載の無線端末、ここにおいて、
前記データ周期は前記ＤＣトーン雑音の計測周期より少なくとも１０倍長く、少なくとも１０個のシンボルは前記ＤＣトーン上で前記データ周期において復元される。
【請求項１８】
請求項１７記載の無線端末、ここにおいて、
システムはＯＦＤＭシステムであり、且つ少なくとも１００個の追加のベースバンド・トーンがある。
【発明の詳細な説明】
【発明の分野】
【０００１】
本発明はＤＣトーンを使用する無線通信デバイスの通信を改善するための方法及び装置に関係する。
【発明の背景】
【０００２】
周波数帯域が一組のトーン、例えば、サブキャリアに細分割された多元接続スペクトラム拡散ＯＦＤＭシステムのような多くの無線通信システムにおいて、無線端末デバイス、例えば、携帯電話（mobiles）はＩＦ段なしで、受信器では受信ＲＦからベースバンドへ、送信器ではベースバンドから直接ＲＦへ直接変換することが望ましい。変換処理の一部として、一般に、いくらかの雑音（例えば、自己干渉）がＤＣトーンに生じる。この雑音（noise）は一般的にデバイスに依存しており、一般に、或るデバイスの受信器または送信器に関する定数であり、そして、例えば、デバイス温度の関数としてゆっくりと変化する。このＤＣトーン雑音は、補償されなければ、信号通信性能を低下させる傾向がある。いくつかの既知のアプリケーションでは、単にＤＣトーンは情報を搬送するのには使用されない；しかしながら、そのような手法は無線リンク資源を浪費する。
【０００３】
携帯受信器（mobile receiver）の自己干渉特性を測定し、且つ補償する既知の一手法はその入力を一時的に切断し、テスト測定を行い、一時停止期間中に集めたデータから補償値を取得し、そして補正としてその補償値を使用する。テスト区間は初期化区間、及び／または動作中の次の区間にある。この手法はテスト区間にダウンリンク・トーンの全集合上の情報を受取り、且つ処理するために携帯電話の能力を停止させるという欠点があり、従ってオーバーヘッドを増大させ、処理能力を低下させる。ダウンリンク・トーンの全集合がダウンリンクＤＣトーンに加えて多くの追加トーンを含む実施例においてこの手法は特に非能率である。テストが携帯電話の初期化に制限されるならば、熱特性による受信器における変化は旨く補償されない。一方、動作中のダウンリンク信号受信の定期的な停止は、（それは）処理能力を制限し、ブロードキャストまたは割当信号を見逃すという結果を生じ、呼出（ページング）の遅延をもたらし、制御ループのシグナリングを中断させ、且つ／または通信セッションにおけるユーザー・データの転送の中断をもたらすので、好ましくない。
【０００４】
アップリンクでは、基地局は一般的に複数の携帯電話からアップリンク信号を受信する。或る時間に、一つの携帯電話はアップリンクＤＣトーンを使用し、そして別の時間には、別の携帯電話がアップリンクＤＣトーンを使用する。各々の携帯電話は一般的に異なる送信器ＤＣトーンの雑音特性を有する。或る携帯電話がいくつかの連続シンボル時間区間に一組のアップリンクトーンを使用することを割当てられるいくつかの実施例では、アップリンクに関する雑音除去の一つの手法は割当てられたトーンの集合の各トーンによって搬送された所定の固定された参照変調信号を含めることである。例えば、携帯電話が７連続シンボル区間を使用する一組のアップリンク・トーンを割当てられる実施例において、第四シンボル区間は割当てられたアップリンク・トーンの各々に関して所定の固定された参照変調信号を搬送するために使用される。基地局は各トーンに関する参照変調シンボルを受信し、期待値との差分を決定し、そして各トーンに関して使用する補償値を決定する。この手法は各々のシステムのアップリンク・トーンに関して比較的大量のオーバーヘッドを含むという欠点があり、それによって著しく能率を低下させる。この手法はまた受信されたＤＣトーンがシステムの他のトーンと異なる雑音特性をもつことを考慮していない。その上、この手法は受信され計測された変調シンボルが無線リンク（airlink）の干渉の変動の結果として一つのシンボル区間から次の区間へ著しく変化するということを考慮していない。無線リンクの干渉が参照変調シンボルを搬送するために使用される一つの区間内の平均の無線リンクの干渉から偶然に外れるならば、一組の連続シンボル時間区間に関してトーン当たり一つの受信された参照シンボルを使用することは質の悪い補償値を提供する。その上、参照変調シンボルの情報、例えば、使用される伝送電力レベルは無線端末によって緊密に制御され、且つ受信している基地局に既知である必要がある。
【０００５】
前述の議論を考慮して、ＤＣトーン雑音を計測し、且つ補償する手段を提供する改良された方法及び装置の必要がある。他の「トーン」（非ＤＣトーン ）上のシグナリングと干渉しない特別のＤＣトーンの処理を含む方法及び装置は有益であろう。ＤＣトーンの雑音特性の補償を達成するために使用されるオーバーヘッドの量を制限する改良された方法及び装置はまた有益であろう。携帯電話の動作中にＤＣトーン特性の計測を行い、従って通信セッションの処理及び／または制御動作を著しく中断させることなく熱変動の調整を行う方法及び装置がまた有益であろう。別の携帯電話へのアップリンクＤＣトーンの割当における変動、もたらされた無線リンクの雑音、及び一つのシンボル時間から次のシンボル時間への無線リンクの雑音の変動を考慮するために適応されるアップリンクＤＣトーン雑音を計測し、且つ補償する方法及び装置は有用である。
【発明の概要】
【０００６】
本発明はＤＣトーンを使用する無線通信デバイスの通信を改善するための方法及び装置に関する。
【０００７】
本発明のいくつかの実施例及び特徴は無線端末の方法及び装置に関する。本発明の特徴及び実施例は係属中の請求項の主題を含む。本発明の他の特徴、実施例及び利益はまた本アプリケーションにおいて述べられる。
【０００８】
本発明のいくつかの実施例は信号が基地局によって通過帯域（passband）中で伝送される周波数分割多重システムにおける無線端末を動作させる方法に関する。一つの典型的な方法は通過帯域の信号を受信し、そして受信した通過帯域の信号をベースバンド信号に変換することを含む。ＤＣトーンはベースバンド中に存在し、ベースバンド信号は追加の通過帯域トーンに対応する追加のベースバンド・トーンを含む。信号処理の一部として、無線端末はＤＣ雑音の計測値を生成するためにＤＣトーンの雑音計測区間内においてＤＣトーン上の信号計測を行う。
【０００９】
その方法はさらに雑音計測区間内において受信された追加のベースバンド・トーンから前記ＤＣ雑音の計測区間内においてデータを復元することを含む。データ伝送期間内において、無線端末はＤＣトーン及び追加のベースバンド・トーン上のデータを同時に受信する。そのような場合には、無線端末はデータ伝送期間内においてＤＣトーン上で受信されたデータを復元する。前記ＤＣトーン上で伝送されたデータを復元するステップは、データ伝送期間内において、ＤＣ雑音の計測値の関数としてＤＣトーン上で受信されたシンボル値を調整すること、及び前記調整の結果から伝送されたシンボル値を決定するといった動作を含む。
【００１０】
雑音計測期間及びデータ伝送期間はダウンリンク伝送スケジュールに従って長時間にわたって繰返す期間を持つ所定のダウンリンク伝送スケジュールに従って発生する。従って、ダウンリンク伝送スケジュールに基づいて、無線端末はＤＣトーン雑音の計測がどちらのシンボル伝送時間期間において実行されるべきか、そしてデータがどちらのシンボル伝送時間期間においてＤＣトーンから復元されるべきであるかを決定する。ＤＣ雑音計測期間に対応するシンボル伝送時間期間の数は情報がＤＣーンから復元されるシンボル伝送時間期間の数より通常かなり少なく、例えば、１／１０以下である。
【００１１】
本発明に従って実施される必ずしも全てではないが、いくつかのシステムで使用される様々な典型的な実施例及び特徴は簡潔にここで論じられる。
【００１２】
ダウンリンクにおいて、いくつかの実施例では、無線端末の受信器はＲＦの一部としてのＤＣトーンにおいて、自己干渉をベースバンド変換処理に対してもたらす。ＲＦは時として通過帯域と云われる。もたらされる自己干渉は一般的にデバイスに依存し、一般に一定値であり、そして例えば、温度の関数としてゆっくりと変化する。本発明の一つの特徴に従って、基地局は例えば、基地局及び無線端末にとって既知の所定のダウンリンクのタイミング系列の後、例えば、１または２シンボル分の期間のような短い時間区間にはダウンリンクＤＣトーン上でしばしばとは伝送しない。しかしながら、ＤＣトーンを使用する伝送が停止されると、ダウンリンクのシグナリングは他のダウンリンク・トーン上で継続する。この手法は受信器のテスト計測を行うためにシグナリングの受信が無線端末によって全てのトーン上で一時的に停止される既知のあまり効率的でない手法と対照的である。本発明に従って、無線端末はＤＣトーン信号の伝送停止の時間の間にダウンリンクＤＣトーン上の受信された信号を計測する。該受信された信号は受信器の自己干渉及び他の干渉、例えば、時間がたてば相殺される無線リンクのランダムな雑音（random noise）の総和によって特徴付けられる。時間の経過に伴い、ＤＣトーンに関して無線端末の受信器に特有の自己干渉の推定値が取得される。無線端末の受信器の自己干渉レベルの強度によって、ダウンリンクＤＣトーンの補正値を取得するために一回の計測が使用されるか、或いはダウンリンクＤＣトーンの補正値を取得するためにフィルタにおいて多数回の計測が使用される。ダウンリンクのＤＣトーンの補正値を受信された他のダウンリンクＤＣトーン（例えば、ＤＣトーンが信号伝送のために使用される他のシンボルの時間区間において受信されたダウンリンクＤＣトーン）、例えば、ダウンリンクＤＣトーンを使用してデータ／情報、及び／または参照シンボルを搬送する受信された変調シンボルに無線端末は適用する。無線端末の受信器の自己干渉レベルの強度、予想される付加的でランダムな雑音のレベル、ランダムな雑音の予想される周期性に応じて、所与のシステムのダウンリンクＤＣトーンの信号の一時停止の頻度がそれに従って設定される。
【００１３】
アップリンクにおいて、いくつかの実施例では、アップリンクＤＣトーンに関して使用される状況及び手法はまさに述べたダウンリンクの場合と異なる。いくつかの実施例では、無線端末はベースバンド信号をＲＦに変換し、そして信号を基地局に伝送する。ベースバンド信号がＤＣトーンを含むならば、ベースバンドのＲＦ変換はその信号に特徴的なＤＣトーンの自己干渉による無線端末の送信器雑音をもたらす。無線送信器の変換ＤＣトーンの雑音の特性は無線端末の受信器ＤＣトーンの雑音の特性に性質が類似し、デバイスに依存し、比較的一定であり、そして温度依存性を有する。アップリンクにおいて、無線端末は一般的にドウェル（dwell）、一定数の連続するシンボル時間区間に使用するために一組のトーンを割当てられる。一つのドウェルから次のドウェルまで、別の無線端末は、送信器のアップリンクＤＣトーンの雑音の別の特性を、アップリンクＤＣトーンを使用するために割当てられる。その上、無線端末のアップリンク信号は無線で伝送され、それにより伝送された信号が無線リンクの干渉からの追加の劣化にさらされる。本発明の特徴に従って、本発明による基地局の受信器は各ドウェルに関して受信したアップリンクＤＣトーンの干渉を独立に推定する。本発明の一つの特徴に従って、ドウェルのためにアップリンクＤＣトーンを使用するために割当てられた無線端末は一のドウェルのＮ−１個のシンボル区間にわたり、ＤＣトーン上で符号データ／情報、及び／または参照変調シンボルを搬送する。そして様々な実施例において、該ドウェルは全体でＮ個のシンボル区間を含む。
【００１４】
しかしながら、いくつかの実施例において、該ドウェルはＮ個のシンボル区間に加えて、追加のシンボル、例えば、トレーニング・シンボル区間を含む。いくつかのそのような実施例において、Ｎ個のシンボルの集合中のＮ−１シンボルが符号化データ、及び／または情報を通信するために使用されるようにＮ個のシンボル区間が本発明に従って使用される。
【００１５】
必ずしも全てではないが、いくつかの実装において、該ドウェルの１シンボル区間の間に、アップリンクＤＣトーンは特別な変調シンボルのために予約され、そして搬送するために使用され、それは他のＮ−１変調シンボルの関数である。基地局と無線端末の両方にとって既知の所定の関数に従って、特別な変調シンボルがドウェルのためにアップリンクＤＣトーンを使用するために割当てられた無線端末によって生成される。一のドウェルにおける７ＯＦＤＭシンボルを含む一実施例では、アップリンクＤＣトーンを使用する７番目の変調シンボルはアップリンクＤＣトーンを使用する最初の６変調シンボルの負の和である。本発明のこの実施例は各ドウェルについてアップリンクＤＣトーンの変調シンボルのゼロ平均値を造出する。ドウェルの他のトーン（非ＤＣアップリンク・トーン）はそれらの変調シンボルとの間に必ずしも関係が全くないとは限らない。Ｎ個のシンボルのドウェルにおいて、Ｎ個のシンボル時間区間に非ＤＣアップリンク・トーンによって、そしてＮ−１個のシンボル区間にアップリンクＤＣトーンによって搬送される変調シンボルは普通の符号化、例えば、ＱＰＳＫ、ＱＡＭ１６、ＱＡＭ６４、等々のシステムによって使用される変調シンボル、及び／または参照変調信号の集合からのものでありうる。しかしながら、本発明の一特性に従って、Ｎ−１個のＤＣトーン変調シンボルの関数である特別なＤＣトーン変調シンボルは通常使用される変調シンボルの集合の外にある。基地局では、受信器はドウェルのためにアップリンクＤＣトーンによって搬送された変調シンボルの集合を受信する；使用される所定の関数に基づいて無線端末の送信器により変調シンボル集合間に確立された関係を知っている基地局はＤＣ成分を計算し、そして受信された変調シンボルからＤＣ成分を取り除く。例えば、特別な変調シンボルが他の６個の変調シンボルの負の和であるドウェル当たり７個のシンボルを含む典型的な実施例において、ドウェルのためにＤＣトーン上の基地局が受信した変調シンボルは平均化され、そして取得された平均値はアップリンク ＤＣトーンの誤差推定値である。それから、推定アップリンクＤＣトーン誤り推定値はドウェルの最初の６個の変調シンボルから取除かれ、そして処理された受信された６個の変調シンボルは通常の復号化動作のために送られる。
【００１６】
様々な実施例を上述の要約において述べたが、必ずしも全ての実施例が同じ特徴を含むものではなく、そして上で述べたいくつかの特徴は、いくつかの実施例において必要なのではなく、望ましいものでありうることを理解すべきである。本発明の多数の追加の特徴、実施例、及び利益については後続の詳細な説明において述べられる。
【好ましい実施形態の詳細な説明】
【００１７】
図１は本発明に従って実施され、且つ本発明の方法を使用する例示的な通信システム１００の図である。システム１００はダウンリンク及びアップリンクＤＣトーン用の装置及び方法を含む。例示的システム１００は、例えば、直交周波数分割多重（ＯＦＤＭ）多元アクセス無線通信システムである。システム１００は複数のセル（セル１ １０２、セルＭ １０４）を含む。各セル（セル１ １０２、セルＭ １０４）はそれぞれ対応する基地局（ＢＳ１ １０６、ＢＳ Ｍ １０８）のための無線カバレージ地域（coverage area）を表す。複数の無線端末（ＷＴ）（ＷＴ１ １１０、ＷＴ Ｎ １１２、ＷＴ１’ １１４、ＷＴ Ｎ’ １１６）はシステム１００に含まれる。少なくともいくつかのＷＴは携帯電話ノード（ＭＮ）である。ＭＮはシステム１００中を移動し、そして異なる複数のＢＳ（そのＢＳはＷＴが現在位置するセルに対応する）と無線リンクを確立する。図１において、（ＷＴ１ １１０、ＷＴ Ｎ １１２）はそれぞれ無線リンク（１１８、１２０）を介してＢＳ１ １０６と連結される；（ＷＴ１’ １１４、ＷＴ Ｎ’ １１６）はそれぞれ無線リンク（１２２、１２４）を介してＢＳ１ １０８と連結される。
【００１８】
ＢＳ（１０６、１０８）はそれぞれネットワーク・リンク（１２８、１３０）を介してネットワーク・ノード１２６と連結される。ネットワーク・ノード１２６は他のネットワーク・ノード、例えば、ルータ、他の基地局、ＡＡＡサーバ・ノード、ホーム・エージェント・ノード、等々、及び／またはインターネットにネットワーク回線１３２を経由して連結される。ネットワーク回線１２８、１３０、１３２は、例えば、光ファイバ回線である。ネットワーク・ノード１２６及ネットワーク・リンク１２８、１３０、１３２は一つのセルに位置するＷＴが別のセルの中のピア・ノードと通信できるように、複数の異なるセル内の様々なＢＳを一緒に連結し、そして接続性を提供するバックホール・ネットワーク（backhaul network）の一部である。
【００１９】
システム１００はセル当たり一つのセクタを持っていることが示されている。本発明の方法及び装置はセル当たり１以上のセクタ、例えば、セル当たり２、３、或いは３以上のセクタを持つシステムにおいても適用可能である。その上、本発明の方法及び装置はシステムの複数の異なる部分においてセル当たりの異なる数のセクタを持つシステムにおいても適用可能である。
【００２０】
図２は本発明に従って実施され、且つ本発明の方法を使用する例示的な基地局２００の図である。例示的なＢＳ ２００は時としてアクセス・ノードと云われる。ＢＳ ２００は図１のシステム１００のＢＳ（１０６、１０８）のいずれかである。例示的なＢＳ ２００はデータ及び情報を交換する受信器２０２、送信器２０４、プロセッサ２０６、Ｉ／Ｏインタフェース２０８、及びメモリ２１０を含む。 
受信器２０２はＢＳ ２００が複数の無線端末からアップリンク信号を受信する受信アンテナ２０３に連結される。受信器２０２は受信された符号化アップリンク信号を復号するための復号器２１４を含む。
【００２１】
送信器２０４はダウンリンク信号が複数の無線端末へ送られる送信アンテナ２０５に連結される。送信器２０４は伝送の前に情報を符号化するための符号器２１６を含む。
【００２２】
Ｉ／Ｏインタフェース２０８はＢＳ ２００を他のネットワーク・ノード、例えば、ルータ、他の基地局、ＡＡＡサーバ・ノード、ホーム・エージェント・モード及び／またはインターネットへ連結する。Ｉ／Ｏインタフェース２０８は、複数の異なるセル内のノード間の相互接続性を提供するバックホール・ネットワークにインターフェースを提供する。
【００２３】
メモリ２１０はルーチン２１８及びデータ／情報２２０を含む。プロセッサ２０６、例えば、ＣＰＵはルーチン２１８を実行し、そしてＢＳ ２００を動作させ、且つ本発明の方法を実施するためにメモリ２１０のデータ／情報２２０を使用する。
【００２４】
ルーチン２１８は通信ルーチン２２２及び基地局制御ルーチン２２４を含む。通信ルーチン２２２はＢＳ ２００によって使用される様々な通信プロトコルを実施する。
【００２５】
基地局制御ルーチン２２４は受信器２０２の動作、送信器２０４の動作、Ｉ／Ｏインタフェース２０８の動作、スケジューリング（scheduling）、タイミング制御、アップリンクＤＣトーンを介して搬送された受信した信号の特別な処理を含むアップリンク・シグナリング、及びダウンリンクＤＣトーン上での時折の意図的な信号の省略を含むダウンリンク・シグナリングを含むＢＳ ２００の動作を制御する。基地局制御ルーチン２２４はスケジューリング・モジュール２２６及びシグナリング・ルーチン２２８を含む。スケジューリング・モジュール２２６、例えば、スケジューラは無線端末ユーザーに対して、アップリンク及びダウンリンクチャネルの無線リンク資源、例えば、セグメントをスケジュールする。スケジューリング・モジュール２２６により実行されるアップリンク・セグメント・スケジューリングの結果として、アップリンクＤＣトーンは一つのドウェルから別のドウェルへと複数の異なる無線端末ユーザーに割当てられる。
【００２６】
信号通信ルーチン２２８はダウンリンク・モジュール２３０及びアップリンク・モジュール２３２を含む。ダウンリンク・モジュール２３０はＤＣトーン・スキップ・モジュール（skipping module）２３４及び他のダウンリンク・シグナリング・モジュール（signaling modules）２３６を含む。ＤＣトーンスキップモジュール２３４は、時折、例えば、基地局のダウンリンク・タイミング構造内の所定のＯＦＤＭシンボル伝送時間区間において、ダウンリンクＤＣトーンが如何なる信号を伝送するためにも使用されず、従ってＷＴ ３００（図３参照）の受信器による自己干渉の計測を容易にするように、送信器２０４の動作を制御する。他のダウンリンク・シグナリング・モジュール２３６は、例えば、ダウンリンク電力制御モジュール、ダウンリンク・タイミング制御モジュール、ダウンリンク・トラヒック・チャネル・モジュール、ビーコン・シグナリング・モジュール、及びパイロット・シグナリング・モジュールを含む。アップリンク・モジュール２３８はＤＣトーンのドウェルに基づく処理モジュール（dwell based processing module）２３８及び他のアップリンク・シグナリング・モジュール２４０を含む。ＤＣトーンのドウェルに基づく処理モジュール２３８はＤＣ成分計算モジュール２４２及びＤＣ成分除去モジュール２４４を含む。ＤＣ成分計算モジュール２４２は、ドウェルのためにアップリンクＤＣトーンによって搬送された受信された変調シンボルの集合をドウェルに基づき処理することによってドウェルに関するアップリンクＤＣトーンのＤＣ成分を推定する。ＢＳ ２００とＷＴ ３００の両方にとって既知の所定の関係がドウェルのためにアップリンクＤＣトーンによって搬送された複数の変調シンボルの間に存在する。その上、ドウェルにおいてアップリンクＤＣトーンの変調シンボルの集合における一つの変調シンボルは他の変調シンボルの関数である。例えば、いくつかの実施例において、ドウェルは７個のＯＦＤＭシンボル時間区間を含み、そしてドウェルの７番目のＯＦＤＭシンボル時間区間に関してアップリンクＤＣトーンに割当てられた変調シンボルは、該ドウェルの期間内にアップリンクＤＣトーンによって搬送された最初の６個の変調シンボルの負の総和である；これはドウェルの期間中におけるＤＣトーン変調シンボルの平均値を０に等しく設定する効果を持つ。モジュール２４２はＤＣ成分を計算するためにドウェル内のアップリンクＤＣトーンの変調シンボル間の既知の関係を利用する。いくつかの実施例において、モジュール２４２はドウェルの各ＯＦＤＭシンボル時間区間の間にアップリンクＤＣトーンによって搬送された受信された変調シンボルを平均化することによってＤＣ成分を計算する。ＤＣ成分除去モジュール２４４はドウェルの変調シンボルの集合間の関係を造出するために使用される一つの受信された変調信号を除外するドウェルの受信されたアップリンクＤＣトーンの変調シンボルの集合からＤＣ成分計算モジュール２４２によって決定されたＤＣ成分を取り除き、このようにしてＤＣ成分計算を容易にする。
【００２７】
他のアップリンク・シグナリング・モジュール２４０はユーザー・データを搬送するアップリンク・トラヒック・チャネル信号、タイミング及び電力制御情報を搬送する制御チャネル信号、資源要求シグナリング、及び登録シグナリングを含むＷＴからのアップリンク信号の受信及び処理を制御するために使用されるシグナリング・モジュールを含む。
【００２８】
データ／情報２２０はＷＴデータ／情報２４６、システム・データ／情報２４８、現在のタイミングの情報２５０、未処理の受信されたアップリンクＤＣトーンの変調シンボル２５２、アップリンクＤＣトーンの計測されたＤＣ成分２５４、及び処理されたアップリンクＤＣトーンの変調シンボル２５６を含む。ＷＴデータ／情報２４６はＷＴデータ／情報の複数の集合（ＷＴ１データ／情報２５８、ＷＴＮデータ／情報２６０）を含む。ＷＴデータ／情報の各集合（２５８、２６０）はネットワークへの接点として使用するＢＳ ２００を要求するために使用、或いは要求するＷＴに対応する。ＷＴ１データ／情報２５８はユーザー・データ２６２、ＷＴ ＩＤ情報２６４、及びデバイス／セッション／資源情報２６６を含む。ユーザー・データ２６２はＷＴ１との通信セッションにおいてＷＴ１のピア・ノードへ伝送されようとするＷＴ１からのデータ／情報、及びＷＴ１に送られようとするＷＴ１のピア・ノードから受信されたデータ／情報を含む。ＷＴ ＩＤ情報２６４は、例えば、ＩＰアドレス及びＢＳ ２００に割当られた稼働中のユーザーの識別子を含むＷＴ１と関連する識別情報を含む。デバイス／セッション／資源情報２６６はスケジューリング・モジュール２２６によってＷＴ１に割当てられたアップリンク及びダウンリンクのセグメント、例えば、トラヒック・チャネル・セグメント、及びアドレスを含むセッション情報及びＷＴ１との通信セッションにおいてＷＴ１のピア・ノードに付随する経路制御（routing）情報を含む。
【００２９】
システム・データ／情報２４８はタイミング情報２６８及び周波数情報２５４を含む。タイミング情報２６８はダウンリンク・タイミング情報２７２及びアップリンク・タイミング情報２７４を含む。ダウンリンク・タイミング情報２７２はＢＳ ２００によって使用されるダウンリンク・タイミング構造情報、例えば、ＯＦＤＭシンボル・タイミング情報、および、ハーフスロット（halfslots）、スロット、スーパー・スロット、ビーコン・スロット、ウルトラ・スロット等のようなＯＦＤＭシンボルのグループ化を含む。ダウンリンクタイミング情報２７２はまたダウンリンクＤＣトーン・スキップ・タイミング情報２７６を含む。ダウンリンクＤＣトーン・スキップ・タイミング情報２７６はダウンリンク・タイミング構造内、例えば、ウルトラ・スロット内のどちらのＯＦＤＭシンボル時間区間がダウンリンクＤＣトーンに関する信号伝送に全く指定されないかを識別する。アップリンク・タイミング情報２７４はアップリンク・ドウェル・タイミング情報２７８を含み、ＢＳ ２００によって使用されるアップリンクタイミング構造情報を含む。アップリンク・ドウェル・タイミング情報２７８はアップリンクＯＦＤＭシンボル時間区間を、例えば、アップリンク・トーンが該ドウェルの期間中に周波数ホッピングしない７個の連続するＯＦＤＭシンボル時間区間を含む例示的なドウェルに関する集合のような集合にグループ化（grouping）する情報を含む。
【００３０】
周波数情報２７０はダウンリンク・キャリア周波数、ダウンリンク帯域幅、ダウンリンク・トーン、アップリンク・キャリア周波数、アップリンク帯域幅、アップリンク・トーン、ＯＦＤＭシンボル時間区間単位でのダウンリンク・トーン・ホッピング系列、及びドウェル時間単位でのアップリンク・トーン・ホッピング系列を含む周波数トーン・ホッピング系列、ＤＣダウンリンク・トーンの識別、及びＤＣアップリンク・トーンの識別といった周波数構造情報を含む。周波数情報２７０は時として通過帯域と云われるＲＦ、及び対応するベースバンドに関するダウンリンク周波数情報の両方を含む。周波数情報２７０はまた時として通過帯域と云われるＲＦ、及び対応するベースバンドに関するアップリンク周波数情報の両方を含む。
【００３１】
現在のタイミングの情報２５０はＢＳ ２００によって使用される全体のタイミング構造、例えば、繰返しタイミング構造内のある時点、例えば、ＯＦＤＭシンボル時間区間に関して現在の時点を参照するために使用される情報を含む。ＤＣトーン・スキップ・モジュール２３４は特別な方法でダウンリンクＤＣトーンを処理し、且つ信号を伝送しない時を決定し、システム・ダウンリンク・タイミング情報２７２と共に現在のタイミングの情報２５０を使用する。ＤＣトーンのドウェルに基づく処理モジュール２３８はドウェル境界を識別し、且つドウェル内のＯＦＤＭシンボル・インデックスを識別するためのシステム・アップリンク・タイミング情報２７４と共に現在のタイミングの情報２５０を使用する。各ドウェルは異なる無線端末と関係付けられており、且つ異なるＤＣ成分特性を持つので、各ドウェルはアップリンクＤＣトーンに関して別々に処理される。
【００３２】
未処理の受信されたアップリンクＤＣトーンの変調シンボルはアップリンクＤＣトーン（ＸU1２８０、・・・、ＸU7２８２）を介して搬送された一組の受信された変調シンボルを含み、受信された変調シンボルの各々は該ドウェルの１つのＯＦＤＭシンボル時間区間内におけるアップリンクＤＣトーンに対応する。処理されたアップリンクＤＣトーンの変調シンボル２５６は一のドウェルの期間内のアップリンクＤＣトーンと関係付けられた一組の処理された変調シンボル（ＸP1２８４、・・・、ＸP6２８６）を含み、その処理はモジュール２３８によるＤＣ成分の決定及び除去を含む。処理されたアップリンク（ＵＬ）ＤＣトーンの変調シンボル２５６の集合は未処理の受信されたアップリンクＤＣトーン変調シンボルの集合より一つ少ない要素を含む。ＤＣアップリンク・トーン２５４の計測されたＤＣ成分は所与のドウェルに関する一組の未処理の受信されたアップリンクＤＣ変調トーン２５２上で動作するＤＣ成分計算モジュール２４２の結果であり、そして一組の処理されたＵＬ ＤＣトーン変調シンボル２５６を取得するためにＤＣ成分除去モジュール２４４によって使用される。処理されたＤＣトーン変調シンボル２５６の集合は受信されたアップリンク・シグナリングの通常の復号化動作へと続けるために復号化器２１４へ転送される。
【００３３】
図３は本発明に従って実施され、且つ本発明の方法を使用する例示的な無線端末３００の図である。ＷＴ ３００は図１のシステム１００のＷＴ（１１０、１１２、１１４、１１６）のいずれかであってもよい。例示的なＷＴ ３００は様々な要素がデータ及び情報をその上で交換するバス３１２によって連結された受信器３０２、送信器３０４、プロセッサ３０６、ユーザーＩ／Ｏデバイス３０８、及びメモリ３１０を含む。
【００３４】
受信器３０２は一つのＲＦ回路（chain）３１４、ＲＦ対ベースバンド変換モジュール３１６及び復号器３１８を含む。ＲＦ回路３１４はＢＳ ２００からのダウンリンク信号が受信される受信アンテナ３０３に連結される。ＲＦ対ベースバンド変換モジュール３１６はＢＳ ２００のネットワーク接続点と関係付けられた選択されたキャリア周波数を使用して、受信されたＲＦダウンリンク信号をベースバンド信号へ変換する。ベースバンドはＤＣトーンを含む一組のダウンリンク・トーンを含む。受信器３０２のＲＦ対ベースバンド変換モジュール３１６はＲＦ対ベースバンド変換処理の一部としてダウンリンクＤＣトーンと関係付けられた受信された変調シンボルにもたらされる誤差を表すＤＣトーン自己干渉特性３２０を有する。ＤＣトーン自己干渉特性３２０は主として受信器３０２の回路構成、設計、オフセット、及び許容度の関数である。ＤＣトーン自己干渉特性３２０の変化は受信器３０２中の温度及び温度変化の関数である。本発明の装置及び方法はＤＣトーン自己干渉特性３２０の推定及び除去を容易にする。復号化器３１８はＢＳ ２００からの受信されたダウンリンク信号を復号化するためにＷＴ ３００によって使用される。
【００３５】
送信器３０４は符号化器３２６、ベースバンド対ＲＦ変換モジュール３２４、及びＲＦ回路（chain）３２２を含む。ＷＴ ３００によって伝送されるべき信号は符号化器３２６によって符号化される。符号化された信号はベースバンドからＲＦへベースバンド対ＲＦ変換モジュール３２４によって変換される。ベースバンド対ＲＦ変換モジュール３２４は送信器３０４の変換処理に関係付けられたＤＣトーン自己干渉特性３２８を含む。アップリンクＤＣトーン上で搬送された変調シンボルは送信器３０４の固有のＤＣトーン干渉特性によってＲＦへの変換処理の間に劣化する。ＲＦ回路３２２はＢＳ ２００のネットワーク接続点に関係付けられた選択されたアップリンク・キャリア周波数を使用してＢＳ ２００へアップリンク信号が送信される送信アンテナ３０５に連結される。
【００３６】
ユーザーＩ／Ｏデバイス３０８は、例えば、マイクロホン、スピーカー、キーパッド、キーボード、マウス、タッチスクリーン、カメラ、ディスプレイ、アラーム、振動デバイス等を含む。様々なユーザーＩ／Ｏデバイス３０８はＷＴ ３００のピア・ノード向けのユーザー・データ／情報を入力し、且つＷＴ ３００のピア・ノードからの受信データ／情報を出力するために使用される。その上、ユーザーＩ／Ｏデバイス３０８は様々な機能、例えば、電源オン、電源オフ、呼出発信、呼出終了、等々を始めるためにＷＴ ３００の操作者によって使用される。
【００３７】
メモリ３１０はルーチン３３０及びデータ／情報３３２を含む。プロセッサ３０６、例えば、ＣＰＵはＷＴ ３００の動作を制御し、且つ本発明の方法を実施するためにルーチン３３０を実行し、且つメモリ３１０内のデータ／情報３３２を使用する。
【００３８】
ルーチン３３０は通信ルーチン３３４及び携帯電話ノード制御ルーチン３３６を含む。通信ルーチン３３４はＷＴ ３００によって使用される様々な通信プロトコルを実施する。携帯電話ノード制御ルーチン３３６は受信器３０２、送信器３０４、及びユーザーＩ／Ｏデバイス３０８の動作を含むＷＴ ３００の動作を制御する。携帯電話ノード制御ルーチン３３６はダウンリンク・モジュール３３８及びアップリンク・モジュール３４０を含む。
【００３９】
ダウンリンク・モジュール３３８はＤＣトーン処理モジュール３４２及び他のダウンリンク・モジュール３４４を含む。ＤＣトーン処理モジュール３４２は自己干渉決定モジュール３４６及び自己干渉除去モジュール３４８を含む。自己干渉決定モジュール３４６は受信器３０２のＤＣトーン自己干渉特性３２０の値を推定する。本発明に従って、ＢＳ ２００は時折、例えば、ＢＳ ２００及びＷＴ ３００の両方にとって既知の予め決められたスケジュールに従って、ダウンリンクＤＣトーンを使用して信号の伝送を一時停止する。自己干渉決定モジュール３４６はダウンリンクＤＣトーン伝送信号のない区間を識別し、そしてこの区間でのダウンリンクＤＣトーン上の計測され受信された信号を雑音として識別する。計測され受信された雑音は受信器３０２によって生成された自己干渉３２０（それは本質的には時間の経過に対して一定である）と他の形式の干渉（それは本質的には時間の経過に対してランダムな雑音、例えば、無線リンク上のランダムな雑音である）の組合せである。ランダムな雑音は時間の経過と共に相殺される傾向があるであろう。いくつかの実施例において、受信器３０２の自己雑音３２０が強ければ、自己干渉決定モジュール３４６はＢＳ ２００がダウンリンクＤＣトーン上で伝送しなかった１個のＯＦＤＭシンボル区間について計測を行い、そしてダウンリンク ＤＣトーン上の雑音除去に適用するため自己干渉の値を取得する。いくつかの実施例において、自己干渉決定モジュール３４６はＢＳがダウンリンクＤＣトーンを伝送しなかった幾らかの間隔をおいたＯＦＤＭシンボル区間に関して雑音レベルを計測する。自己干渉決定モジュール３４６は時間の経過と共に相殺される傾向があるランダムな雑音から本質的に一定の自己干渉を分離するために平均化またはフィルタリングを使用する。自己干渉除去モジュール３４８はモジュール３４６によって決定された自己干渉の推定値を使用し、そしてダウンリンクＤＣトーンに関して受信された信号からそれを減算する。
【００４０】
他のダウンリンクモジュール３４４はダウンリンク・トラヒック・チャネル信号処理モジュール、ダウンリンク・パイロット信号処理モジュール、ビーコン信号処理モジュール、及び他のダウンリンク制御シグナリングに関係するモジュールを含む。
【００４１】
アップリンク・モジュール３４０はアップリンクＤＣトーン処理モジュール３５０及び他のアップリンク・モジュール３５２を含む。ＵＬ ＤＣトーン処理モジュール３５０はＷＴ ３００が所与のドウェルの期間内にアップリンクＤＣトーンを使用するようにスケジュールされていたかどうか、例えば、ＷＴ ３００がアップリンクＤＣトーンを含むセグメントを使用するためにＢＳ ２００によってスケジュールされていたかどうかを判定する。ＷＴ ３００がＤＣトーンを使用するようにスケジュールされていたならば、ＤＣトーン（ドウェルに基づくゼロ化）変調シンボル生成モジュール３５４が使用される。ＤＣトーン処理モジュール３５０はＤＣトーン（ドウェルに基づくゼロ化）変調シンボル生成モジュール３５４を含む。Ｎ個のＯＦＤＭ時間区間を含む所与のドウェルに関して、ＤＣトーン（ドウェルに基づくゼロ化）変調シンボル生成モジュール３５４は、それが採用された場合に、（Ｎ−１）個の変調シンボルの関数として特別な変調シンボルを生成し、（Ｎ−１）個の変調シンボルの各々は１つのＯＦＤＭシンボル時間区間内においてアップリンクＤＣトーンによって搬送され、そして特別な生成変調シンボルはアップリンクＤＣトーンをまた使用してそのドウェルの残りのＯＦＤＭシンボル時間区間内で搬送される。
【００４２】
一実施例（そのドウェルが７個のＯＦＤＭシンボル時間区間を含む）において、モジュール３５４によって生成された特別な変調シンボルは他の６個の変調シンボルの和の負数である；これはアップリンクＤＣトーンに関して該ドウェルの変調シンボルのゼロ平均値をもたらす。他のアップリンク・モジュール３５２は、例えば、アップリンク・トラヒック・チャネル・モジュール、アップリンク電力制御モジュール、アップリンク・タイミング制御モジュール、及びアップリンク・タイミング制御モジュールを含む。
【００４３】
データ／情報３３２はユーザー・データ３５６、ＷＴ ＩＤ情報３５８、デバイス／セッション／資源情報３６０、基地局ＩＤ情報３６２、システム・データ／情報３６４、現在のタイミングの情報３６６、ＤＣトーン自己干渉情報３６８、未処理の受信されたダウンリンクＤＣトーンの変調シンボル３７０、処理されたダウンリンクＤＣトーンの変調シンボル３７２、及びアップリンクＤＣトーンの変調シンボル３７４を含む。ユーザー・データ３５６はアップリンク・トラヒック・チャネル上でＷＴ ３００によってＢＳ ２００へ伝送されようとするＷＴ ３００との通信セッションにおけるＷＴ ３００のピア向けのデータ／情報を含む。ユーザー・データ３５６はまたＷＴ ３００との通信セッションにおいてＷＴ ３００のピアから発信され、且つダウンリンク・トラヒック・セグメント経由でＢＳ ２００から受信されたデータ／情報を含む。無線端末識別情報３５８は、例えば、ＷＴのＩＰアドレス及びＢＳ ２００に割当られたＷＴの稼働中のユーザーの識別子を含む。デバイス／セッション／資源情報３６０はＷＴ ３００に割当てられたアップリンク及びダウンリンク・セグメント、例えば、トラヒック・チャネル・セグメントを含み、そしてＷＴ ３００との通信セッションにおいてＷＴ ３００のピア・ノードに付随するアドレス及び経路制御（routing）情報を含むセッション情報を含む。基地局識別情報３６２はＷＴ ３００のネットワーク接続の現在点として使用されているＢＳ ２００と関連する識別子、例えば、パイロット・トーン・ホッピング系列における傾斜（slope） の値または他の指標を含む。
【００４４】
システム・データ／情報３６４はタイミング情報３７６及び周波数情報３７８を含む。システム・データ／情報３６４はＷＴ ３００がネットワーク接続点として使用する異なる複数の基地局２００に対応する情報の異なる複数の集合を含む。タイミング情報３７６はダウンリンク・タイミング情報３８０及びアップリンク・タイミング情報３８２を含む。ダウンリンク・タイミング情報３８０はＢＳ ２００によって使用されるダウンリンク・タイミング構造情報、例えば、ＯＦＤＭシンボル・タイミング情報、および、ハーフスロット、スロット、スーパー・スロット、ビーコン・スロット、ウルトラ・スロット等のようなＯＦＤＭシンボルのグループ化を含む。ダウンリンク・タイミング情報３８０はまたダウンリンクＤＣトーン・スキップ・タイミング情報３８４を含む。ダウンリンクＤＣトーン・スキップ・タイミング情報３８４はダウンリンク・タイミング構造、例えば、ウルトラ・スロットの中のどちらのＯＦＤＭシンボル時間区間がダウンリンク ＤＣトーンに関して信号伝送を全く指定されないかを識別する。アップリンク・タイミング情報３８２はアップリンク・ドウェル・タイミング情報３８６を含むＢＳ ２００によって使用されるアップリンク・タイミング構造情報を含む。アップリンク・ドウェル・タイミング情報３８６は例えば、アップリンク・トーンが該ドウェルの期間中に周波数ホッピングしない７個の連続するＯＦＤＭシンボル時間区間を含む例示的なドウェルのための集合のような集合にアップリンクＯＦＤＭシンボル時間区間をグループ化する情報を含む。
【００４５】
周波数情報３７８はダウンリンク・キャリア周波数、ダウンリンク帯域幅、ダウンリンク・トーン、アップリンク・キャリア周波数、アップリンク帯域幅、アップリンク・トーン、ＯＦＤＭシンボル時間区間単位でのダウンリンク・トーン・ホッピング系列及びドウェル時間単位でのアップリンク・トーン・ホッピング系列を含む周波数トーン・ホッピング系列、ＤＣダウンリンク・トーンの識別子、及びＤＣアップリンク・トーンの識別子といった周波数構造情報を含む。周波数情報３７８は時として通過帯域と云われるＲＦ、及び対応するベースバンドの双方のダウンリンク周波数情報を含む。周波数情報３７８はまた通過帯域と云われるＲＦ、及び対応するベースバンドの双方のアップリンク周波数情報を含む。
【００４６】
現在のタイミングの情報３６６はＢＳ ２００によって使用される全体のタイミング構造、例えば、繰返しタイミング構造内のある時点、例えば、ＯＦＤＭシンボル時間区間に関して現在の時点を参照するために使用される情報を含む。ＤＬ ＤＣトーン処理モジュール３４２は受信されたダウンリンクＤＣトーンを特別な方法で処理し、且つ自己干渉に関する受信ＤＬ ＤＣトーンを評価する時を決定するためにシステム・ダウンリンク・タイミング情報３８０と共に現在タイミング情報３６６を使用する。ＤＣトーンのドウェルに基づくゼロ化の変調シンボル生成モジュール３５４は、ドウェル境界を識別し、且つドウェル内のＯＦＤＭシンボル・インデックスを識別するためにシステム・アップリンク・タイミング情報３８２と共に現在のタイミングの情報３６８を使う。
【００４７】
ＤＣトーンダウンリンク自己干渉情報３６８はモジュール３４２によって決定され、そしてモジュール３４８によって使用されるＤＣトーン自己干渉の取得値を含み、その値は受信器３０２の ＤＣトーン自己干渉特性３２０の推定値である。ＤＣトーン自己干渉情報３６８はまたフィルタリング情報、例えば、モジュール３４６によって使用されるフィルタ定数を含む。
【００４８】
未処理の受信されたダウンリンク ＤＣトーンの変調シンボル３７０はダウンリンクＤＣトーン（ＺU1３８８、・・・、ＺUN３９０）を経由して搬送された受信された変調シンボルを含み、受信された変調シンボルの各々は１つのＯＦＤＭシンボル時間区間内におけるダウンリンクＤＣトーンに対応する。処理されたダウンリンクＤＣトーンの変調シンボル３７２はダウンリンクＤＣトーンと関係付けられた処理された変調シンボル（ＺP1３９２、・・・、ＺPN３９４）を含み、その処理はダウンリンクＤＣトーン処理モジュール３４２によるＤＣ成分の決定及び除去を含む。
【００４９】
アップリンクＤＣトーンの変調シンボル３７４はアップリンクＤＣトーン（Ｘ1３９６、・・・、Ｘ6３９８、Ｘ7３９９）上で搬送される一組の変調シンボルを含み、各変調シンボルは一のドウェルの１つのＯＦＤＭシンボル時間区間に対応する。図３のこの例示的な実施例において、該ドウェルは７個のＯＦＤＭシンボル時間区間を含む。Ｘ1３９６、・・・、Ｘ6３９８は、例えば、データ／情報、制御情報、及び／または参照シンボルを搬送すためにＷＴ ３００によって使用される一組の変調シンボルからの通常の変調シンボルである。本発明に従って、Ｘ7３９９は他の６個の変調シンボル（Ｘ1３９６、・・・、Ｘ6３９８）の関数であり、そしてデータ／情報、制御シグナリング、及び／または参照シグナリングのためにＷＴ ３００によって使用される通常の変調シンボルの範囲または集合の外にあるかもしれない。一実施例では、変調シンボルＸ7 の値は変調シンボルＸ1３９６〜Ｘ6３９８の値の加重総和の負数に等しい。
【００５０】
図４は例示的なＯＦＤＭダウンリンクの時間周波数格子４００を図解する図であり、本発明に従ってＤＣトーン上でシグナリングの時折の一時停止を図解する。格子（grid）４００は横軸４０４の時間（ＯＦＤＭシンボル・インデックス）に対する縦軸４０２のダウンリンク周波数（トーン・インデックス）のグラフである。格子４００の基本単位は正方形として示され、且つ１つのＯＦＤＭシンボル時間区間の期間について一つのトーンを表すＯＦＤＭトーン・シンボルである。説明文（legend）４４０は格子４００におけるトーン−シンボルの状態を示すために使用される。斜交平行線模様による正方形で示されたタイプ４４２のトーン−シンボルはトーン−シンボルが変調シンボルを搬送する可能性があることを示した。空白の正方形として示されたタイプ４４４のトーン・シンボルは本発明の特徴に従って、トーン−シンボルが信号を全く伝送しないことを示す。縦軸４０２はダウンリンクが一組のトーン、例えば、１１３個のトーン（トーン０ ４０６、トーン１ ４０８、トーン２ ４１０、・・・、トーン５５ ４１２、トーン５６ ４１４、トーン５７ ４１６、・・・、トーン１１１ ４１８、トーン１１２ ４２０）に分割されることを例示する。トーン５６ ４１４はダウンリンクＤＣトーンである。一般に、ダウンリンクＤＣトーンは使用されるダウンリンク周波数トーンの集合の中心における、もしくはその近くのトーンである。ダウンリンク信号が無線端末でベースバンドへダウンコンバートされる（down−converted）とき、ダウンリンクＤＣトーンは一般にゼロ周波数のベースバンド・トーン、もしくはゼロ周波数に近いベースバンド・トーンに対応する。横軸４０４は９個の例示的な連続するＯＦＤＭシンボル区間（区間０ ４２２、区間１ ４２４、区間２ ４２６、区間３ ４２８、区間４ ４３０、区間５ ４３２、区間６ ４３４、区間７ ４３６、区間８ ４３８）を例示する。格子４００において、トーン０ ４０６〜トーン５５ ４１２及びトーン５７ ４１６〜トーン１１２ ４２０に対応する各々のトーン・シンボルはどのＯＦＤＭシンボル区間においても変調シンボルを搬送することができる可能性がある。しかしながら、トーン５６ ４１４は本発明に従って特別な処理を受ける。大半の時間の間、ダウンリンクＤＣトーンは変調シンボルを搬送することができる可能性がある；しかしながら、時として、ダウンリンクＤＣトーンはＯＦＤＭ時間区間１ ４２４、４ ４３０、及び７ ４３６において図解したように信号を全く伝送しない。スキップ・パターン（skipping pattern）は基地局、及び無線端末の両方に対して予め定められ、且つ既知でありうる。スキップ・パターンは予想されるランダムな無線リンクの干渉のレベル、及びシステムの無線端末の自己干渉受信器特性を含むシステム特性に関して選択される。この時折のダウンリンクＤＣトーンの使用のスキップは、スキップに対応するタイミングを知る無線端末受信器がＤＣダウンリンクトーンに関してそれらの自己干渉雑音レベルを計測し、且つ決定することを可能にする。区間１ ４２４のような区間に、無線端末によって処理されたＤＣトーンの受信された信号は、ＲＦからベースバンドへの変換の後、主として受信器の自己干渉（一般に比較的一定レベルである）に無線リンク雑音（一般に時間の経過に伴って平均化され、従って除去できるランダムな信号である）を加えた総和であろう。
【００５１】
図２３は本発明に従ってＤＣトーン上のシグナリングの一時停止の別の例を図解する例示的なＯＦＤＭダウンリンクの時間周波数格子２３００を図解する図である。格子２３００は横軸２３０４の時間（ＯＦＤＭシンボルインデックス）に対する縦軸２３０２のダウンリンク周波数（トーンインデックス）のグラフである。格子２３００の基本単位は正方形として示され、且つ１つのＯＦＤＭシンボル時間区間の期間について一つのトーンを表すＯＦＤＭトーン・シンボルである。説明文２３４０は格子２３００におけるトーン−シンボルの状態を示すために使用される。斜交平行線模様による正方形で示されたタイプ２３４２のトーン−シンボルはトーン−シンボルが変調シンボルを搬送する可能性があることを示した。空白の正方形として示されたタイプ２３４４のトーン・シンボルは本発明の特徴に従って、トーン−シンボルが信号を全く伝送しないことを示す。縦軸２３０２はダウンリンクが一組のトーン、例えば、１１３トーン（トーン０ ２３０６、トーン１ ２３０８、トーン２ ２３１０、・・・、トーン５５ ２３１２、トーン５６ ２３１４、トーン５７ ２３１６、・・・、トーン１１１ ２３１８、トーン１１２ ２３２０）に分割されることを図解する。トーン５６ ２３１４はダウンリンクＤＣトーンである。一般に、ダウンリンクＤＣトーンは使用されるダウンリンク周波数トーンの集合の中心における、もしくはその近くのトーンである。横軸２３０４は例示的な連続するＯＦＤＭシンボル区間（区間０ ２３２２、区間１ ２３２４、区間２ ２３２６、区間３ ２３２８、・・・、区間１０ ２３３０、区間１１ ２３３２、区間１２ ２３３４、区間１３ ２３３６、・・・）を図解する。格子２３００において、トーン０ ２３０６〜トーン５５ ２３１２及びトーン５７ ２３１６〜トーン１１２ ２３２０に対応する各々のトーン・シンボルは変調シンボルを搬送することができる可能性がある。しかしながら、トーン５６ ２３１４は本発明に従って特別な処理を受ける。大半の時間の間、ダウンリンクＤＣトーンは変調シンボルを搬送することができる可能性がある；しかしながら、時として、ダウンリンクＤＣトーンはＯＦＤＭ時間区間１ ２３２４及び１２ ２３３４において図解したように信号を全く伝送しない。ＤＣトーンの観点から、区間２３４６及び２３４６’ はＤＣ雑音の計測区間であると考えられ、一方、区間２３４８はデータ周期であると考えられる。データ周期２３４８において、１０個のシンボルはダウンリンクＤＣトーン上の無線端末によって復元されることが可能であり、一つの復元された変調シンボルは各ＯＦＤＭシンボル・インデックス（２・・・１１）時間区間に対応する。図２３の例のデータ周期、区間２３４８はＤＣトーン雑音の計測周期、例えば、区間２３４６より１０倍だけ長い。
【００５２】
図５は本発明に従ってアップリンクＤＣトーン５１４の特別な処理を図解するドウェル５３８に関する例示的なＯＦＤＭアップリンクの時間周波数格子５００を図解する図である。格子５００は横軸５０４の時間（ドウェル内のＯＦＤＭシンボル・インデックス）に対する縦軸５０２のアップリンク周波数（トーン・インデックス）のグラフである。縦軸５０２の基本単位はトーンであり、一方、横軸の基本単位はＯＦＤＭシンボル時間５３６である。１１３トーン（トーン０ ５０６、トーン１ ５０８、トーン２ ５１０、・・・、トーン５５ ５１２、トーン５６ ５１４、トーン５７ ５１６、・・・、トーン１１１ ５１８、トーン１１２ ５２０）を含む例示的なアップリンクが図解される。この例におけるアップリンクＤＣトーンはトーン５６ ５１４である。一般に、アップリンクＤＣトーンはアップリンク・トーンの集合の中心に、もしくはアップリンク・トーンの集合の中心の近くにある。無線端末送信器におけるベースバンドでは、アップリンクＤＣトーンは一般にゼロ周波数において、もしくはゼロ周波数の近くでベースバンド・トーンに対応する。アップリンク信号が通過帯域へアップコンバートされる（upconverted）とき、アップリンクＤＣトーンはアップリンク帯域幅の中心に対応する。他の実施例では、アップリンクは異なるトーン数を使用する。図５の例は７個のＯＦＤＭシンボル時間区間（区間１ ５２２、区間２ ５２４、区間３ ５２６、区間４ ５２８、区間５ ５３０、区間６ ５３２、区間７ ５３４）を持つドウェル５３６を図解する。一のドウェルは所与のトーンが同じ無線端末によって使用される多数のＯＦＤＭシンボル区間から成る時間区間である。他の実施例では、一のドウェルは異なる数のＯＦＤＭシンボル時間区間を含む。本発明に従って、ＤＣトーンは特別な処理を受ける；該ドウェル内の一つのＯＦＤＭシンボル時間区間について、ＤＣトーンは同じドウェルの他のＯＦＤＭシンボル時間区間のＤＣトーンによって搬送された変調シンボルの関数である変調シンボル搬送する。図５の例では、７番目のＯＦＤＭ区間５３４は特別な変調シンボルを搬送する。ドウェル中のＯＦＤＭシンボルのどれも特別な変調シンボルを搬送できることに留意せよ。特別な変調シンボルを搬送するために使用されるＯＦＤＭシンボルは基地局と無線端末の両方にとって予め定められ、且つ既知であることができる。説明文５４０は正方形の箱によって示したトーン−シンボルの格子５００の基本単位を図解する。格子５００において、トーン−シンボルが斜交平行線模様によって示したタイプ５４２のものであるならば、ＯＦＤＭトーン−シンボルは本発明に従って特別な変調シンボルを搬送し、一方、トーン−シンボルが空白で示したタイプ５４４のものであれば、トーン−シンボルは通常の変調シンボルを搬送する。格子５００において、アップリンク・トーン−シンボルによって搬送されるべき変調シンボルは各正方形の格子中に添字付きの文字として図解されている。変調シンボルＹj, k（ｊ＝１〜７、ｋ＝０〜５５及びｋ＝５７〜１１２）は通常の変調シンボル、例えば、データ／情報、制御情報、及び／または参照情報を搬送するためにシステムにおいて使用される一組の変調シンボルからのも��である。ここで、ｊはドウェル中のＯＦＤＭシンボル時間インデックス値、ｋはアップリンク・トーン・インデックス値である。その上、ドウェルに関して、トーンの集合（トーン０ ５０６〜トーン５５ ５１２及びトーン５７ ５１６〜トーン１１２ ５２０）からのトーンに対応する変調シンボルの集合における各変調シンボルは、そのトーンに対応する変調シンボルの集合における他の変調シンボルから独立している。しかしながら、本発明に従って、トーン５６（ＤＣトーン）５１４は特別な処理を受ける。ＤＣトーンによって搬送される変調シンボルはＸi (ｉ＝１，７)として表され、ここでｉはドウェル内のＯＦＤＭシンボル時間インデックスを表す。この例では、Ｘ7 はＸ1、Ｘ2、Ｘ3、Ｘ4、Ｘ5、Ｘ6 の関数である。特別な変調シンボルＸ7 の値はドウェルの他のトーン−シンボルに使用される変調シンボルの集合の外にある。一実施例においては、
【数１】
2009500966.tif 000003
【００５３】
である。アップリンクＤＣトーンのこの例示的な処理において、ドウェルに関してＤＣトーンによって搬送される変調シンボルの平均値はゼロに等しい。そのような実施例では、ドウェルに対応するアップリンクＤＣトーンの集合を受信する基地局２００はドウェルに関して計測された受信されたＤＣトーンの変調シンボルの平均値におけるDC オフセットを誤差、例えば、送信器３０４におけるＤＣトーン自己干渉特性３２８と、無線リンク雑音の組合せによる誤差として解釈する；この計測されたＤＣオフセットは取除くことができる。変調シンボル
Ｙj, k（ｊ＝１〜７、ｋ＝０〜５５及びｋ＝５７〜１１２）及びＸi (ｉ＝１，７)は通常のチャネル符号化の操作によって生成されることに留意されたい。
【００５４】
図６は本発明に従ってドウェル中のアップリンクＤＣトーンによって搬送された変調シンボル間の例示的な関係を例示する図６００である。変調シンボル（Ｘ1 ６０２、Ｘ2 ６０４、Ｘ3 ６０６、Ｘ4 ６０８、Ｘ5 ６１０、Ｘ6 ６１２、Ｘ7 ６１４）はドウェル５３８の期間中のトーン５６ ５１４に対応する図５に示した変調シンボルである。この例において、変調シンボルＸ7 ６１４は特別な変調シンボルであり、そしてＸ7 ＝ｆ（Ｘ1、Ｘ2、Ｘ3、Ｘ4 、Ｘ5、Ｘ6）、例えば
【数２】
2009500966.tif 000004
【００５５】
である。別の例において、ドウェルにおいて伝送される信号のピーク対平均の比率を下げるために、
【数３】
2009500966.tif 000005
【００５６】
である。一般に、本発明の様々な実施例に従って、アップリンクＤＣトーンについて、ドウェル構造は異なる数のＯＦＤＭシンボル時間区間を含み、特別な変調シンボルは該ドウェル内のいずれかの変調シンボルである可能性があり、そしてドウェル構造、ドウェル内の特別な変調シンボルのＯＦＤＭシンボル・インデックス、そしてドウェルの変調シンボルを相互に関係づけるために使用される関数がＷＴ ３００及びＢＳ ２００の両方にとって既知であるならば、特別な変調シンボルはドウェル内の他の変調シンボルの関数である。。
【００５７】
アップリンク ＤＣトーンに関して、本発明のいくつかの実施例において、シンボル・スクランブルの追加のステップがある。例えば、Ｘ1、Ｘ2、Ｘ3、Ｘ4、Ｘ5、Ｘ6 は符号化及び変調スキームからの変調シンボルであるとしよう。シンボル・スクランブルのステップなしで、Ｘ7 はｆ（Ｘ1、Ｘ2、Ｘ3、Ｘ4、Ｘ5、Ｘ6）））） から生成され、そしてＸ1、Ｘ2、Ｘ3、Ｘ4、Ｘ5、Ｘ6、Ｘ7 はドウェルにおいて伝送される変調シンボルであろう。今、スクランブルのステップによって、伝送されるべき実際の変調シンボルはＡ1＊Ｘ1、Ａ2＊Ｘ2、Ａ3＊Ｘ3、Ａ4＊Ｘ4、Ａ5＊Ｘ5、Ａ6＊Ｘ6、Ａ7＊Ｘ7 である。ここでＸ7の構築は下記で与えられ、そしてＡ1、Ａ2、Ａ3、Ａ4、Ａ5、Ａ6、Ａ7 は所定のスクランブル・シンボルである。Ａ1、Ａ2、Ａ3、Ａ4、Ａ5、Ａ6、Ａ7 はいくつかの実施例において、位相回転シンボルである。そして、基地局で受信される変調シンボルは、他の干渉を無視すると、Ｙ1＝Ａ1＊Ｘ1＋Ｉ0、Ｙ2＝Ａ2＊Ｘ2＋Ｉ0、Ｙ3＝Ａ3＊Ｘ3＋Ｉ0、Ｙ4＝Ａ4＊Ｘ4＋Ｉ0、Ｙ5＝Ａ5＊Ｘ5＋Ｉ0、Ｙ6＝Ａ6＊Ｘ6＋Ｉ0、Ｙ7＝Ａ7＊Ｘ7＋Ｉ0である。ここでＩ0 は無線端末のデバイスによって生成されたＤＣ雑音成分である。それらのシンボルは同じ無線端末から伝送されるので、Ｉ0 はドウェルにおける７個のシンボルの各々について同じであると推測される。
【００５８】
Ｉ0 を推定するために、Ｘ7 が構築されるべきである、すなわち、Ｘ7＝ｆ（Ａ1＊Ｘ1、Ａ2＊Ｘ2、Ａ3＊Ｘ3、Ａ4＊Ｘ4、Ａ5＊Ｘ5、Ａ6＊Ｘ6、Ａ7＊Ｘ7）である。例えば、いくつかの実施例において、Ｘ7 はＡ1＊Ｘ1＋Ａ2＊Ｘ2＋Ａ3＊Ｘ3＋Ａ4＊Ｘ4＋Ａ5＊Ｘ5＋Ａ6＊Ｘ6＋Ａ7＊Ｘ7＝０のように計算される。その例示的実施例において、受信器はＩ0 をＩ0 _ 推定＝（Ｙ1＋Ｙ2＋Ｙ3＋Ｙ4＋Ｙ5＋Ｙ 6＋Ｙ7）／７として推定する。いくつかの実施例における別の例において、Ｘ7 は（Ａ1＊Ｘ1＋Ａ2＊Ｘ2＋Ａ3＊Ｘ3＋Ａ4＊Ｘ4＋Ａ5＊Ｘ5＋Ａ6＊Ｘ6）／６＋Ａ7＊Ｘ7＝０のように計算される。 その例示的実施例において、受信器はＩ0 をＩ0 _ 推定＝（Ｙ1＋Ｙ2＋Ｙ3＋Ｙ4＋Ｙ5＋Ｙ 6＋６＊Ｙ7）／１２として推定する。
【００５９】
図７は本発明に従ってアップリンクＤＣトーンが異なる複数のドウェルに関して異なる複数のユーザーに割当てられることを図解する図である。図７００は、例えば、一つのキャリア周波数帯域を使用する例示的なＢＳ ２００に対応する縦軸７０２のアップリンク周波数（トーン・インデックス）対横軸７０４の時間（ドウェル区間インデックス）のグラフである。縦軸７０２の基本単位はトーンであり、一方、横軸の基本単位はドウェル区間７３４である。ドウェル区間７３４は図５のドウェル５３８に対応する。例示的なアップリンクは１１３個のトーン（トーン０ ７０６、トーン１ ７０８、トーン２ ７１０、・・・、トーン５５ ７１２、トーン５６ ７１４、トーン５７ ７１６、・・・、トーン１１１ ７１８、トーン１１２ ７２０）を含むように図解される。この例におけるアップリンクＤＣトーンはトーン５６ ７１４である。他の実施例において、アップリンクは異なる数のトーンを使用し、そしてアップリンクＤＣトーンは異なるトーンであってもよい。図７の例は６個のドウェル区間（区間１ ７２２、区間２ ７２４、区間３ ７２６、区間４ ７２８、区間５ ７３０、区間６ ７３２）を図解する。アップリンク・トーンはドウェル区間単位でＷＴ ３００に割当てられ、割当てられたトーンはＢＳ ２００のスケジューリング・モジュール２２６によって割当てられたアップリンク・セグメントの関数であり、そしていくつかの実施例において、アップリンク・トーン・ホッピング系列はＢＳ ２００によって使用される。図７の例において、アップリンクＤＣトーン（トーン５６）７１４は（ドウェル区間１ ７２２、ドウェル区間２ ７２４、ドウェル区間３ ７２６，ドウェル区間４ ７２８、ドウェル区間５ ７３０、ドウェル区間６ ７２１）の間に（ＷＴ Ａ、ＷＴ Ｃ、ＷＴ Ａ、ＷＴ Ｂ、ＷＴ Ｂ、ＷＴ Ｃ）にそれぞれ割当てられる。異なるＷＴ ３００（Ａ、Ｂ、Ｃ）はそれらの送信器３２４において異なるＤＣトーン自己干渉特性３２８を有する；その上、各ＷＴ ３００は異なるアップリンクＤＣトーン雑音特性を持つＢＳ ２００への異なる無線リンクを有するであろう。ＤＣアップリンク・トーンのＷＴユーザーはドウェルからドウェルへと変化するので、アップリンクＤＣトーンの特別な処理が本発明に従ってドウェル毎に実行され、そして各ドウェルはアップリンクの特別の処理に関して他のドウェルとは独立に取扱われる。勿論、基地局はどちらのＷＴユーザーが任意のドウェルにおいてアップリンクＤＣトーンを使用するかが判るので、基地局はＷＴユーザーによって使用される多数のドウェルにわたって所与のＷＴユーザーのＤＣトーン自己干渉を推定することができ、そしてＷＴユーザーはＷＴユーザーに割当てられた全てのドウェルにおけるアップリンクＤＣトーンにおいて特別な変調シンボルを必ずしも移送するとは限らない。
【００６０】
図８は本発明に従ってダウンリンクＤＣトーン処理を実行する基地局、例えば、図２のＢＳ ２００を動作させる例示的な方法のフローチャート８００である。ＤＬ ＤＣトーン処理の方法の動作はステップ８０２で始まり、そこでは基地局は電源が入り、初期化され、そして所定のダウンリンク・タイミング構造、例えば、繰返しダウンリンク・タイミング構造、及び一組のダウンリンク・トーン、例えば、一組の直交ダウンリンク・トーンを使用して動作を開始する。動作はステップ８０２からステップ８０４へ進む。ステップ８０４において、ＢＳはＤＬタイミング構造におけるシンボル時間区間インデックスがダウンリンクＤＣトーン・スキップ区間として指定されているかどうかに関して検査を行う。現在のシンボル時間区間がＤＬ ＤＣトーン・スキップ区間として指定されていれば、動作はステップ８０４からステップ８０６へ進み、そこではＢＳがＤＬ ＤＣトーンを除外するＤＬトーンの部分集合（subset）上の変調シンボルを伝送するために作動される。ステップ８０６におけるＤＬ ＤＣトーンの使用のこの意図的な除外によってＷＴ受信器はその受信器のＤＣトーンの自己干渉特性３２０を測定することが可能になる。ステップ８０４に戻って、現在のシンボル時間区間インデックスがＤＬ ＤＣトーン・スキップ区間として指定されなければ、動作はステップ８０８へ進み、そこでは基地局はダウンリンクＤＣトーンを含むダウンリンク・トーンの集合上の変調シンボルを伝送するために作動される；いくつかの変調シンボル値はゼロである。動作はステップ８０６またはステップ８０８のいずれかからステップ８１０へ進む。ステップ８１０において、シンボル時間インデックスがダウンリンク・タイミング構造における最後のシンボル時間インデックス値に等しいかどうかに関して検査が行われる。シンボル時間インデックスがダウンリンク・タイミング構造における最後のシンボル時間インデックス値に等しければ、動作はステップ８１２へ進む；そうでなければ、動作はステップ８１４へ進む。ステップ８１２において、基地局はシンボル時間区間インデックスをリセットするために作動される。ステップ８１４において、基地局はシンボル時間区間インデックスを増分させるために作動される。動作はステップ８１２またはステップ８１４からステップ８０４へ戻り、そこでは新しいシンボル時間区間インデックスがＤＬ ＤＣトーンスキップ区間として指定されるかどうかについて検査される。
【００６１】
図９は本発明に従ってアップリンクＤＣトーン処理を行うために基地局、例えば、図２のＢＳ ２００を動作させる例示的な方法のフローチャート９００である。ＵＬ ＤＣトーン処理の方法の動作はステップ９０２で始まり、そこでは基地局は電源が入り、初期化され、そして所定のアップリンク・タイミング構造、例えば、繰返しアップリンク・タイミング構造、及び一組のアップリンク・トーン、例えば、一組の直交アップリンク・トーンを使用して動作を開始する。動作はステップ９０２からステップ９０４へ進み、そこではＢＳはドウェル当たりＮ個のシンボル時間区間を使用してドウェル構造におけるドウェル・タイミング、及びシンボル・タイミング・インデックスを追跡するために作動される。各ドウェルについて、ステップ９０６〜９１４が実行される。ステップ９０６において、基地局はアップリンクＤＣトーンによって搬送された一組のＮ個の変調シンボルを受信し、各変調シンボルはドウェルの異なるシンボル・タイミング・インデックスと関係付けられる。動作はステップ９０６からステップ９０８へ進む。ステップ９０８において、基地局は、Ｎ−１個の変調シンボルの関数である特別な変調シンボルである、Ｎ個の変調シンボル中の一つを識別するために作動される。ステップ９０８において、基地局はデータ／情報、及び／または参照シンボル情報を搬送する他のＮ−１変調シンボルを識別するために作動される。例えば、いくつかの実施例において、他のＮ−１個の変調シンボルは最初のドウェルのＮ−１個のシンボル時間区間の間に通信され、そして特別な変調シンボルは最後のドウェルのシンボル時間区間の間に通信される。特別な変調シンボルの位置は最後のドウェルの位置である必要はないが、ドウェルの中のその場所は基地局と無線端末の両方にとって既知である。動作はステップ９０８からステップ９１０へ進み、そこでは基地局はＤＣオフセット補正を取得するためにＮ個の受信された変調シンボルの集合を処理するために作動される。例えば、一つの例示的な実施例（そこでは無線端末は該ドウェルの期間中にアップリンクＤＣトーン上で伝送されるＮ個の変調シンボルの加重和（weighted sum）をゼロに等しく設定する）において、基地局は該ドウェルに関してアップリンクＤＣトーン上の受信されたＮ個の変調シンボルの加重平均値を決定し、そして、その決定された平均値をＤＣオフセット補正として使用する。動作はステップ９１０からステップ９１２へ進む。ステップ９１２において、基地局はデータ／情報、及び／または参照シンボル情報を搬送する受信されたＮ−１個の変調シンボルからＤＣオフセット補正を取除くために作動される。動作はステップ９１２からステップ９１４へ進む。ステップ９１４において、基地局は、例えば、ＢＳ受信器の復号化器の中の復号化動作のために、処理されたＮ−１個の変調シンボルを転送するために作動される。
【００６２】
図１０は本発明に従ってダウンリンクＤＣトーン処理を実行するために無線端末、例えば、図３の例示的なＷＴ ３００を動作させる例示的な方法のフローチャートである。ＵＬ ＤＣトーン処理の方法の動作はステップ１００２で始まり、そこでは基地局は電源が入り、初期化され、そして所定のダウンリンク・タイミング構造、例えば、繰返しダウンリンク・タイミング構造、及び一組のアップリンク・トーン、例えば、一組の直交ダウンリンク・トーンを使用して動作を開始する。動作はステップ１００２からステップ１００４へ進む。ステップ１００４において、無線端末はそのＤＬ ＤＣトーンの自己干渉の補正値を初期値に設定する。例えば、初期値はゼロ、工場で記憶させられたキャリブレーション値、温度感度を含む工場で記憶させられたキャリブレーション・モデルから決定された値、または以前の電源オン状態（turn−on）からの記憶させられた情報の関数、例えば、使用された最後の記憶させられた自己干渉補正である。ステップ１００４の結果はＤＬ ＤＣトーン補正値１００６である。動作はステップ１００４からステップ１００８へ進み、そこでは無線端末がＯＦＤＭシンボルを受信するために作動される（前記シンボルは一組の変調シンボルを含み、一つの変調シンボルはダウンリンク・トーンの集合における各ダウンリンク・トーンと関連する）。動作はステップ１００８からステップ１０１０へ進む。ステップ１０１０において、無線端末はダウンリンク・タイミング構造における受信されたＯＦＤＭシンボルに対応するシンボル時間区間インデックスを決定するために作動される。動作はステップ１０１０からステップ１０１２へ進む。ステップ１０１２において、無線端末はダウンリンク・タイミング構造において決定された区間インデックスがダウンリンクＤＣトーン・スキップ区間として指定されたかどうかに関して検査をする。その区間がＤＬ ＤＣトーン・スキップ区間として指定されるならば、動作はステップ１０１４へ進む；そうでなければ、動作はステップ１０１５へ進む。ステップ１０１４において、無線端末はＤＬ ＤＣトーンに関する計測された変調シンボル情報をＤＣトーンの自己干渉補正モジュール１０１４へ送るために作動される。指定されたスキップされたＤＣトーン１０１６上で計測された情報はステップ１０１８へ送られるものとして図解される。動作はステップ１０１６からステップ１０１８へ進む。ステップ１０１８において、無線端末はＤＬ ＤＣトーンに対応する計測に基づいてＤＬ ＤＣトーンの自己干渉補正値を更新するために作動される。いくつかの実施例において、ブロック１０１６から得られた情報はＤＬ ＤＣトーンの補正値１００６の新しい値をもたらし、そして前のＤＬ ＤＣトーンの補正値に依存しない。いくつかの実施例において、部分ステップ１０２０はステップ１０１８の一部として実行される。部分ステップ１０２０において、無線端末は新しい補正値を取得するためにフィルタリング、例えば、平均化を行う。そのような実施例において、１０１８からの出力値は前の値、またはＤＬ ＤＣトーン補正値ブロック１００６からステップ１０１８への鎖線矢印およびステップ１０１８からブロック１００６への実線矢印によって示したＤ��� ＤＣトーン補正値である。
【００６３】
ステップ１０１２に戻ると、シンボル時間区間インデックスが指定されたＤＬ ＤＣトーンスキップ区間でなければ、動作はステップ１０１５へ進む。ステップ１０１５において、無線端末は現在のＤＬ ＤＣトーン補正値をＤＬ ＤＣトーン上で受信された変調シンボルから減算する。動作はステップ１０１５からステップ１０２２へ進む。ステップ１０２２において、無線端末は、復号化に関して、他の受信されたダウンリンク変調シンボルと共に、処理されたＤＬ ＤＣトーン変調シンボルを送るために作動される。
【００６４】
いくつかの実施例において、無線端末はシンボル時間区間内においてＤＬ ＤＣトーンがＷＴによって使用されるかどうか、例えば、ＷＴが復号することを望むＤＬセグメントにＤＬ ＤＣトーンが対応しているかどうかを判定する。ＤＬ  ＤＣトーンが考慮中のシンボル時間区間内でＷＴによって使用されていなければ、該方法のステップ１０１５、及び／またはステップ１０１６はスキップされる。
【００６５】
動作はステップ１０２２またはステップ１０１８のいずれかから接続ノードＡ １０２４を介してステップ１００８へ進み、そこでは無線端末は次のＯＦＤＭダウンリンク・シンボルを受信するために作動される。
【００６６】
図１１は本発明に従ってアップリンクＤＣトーン処理を実行するために、無線端末、例えば、図３の例示的なＷＴを動作させる例示的な方法のフローチャート１１００である。ＵＬ ＤＣトーン処理の方法の動作はステップ１１０２で始まり、そこでは基地局は電源が入り、初期化され、そして基地局と関係付けられた所定のアップリンク・タイミング構造、例えば、繰返しアップリンク・タイミング構造、及び基地局と関係付けられた一組のアップリンク・トーン、例えば、一組の直交アップリンク・トーンを使用して動作を開始する。動作はステップ１１０２からステップ１１０４へ進む。ステップ１１０４において、無線端末はドウェル当たりＮ個のシンボル時間区間を使用してドウェル構造におけるドウェル・タイミング、及び、シンボル・タイミング・インデックスを追跡するために作動される。動作はステップ１１０４からステップ１１０６へ進む。動作は各ドウェルについてステップ１１０６を経て進む。ステップ１１０６において、例えば、接続された基地局からのアップリンク・セグメントの割当、及び／またはアップリンク・ホッピング系列情報に基づいて、ＷＴがアップリンクＤＣトーンを使用するために割当てられたかどうかをＷＴは検査する。ＷＴが考慮中のドウェルに関してアップリンクＤＣトーンを使用するために割当てられていたならば、ＷＴは特別なアップリンクＤＣ処理を実行しなければならず、そして動作はステップ１１０６からステップ１１０８へ進む；そうでない場合は、ＷＴはこのドウェルの期間中に特別なアップリンクＤＣトーン処理を行う必要がなく、そして動作はステップ１１１４へ進む。
【００６７】
ステップ１１０８において、ＷＴアップリンクＤＣトーン処理モジュールはアップリンクＤＣトーンによって搬送されるべきデータ／情報、及び／または参照シンボル情報を搬送する一組のＮ−１個の変調シンボルを受信するために作動され、各変調シンボルは該ドウェルの異なるシンボル・タイミング・インデックスと関係付けられる。動作はステップ１１０８からステップ１１１０へ進み、そこでは無線端末はＮ−１個の受信された変調シンボルの関数である特別な変調シンボルを生成するために作動され、前記特別な変調シンボルはＮ−１個の変調シンボルの集合によって使用されないドウェルのシンボル・タイミング・インデックスと関係付けられる。例えば、一つの例示的な実施例（そこではＮ＝７である）において、該ドウェルの最初の６個の変調シンボルはＮ−１個の変調シンボルであり、そして該ドウェルの７番目の変調シンボルは特別な変調シンボルである。いくつかの例示的な実施例において、特別な変調シンボルを生成するために使用される前記関数はＮ−１個の変調シンボルの総和の負数である。動作はステップ１１１０からステップ１１１２へ進む。ステップ１１１２において、無線端末は、Ｎ−１個の変調シンボルの集合及び特別な変調シンボルの各変調シンボルを、各々が関係付けられた該ドウェルのシンボル・タイミング・インデックスの間に伝送するように作動される。動作はステップ１１１２からステップ１１１４へ進む。
【００６８】
ステップ 1 1 14 において、無線端末は該ドウェルの特別なアップリンクＤＣトーン処理を止める。無線端末が追加のドウェルのために動作する予定であるならば、動作はステップ１１０６へ戻る。
【００６９】
図１２はＲＦ１２０２におけるダウンリンク・トーンの例示的な集合、及びベースバンド１２０４におけるダウンリンク・トーンの対応する集合を図解する図１２００である。ＲＦは時として通過帯域（passband）と呼ばれる。横軸１２０６は周波数を示す。トーンは、例えば、ＯＦＤＭトーンであってもよい。トーン（１２０２、１２０４）の各集合は同じ数のトーンを含む。図１２の例では、例示を簡単にするために、１１個の連続するトーン（インデックス０・・・１０）がダウンリンク集合を構成するものとして示される。他の実施例において、異なる数のトーン、例えば１１３個のトーンがダウンリンク・トーン集合について使用されてもよい。ＲＦトーン集合１２０２はダウンリンク・キャリア周波数ｆCDL１２０８の周りに集中し、そしてＲＦ１２１０におけるダウンリンクＤＣトーンはトーン番号５である。ベースバンド・トーン集合１２０４はＤＣ（０Ｈｚ）１２１２の周りに集中し、そしてベースバンド１２１４におけるダウンリンクＤＣトーンはトーン番号５である。
【００７０】
図１３はベースバンド１３０２における例示的なアップリンク・トーンの集合及びＲＦ１３０４におけるアップリンク・トーンの対応する集合を図解する図１３００である。ＲＦは時として通過帯域と呼ばれる。横軸１３０６は周波数を示す。トーンは、例えば、ＯＦＤＭトーンであってもよい。トーン（１３０２、１３０４）の各集合は同じ数のトーンを含む。図１３の例では、例示を簡単にするために、１１個の連続するトーン（インデックス０・・・１０）がアップリンク集合を構成するものとして示される。他の実施例において、異なる数のトーン、例えば１１３個のトーンがアップリンク・トーン集合について使用されてもよい。ベースバンド・トーン集合１３０２はＤＣ（０Ｈｚ）１３０８の周りに集中し、そしてベースバンド１３１０におけるアップリンクＤＣトーンはトーン番号５である。ＲＦトーン集合１３０４はアップリンク・キャリア周波数ｆCUL１３１２の周りに集中し、そしてＲＦ１３１４におけるアップリンク ＤＣトーンはトーン番号５である。
【００７１】
様々な実施例において、ダウンリンク及びアップリンクの同時のシグナリングをサポートするならば、ダウンリンク・キャリア周波数ｆCDL１２０８はアップリンク・キャリア周波数ｆCUL１３１２とは異なり、そしてＲＦ １２０２におけるダウンリンク・トーンはＲＦ １３０４におけるアップリンクトーンとは重なり合わない。
【００７２】
図１４Ａはアップリンク・トーン、例えば、アップリンクＤＣトーンが一定数の連続するシンボル時間区間のドウェルに関して、一つの無線端末に割当てられようにアップリンク・トーンの割当構造が実施される本発明の例示的な実施例を図解する図１４００' である。いくつかの実施例において、いくつかのドウェルの期間中に、無線端末は所与のドウェルについて無線端末によって使用されるべき一または複数のトーンの一組を割当てられ、そしていくらかのドウェルの期間中において、アップリンクＤＣトーンは無線端末に割当てられたトーンの集合に含まれるかもしれず、一方、他のドウェルの期間中において、アップリンク ＤＣトーンは無線端末に割当てられたトーンの集合に含まれないかもしれない。縦軸１４０４' はトーン・インデックスにて表されたアップリンク周波数を図解し、一方、横軸１４０２' はＯＦＤＭシンボル時間区間インデックスにて表された時間を図解する。例示的なトーン５６ １４０６' はアップリンクＤＣトーンであり、そしてトーン５６は１１３個のトーンのアップリンク・トーン集合における中心トーンである可能性がある。１４個の連続するＯＦＤＭシンボル時間区間が（区間０ １４０８'、区間１ １４１０'、区間２ １４１２'、区間３ １４１４'、区間４ １４１６'、区間５ １４１８'、区間６ １４２０'、区間７ １４２２'、区間８ １４２４'、区間９ １４２６' 、区間１０ １４２８'、区間１１ １４３０'、区間１２ １４３２'、区間１３ １４３４' ）で示される。図１４Ａの例において、アップリンクＤＣトーン１４０６' はドウェル単位で割当てられ、そして連続する各ドウェルの期間内で異なる無線端末によって使用され、 この例におけるドウェルは７個の連続するＯＦＤＭシンボル時間区間を含む。本発明に従って実施される無線端末Ａは変調シンボル（Ｘ1 WTA 、Ｘ2 WTA、Ｘ3 WTA 、Ｘ4 WTA、Ｘ5 WTA、Ｘ6 WTA、Ｘ7 WTA）をそれぞれ搬送するために最初のドウェル、ＯＦＤＭ時間区間（区間０ １４０８'、区間１ １４１０'、区間２ １４１２'、区間３ １４１４'、区間４ １４１６'、区間５ １４１８'、区間６ １４２０'）の間にアップリンクＤＣトーン１４０６' を使う。変調シンボルＸ7 WTA は変調シンボル（Ｘ1 WTA、Ｘ2 WTA、Ｘ3 WTA、Ｘ4 WTA、Ｘ5 WTA、Ｘ6 WTA）の関数としてＷＴＡによって生成される。本発明に従って実施される無線端末Ｂは変調シンボル（Ｘ1 WTB、Ｘ2 WTB、Ｘ3 WTB、Ｘ4 WTB、Ｘ5 WTB、Ｘ6 WTB、Ｘ7 WTB）を搬送するために第二のドウェル、ＯＦＤＭ時間区間（区間７ １４２２'、区間８ １４２４'、区間９ １４２６'、区間１０ １４２８'、区間１１ １４３０'、区間１２ １４３２'、区間１３ １４３４'）の間にアップリンクＤＣトーン１４０６を使用する。変調シンボルＸ7 WTB は変調シンボル（Ｘ1 WTB、Ｘ2 WTB、Ｘ3 WTB、Ｘ4 WTB、Ｘ5 WTB、Ｘ6 WTB）の関数としてＷＴＢによって生成される。ＷＴＡ及びＷＴＢによって使用される関数は基地局にとって既知であり、且つ基地局によって使用され、本発明に従って実施され、アップリンク信号を受信し、処理する。例えば、該関数は、集合内の７個の変調シンボルの和がゼロに等しくなるようなものであってもよい。
【００７３】
図１４はアップリンク・トーンの割当構造が一定数の連続するシンボル時間区間のドウェルに関して一つの無線端末へのトーン割当として実施されないが、所与のトーンは異なる複数の無線端末を交互に織り混ぜられる方法で割当てられる本発明の例示的な実施例を図解する図１４００である。縦軸１４０４はトーン・インデックスにて表されたアップリンク周波数を図解し、一方、横軸１４０２はＯＦＤＭシンボル時間区間インデックスにて表された時間を図解する。例示的なトーン５６ １４０６はアップリンクＤＣトーンであり、そしてトーン５６は１１３トーンのアップリンク・トーン集合における中心トーンである。１４個の連続するＯＦＤＭシンボル時間区間は（区間０ １４０８、区間１ １４１０、区間２ １４１２、区間３ １４１４、区間４ １４１６、区間５ １４１８、区間６ １４２０、区間７ １４２２、区間８ １４２４、区間９ １４２６、区間１０ １４２８、区間１１ １４３０、区間１２ １４３２、区間１３ １４３４）で示される。図１４の例において、アップリンクＤＣトーン１４０６は連続するＯＦＤＭシンボル時間区間の各々において、異なる無線端末によって割当てられ、且つ使用される。本発明に従って実施される無線端末Ａは変調シンボル（Ｘ1 WTA、Ｘ2 WTA、Ｘ3 WTA、Ｘ4 WTA、Ｘ5 WTA、Ｘ6 WTA、Ｘ7 WTA）をそれぞれ搬送するためにＯＦＤＭ時間区間（区間０ １４０８、区間２ １４１２、区間４ １４１６、区間６ １４２０、区間８ １４２４、区間１０ １４２８、区間１２ １４３２）の間にアップリンクＤＣトーン１４０６を使用する。変調シンボルＸ7 WTA は変調シンボル（Ｘ1 WTA、Ｘ2 WTA、Ｘ3 WTA、Ｘ4 WTA、Ｘ5 WTA、Ｘ6 WTA、Ｘ7 WTA）の関数としてＷＴＡによって生成される。本発明に従って実施される無線端末Ｂは変調シンボル（Ｘ1 WTB、Ｘ2 WTB、Ｘ3 WTB、Ｘ4 WTB、Ｘ5 WTB、Ｘ6 WTB、Ｘ7 WTB）をそれぞれ搬送するためにＯＦＤＭ時間区間（区間１ １４１０、区間３ １４１４、区間５ １４１８、区間７ １４２２、区間９ １４２６、区間１１ １４３０、区間１３ １４３４）の間にアップリンクＤＣトーン１４０６を使用する。変調シンボルＸ7 WTB は変調シンボル（Ｘ1 WTB、
Ｘ2 WTB、Ｘ3 WTB、Ｘ4 WTB、Ｘ5 WTB、Ｘ6 WTB、Ｘ7 WTB）の関数としてＷＴＢによって生成される。ＷＴＡ及びＷＴＢによって使用される関数は基地局にとって既知であり、且つ基地局によって使用され、本発明に従って実施され、アップリンク信号を受信し、処理する。例えば該関数は、集合内の７個の変調シンボルの和がゼロに等しいようなものであってもよい。
【００７４】
異なる織り混ぜ構造が使用されてもよく、且つ／または、異なる数のＯＦＤＭシンボル時間区間（例えば、７以外）が無線端末に関する集合を形成してもよい。織り混ぜ構造の情報及びアップリンクＤＣトーン集合の形成情報はＷＴ及び基地局にとって既知である。例えば、ＷＴはアップリンクＤＣトーンを使用してＮ個のＯＦＤＭ変調シンボルを搬送するためにＮ個以上の連続するＯＦＤＭ時間区間の系列におけるＮ個のＯＦＤＭ時間区間の一組を使用し、そして指定されたＮ個のＯＦＤＭ時間区間の中の一つは他のＮ−１個の変調シンボルの関数である特別な変調シンボルを搬送するために使用される。該関数は集合中のＮ個の変調シンボルの和がゼロに等しいものである。Ｎ個の変調シンボルの系列における特別な変調シンボルの場所、例えば、ＯＦＤＭシンボル時間区間インデックスは、Ｎ個の変調シンボルの系列における他のＮ−１個の変調シンボルの場所と同様に無線端末及び基地局にとって既知である。
【００７５】
図１５及び図１６は本発明に従ってアップリンクＤＣトーンの特別な処理を利用する本発明の例示的な実施例の特徴を図解する。図１５はアップリンク・チャネル資源のセグメントへの例示的な分割を表す格子１５０２を含む図１５００である。説明１５０８はセグメントＡが左から右へ上がる対角線の陰影１５１０によって図解され、セグメントＢは左から右へ下がる対角線の陰影１５１２によって図解され、セグメントＣは点の陰影１５１４によって図解され、そしてセグメントは横線の陰影１５１６によって図解されていることを示す。縦軸１５０４は論理的（ホッピング前の）トーン指定を表し、一方、横軸１５０６はシンボル時間区間にて表される時間を表す。格子１５０２はホッピング前の指定を使用する７個のアップリンク・トーンを含む。アップリンク・トーン・ホッピング系列はホッピング前の指定をホッピング後の指定へ変換するために使用される。ホッピング前のトーン参照の指定において、アップリンクＤＣトーンは一つのドウェルから別のドウェルへと異なるホッピング前のトーンと関係付けられる。ホッピング後のトーン参照の指定において、アップリンクＤＣトーンは同じトーン、例えば、アップリンク・トーンの周波数帯域の中心トーンを占有する。横軸に沿って、格子１５０２はドウェルにさらに分割され、各ドウェル( ドウェル１ １５１８、ドウェル２ １５２０、ドウェル３ １５２２)は７個の連続するＯＦＤＭシンボル時間区間を含む。トーン・ホッピングはドウェル境界上で発生する可能性がある。例えば、５番目のホッピング前トーンのインデックスから６番目のホッピング前トーンのインデックスへ、それから２番目のホッピング前トーンのインデックスへとホッピングするように、指定されたアップリンクＤＣトーンが示されている。ドウェル１ １５１８の期間中において、アップリンクＤＣトーンはセグメントＡにおけるホッピング前インデックスが付されたトーンに対応する；ドウェル２ １５２０の期間中において、アップリンクＤＣトーンはセグメントＡにおける異なるホッピング前インデックスが付されたトーンに対応する；ドウェル３ １５２２の期間中において、アップリンクＤＣトーンは、セグメントＤによって使用され、別の異なるホッピング前インデックスが付されたトーンに対応する。
【００７６】
今、例示的な無線端末が通信すべきアップリンクのデータ／情報を持っており、そして、例えば、基地局のスケジューラによって、アップリンク・セグメントＡの使用を割当てられたと仮定しよう。無線端末はセグメントＡのトーン−シンボル、即ち、シンボル時間区間の区間に関するトーンを使用して通信されるべき変調シンボル（Ｚi ）中へ写像する符号ワード１５２４の中にデータ／情報を構築する。矢印１５２６はセグメントＡのトーン−シンボルに割当てられる変調シンボルを表す。セグメントＡは３つのドウェルのために利用される２個のホッピング前トーンを含む。ドウェル１ １５１８の期間中のセグメントＡのブロック１５３０と同様に、所与のドウェルの期間中のホッピング前トーンがアップリンクＤＣトーンであれば、本発明に従って、特別な処理が行われる。しかしながら、セグメントＡのブロック１５２８と同様に、所与のドウェルの期間中のホッピング前トーンがアップリンクＤＣトーンでなければ、特別な処理は行われない。
【００７７】
図１６は例示的なドウェル１６０６に関する二つの例示的なアップリンク・トーン（非ＤＣトーン１６０４及びＤＣトーン１６１０）の図解１６００である。ブロック１６０２はドウェル１６０６に関する非ＤＣトーン１６０４の７個のＯＦＤＭトーン・シンボルを含み、各トーン・シンボルは変調シンボル（Ｚ1、Ｚ2、Ｚ3、Ｚ4、Ｚ5、Ｚ6、Ｚ7）と関係付けられる。ブロック１６０８はドウェル１６０６に関するＤＣトーン１６１０の７個のＯＦＤＭトーン・シンボルを含み、各トーン・シンボルは変調シンボル（Ｚ8、Ｚ9、Ｚ10、Ｚ11、Ｚ12、Ｚ13、Ｚ14）と関係付けられる。ブロック１６０２は図１５のブロック１５２８を表し、一方、ブロック１６０８は図１５のブロック１５３０を表す。変調シンボル（Ｚ1、Ｚ2、Ｚ3、Ｚ4、Ｚ5、Ｚ6、Ｚ7、Ｚ8、Ｚ9、Ｚ10、Ｚ11、Ｚ12、Ｚ13、Ｚ14）は無線端末によってセグメントＡへ写像された符号ワード１５２４の変調シンボルを表す。
【００７８】
変調シンボル（Ｚ1、Ｚ2、Ｚ3、Ｚ4、Ｚ5、Ｚ6、Ｚ7）はホッピング系列情報によって決定されたとおりにホッピング後トーンのインデックスを使用して伝送のために送られ、使用されるトーンはアップリンクＤＣトーンではない。
【００７９】
本発明に従って、無線端末はＤＣトーン上で特別な処理を行う。変調シンボル（Ｚ8、Ｚ9、Ｚ10、Ｚ11、Ｚ12、Ｚ13）は変調シンボル（Ｘ1、Ｘ2、Ｘ3、Ｘ4、Ｘ5、Ｘ6 ) として指定される。変調シンボルＺ14 がブロック１６０８' で例示したように写像されたトーン・シンボルを表す箱を覆うＸによって例示したように変調シンボルＺ14 は打ち出される。無線端末は新しい変調シンボルＸ7 １６１０を生成する。ここで、Ｘ7 は（Ｘ1、Ｘ2、Ｘ3、Ｘ4、Ｘ5、Ｘ6）の関数で、（Ｘ1＋Ｘ2＋Ｘ3＋Ｘ4＋Ｘ5＋Ｘ6＋Ｘ７）＝０である。新しい変調シンボルはブロック１６０８" で図解したように打ち出された変調シンボルに置き換わる。変調シンボル（Ｚ8、Ｚ9、Ｚ10、Ｚ11、Ｚ12、Ｚ13、Ｘ7）はホッピング系列情報によって決定されるとおりにホッピング後トーンのインデックスを使用して伝送のために送られる（使用されるトーンはアップリンクＤＣトーンである）。
【００８０】
基地局はアップリンク・トーン上で搬送された変調シンボルを受信し、どちらのアップリンク・トーンがアップリンクＤＣトーンであるかを判定し、そしてアップリンクＤＣトーン上で搬送された変調シンボルの特別な処理を行う。例えば、基地局は打ち出され、且つ置き換えられた該ドウェルの変調シンボルを認識する；該ドウェルの７個の変調シンボルに関係する関数の知識および計測された情報はＤＣオフセットを補正するために、他の６個の受信された変調シンボルに対する調整を行うために基地局によって使用される。６個の補正され受信された変調シンボルは非ＤＣトーンを使用して搬送された他の変調シンボルと共に復号動作のために送られる。
【００８１】
様々な実施例において、ドウェル当たりのシンボル時間区間の数は７以外の値であり、そして該構造情報が無線端末及び基地局にとって既知であれば、ドウェルの中の打ち出し／置換の場所は異なる。例えば、一のドウェルは１つのＯＦＤＭ変調シンボルがＯＦＤＭシンボル時間区間毎にアップリンクＤＣトーン上で搬送される一組の連続するＮ個のＯＦＤＭ時間区間を備え、そしてＮ個のＯＦＤＭ時間区間の一つは他のＮ−１個の変調シンボルの関数である特別な変調シンボルを搬送するために使用される。Ｎ−１個の変調シンボルは一の符号ワードから写像された変調シンボルである。特別な変調シンボルは符号ワードからの打ち出され、写像された変調シンボルと置き換わる。該関数は、Ｎ−１個の変調シンボル、及び特別な置換の変調を含む集合内のＮ個の変調シンボルの合計がゼロに等しいようなものであってもよい。Ｎ個の変調シンボルの系列における特別な変調シンボルの場所、例えば、ＯＦＤＭシンボル時間区間インデックスは、該ドウェルのＮ個の変調シンボルの系列における他のＮ−１個の変調シンボルの各々の場所と同様に無線端末及び基地局にとって既知である。
【００８２】
図１７は本発明に従った例示的なアップリンクＤＣトーン信号、及び例示的な雑音成分の計算を図解する図１７００である。最初の列１７０２は４個のＯＦＤＭシンボル時間区間を含む例示的な一のドウェルにおけるＯＦＤＭシンボル時間区間を識別する。第２列１７０４は通信されるべき無線端末のベースバンド・シンボル値を含む。第３列１７０６は無線端末の通過帯域で伝送されるシンボル値を含む。第４列１７０８は基地局の通過帯域で受信されたシンボル値を含む。第５列１７１０は基地局で受信されたベースバンド・シンボル値を含む。第６列１７１２は基地局のベースバンドの復元されたシンボル値１７１２を含む。最初の行１７１４はＯＦＤＭシンボル時間区間１に対応する情報を含む；第２行１７１６はＯＦＤＭシンボル時間区間２に対応する情報を含む；第３行１７１８はＯＦＤＭシンボル時間区間３に対応する情報を含む；第４行１７２０はＯＦＤＭシンボル時間区間４に対応する情報を含む。
【００８３】
列１７０４を考察するに、無線端末は変調シンボル値（Ａ、Ｂ、Ｃ）、例えば、シンボル区間時間（１、２、３）にそれぞれ伝送されるべきデータ／情報または参照シンボル情報を搬送するシンボル値を写像した。変調シンボル値（Ａ、Ｂ、Ｃ）は符号ワードの一部である情報を含む。４番目の時間区間は他の３つの変調シンボル値（Ａ、Ｂ、Ｃ）の関数である特別な変調シンボルを搬送するために該ドウェルにおける特別な時間区間を指定した。いくつかの実施例において、例えば、符号ワード情報を含む変調シンボルは４番目のシンボル時間区間に通信されるためには全く写像されない。いくつかの実施例において、例えば、符号ワード情報を含む変調シンボルは４番目のシンボル時間区間に通信されるために写像されるが、他の３つの変調シンボル値の関数である特別な変調シンボル値によって破壊される。この例において、その関数は他の三個の値の和の負数である。特別な変調シンボル値はＤ＝−（Ａ＋Ｂ＋Ｃ）であり、そして列１７０４、行１７２０の記載欄に示したように４番目のシンボル時間区間に関するベースバンド・シンボル値である。
【００８４】
列１７０６を考察するに、無線端末の通過帯域で伝送されたシンボル値は無線端末のベースバンド・シンボル値＋Ｘとして表される。ここでＸは無線端末送信器のＤＣトーン雑音特有の誤差を表す。無線端末はベースバンド信号を通過帯域信号に変換する。送信器のＤＣトーン雑音特有の誤差はＷＴにおけるベースバンド対通過帯域の変換処理の一部としてもたらされる。アップリンク信号は無線リンク上で伝送され、そして基地局によって受信される。チャネル雑音は無線リンクでの伝送によってもたらされる。図１７において、チャネル雑音はＹとして表され、チャネル雑音は一つのシンボル時間区間から別のシンボル時間区間へと、例えば、他の源からもたらされる干渉の変化によって変化する。シンボル時間区間（１、２、３、４）において、チャネル雑音は（Ｙ1、Ｙ2、Ｙ3、Ｙ4）としてそれぞれ表される。
【００８５】
列１７０８は基地局における通過帯域で受信されたシンボル値を表す。例えば、シンボル時間区間１の間、受信された通過帯域の信号値は列１７０８、行１７１４の記載欄に示したようにＡ＋Ｘ＋Ｙ1 である。基地局は通過帯域信号をベースバンド信号に変換する。基地局は通過帯域信号からベースバンド信号への変換の結果として比較的小さな付加雑音をもたらすことが推測される。従って、 列１７１０に示したシンボル値、ベースバンドの受信されたシンボル値は列１７０８の通過帯域で受信されたシンボル値と同じである。
【００８６】
基地局は該ドウェルの４個のシンボル時間区間の間に受信されたシンボル値を計測する。基地局は所定の関数を使用して中間の雑音成分値を生成する。この例において、基地局は最初の３つのシンボル時間区間からの受信されたシンボル値の和の負数として中間の雑音成分値１７２２を生成する。中間の雑音成分値＝−（（Ａ＋Ｘ＋Ｙ1）＋（Ｂ＋Ｘ＋Ｙ2）＋（Ｃ＋Ｘ＋Ｙ3））である。基地局は４番目の受信されたシンボル値、すなわち、４個のシンボル値の所定の特別な一つから中間の雑音成分値を減算し、そして計算されたＤＣ雑音の信号成分値１７２４を生成するために減算の結果を１／４倍する；計算されたＤＣ雑音の信号成分値＝（（Ｄ＋Ｃ＋Ｙ4）−（−（（Ａ＋Ｘ＋Ｙ1）＋（Ｂ＋Ｘ＋Ｙ2）＋（Ｃ＋Ｘ＋Ｙ3））））／４である。欄１７２６はまた計算されたＤＣ雑音の信号成分値を表すが、Ｄ＝−（Ａ＋Ｂ＋Ｃ）であるので、計算されたＤＣ雑音値＝Ｘ＋（Ｙ1＋Ｙ2＋Ｙ3＋Ｙ4)／４であることを示す。
【００８７】
基地局は計算されたＤＣ雑音の信号成分値を最初の３つのＯＦＤＭシンボル時間区間に関する受信されたシンボル値の各々から減算することによって、最初の３つのＯＦＤＭシンボル時間区間に関するシンボル値を復元する。列１７１２は基地局の復元されたシンボル値を含む。例えば、列１７１２、行１７１６の記載欄に示したように、シンボル区間２において復元されたシンボル値＝（Ｂ＋Ｘ＋Ｙ2）−（Ｘ＋（Ｙ1＋Ｙ2＋Ｙ3＋Ｙ4）／４）である。本発明に従って、無線端末の送信器におけるベースバンド対通過帯域変換の間にもたらされるＤＣ雑音成分Ｘは該方程式の中で相殺され、そして除去された。その上、チャネル特性が該ドウェルの期間内で一定状態を維持するならば、チャネルの寄与Ｙもまた相殺され、そして除去されるであろう。チャネル特性が変動すれば、該ドウェルの期間中のチャネル特有のＤＣ雑音の平均量は除去される。
【００８８】
図２４は本発明に従って例示的なアップリンクＤＣトーン信号の別の集合及び例示的な雑音成分の計算を図解する図２４００である。最初の列２４０２は４個のＯＦＤＭシンボル時間区間を含む例示的な一のドウェルにおけるＯＦＤＭシンボル時間区間を識別する。第２列２４０４は通信されるべき無線端末のベースバンド・シンボル値を含む。第３列２４０６は無線端末の通過帯域で伝送されたシンボル値を含む。第４列２４０８は基地局の通過帯域で受信されたシンボル値を含む。第５列２４１０は基地局の受信されたベースバンド・シンボル値を含む。第６列２４１２は基地局のベースバンドの復元されたシンボル値１７１２を含む。最初の行２４１４はＯＦＤＭシンボル時間区間１に対応する情報を含む；第２行２４１６はＯＦＤＭシンボル時間区間２に対応する情報を含む；第３行２４７１８はＯＦＤＭシンボル時間区間３に対応する情報を含む；第４行２４２０はＯＦＤＭシンボル時間区間４に対応する情報を含む。
【００８９】
列２４０４を考察するに、無線端末は変調シンボル値（Ａ、Ｂ、Ｃ）、例えば、シンボル区間時間（１、２、３）にそれぞれ伝送されるべきデータ／情報または参照シンボル情報を搬送するシンボル値を写像した。変調シンボル値（Ａ、Ｂ、Ｃ）は符号ワードの一部である情報を含む。４番目の時間区間は他の３つの変調シンボル値（Ａ、Ｂ、Ｃ）の関数である特別な変調シンボルを搬送するために該ドウェルにおける特別な時間区間を指定した。いくつかの実施例において、例えば、符号ワード情報を含む変調シンボルは４番目のシンボル時間区間において通信されるためには全く写像されない。いくつかの実施例において、例えば、符号ワード情報を含む変調シンボルは４番目のシンボル時間区間において通信されるために写像されるが、他の３つの変調シンボル値の関数である特別な変調シンボル値によって破壊される。この例において、関数は、（ｉ）最初の変調シンボルの値の２倍、（ｉｉ）第２の変調シンボルの値、及び（ｉｉｉ）第３の変調シンボルの値の総和の負数である。特別な変調シンボル値Ｄ＝−（２Ａ＋Ｂ＋Ｃ）であり、そしてそれは列２４０４、行２４２０の記載欄に示したように４番目のシンボル時間区間に関するベースバンド・シンボル値である。
【００９０】
列２４０６を考察するに、無線端末の通過帯域で伝送されたシンボル値は無線端末のベースバンド・シンボル値＋Ｘとして表される。ここでＸは無線端末送信器のＤＣトーン雑音特有の誤差を表す。無線端末はベースバンド信号を通過帯域信号に変換する。送信器のＤＣトーン雑音特有の誤差はＷＴにおけるベースバンド対通過帯域の変換処理の一部としてもたらされる。アップリンク信号は無線リンク上に伝送され、そして基地局によって受信される。チャネル雑音は無線リンクでの伝送を介してもたらされる。図２４において、チャネル雑音はＹとして表され、チャネル雑音は一つのシンボル時間区間から別のシンボル時間区間へと、例えば、他の源からもたらされる干渉の変化によって変化する。シンボル時間区間（１、２、３、４）において、チャネル雑音は（Ｙ1、Ｙ2、Ｙ3、Ｙ4）としてそれぞれ表される。
【００９１】
列２４０８は基地局における通過帯域の受信されたシンボル値を表す。例えば、シンボル時間区間１において、受信された通過帯域の信号値は列２４０８、行２４１４の記載欄に示したようにＡ＋Ｘ＋Ｙ1 である。基地局は通過帯域信号をベースバンド信号に変換する。基地局は通過帯域信号からベースバンド信号への変換の結果として比較的小さな付加雑音をもたらすことが推測される。従って、 列２４１０に示したシンボル値、、すなわちベースバンドの受信されたシンボル値は列２４０８の通過帯域の受信されたシンボル値と同じである。
【００９２】
基地局は該ドウェルの４個のシンボル時間区間の間に受信されたシンボル値を計測する。基地局は所定の関数を使用して中間の雑音成分値を生成する。この例において、基地局は、（ｉ）最初のシンボル時間区間からの受信されたシンボル値の２倍、（ｉｉ）第２のシンボル時間区間からの受信されたシンボル値、及び（ｉｉｉ）第３のシンボル時間区間からの受信されたシンボル値の総和の負数として中間の雑音成分値２４２２を生成する；中間の雑音成分値＝−（２（Ａ＋Ｘ＋Ｙ1）＋（Ｂ＋Ｘ＋Ｙ2）＋（Ｃ＋Ｘ＋Ｙ3））である。基地局は４番目の受信されたシンボル値、すなわち４個のシンボル値の中の所定の特別な一つから中間の雑音成分値を減算し、そして計算されたＤＣ雑音の信号成分値２４２４を生成するために減算の結果を１／５倍する；計算されたＤＣ雑音信号成分値＝（（Ｄ＋Ｃ＋Ｙ4）−（−（（２Ａ＋２Ｘ＋２Ｙ1）＋（Ｂ＋Ｘ＋Ｙ2）＋（Ｃ＋Ｘ＋Ｙ3））））／５である。ボックス２４２６はまた、計算されたＤＣ雑音の信号成分値を表すが、Ｄ＝−（２Ａ＋Ｂ＋Ｃ）であるので、計算されたＤＣ雑音値＝Ｘ＋（２Ｙ1＋Ｙ2＋Ｙ3＋Ｙ4)／５であることを示す。
【００９３】
基地局は、計算されたＤＣ雑音信号成分値を最初の３つのＯＦＤＭシンボル時間区間に関する受信されたシンボル値の各々から減算することによって、最初の３つのＯＦＤＭシンボル時間区間に関するシンボル値を復元する。列２４１２は基地局の復元されたシンボル値を含む。例えば、列２４１２、行２４１６の記載欄に示したように、シンボル区間２の期間内に復元されたシンボル値＝（Ｂ＋Ｘ＋Ｙ2）−（Ｘ＋（２Ｙ1＋Ｙ2＋Ｙ3＋Ｙ4）／５）である。本発明に従って、無線端末の送信器におけるベースバンド対通過帯域の変換の間にもたらされるＤＣ雑音成分Ｘは該方程式の中で相殺され、そして除去された。その上、チャネル特性が該ドウェルの期間内において一定状態を維持するならば、チャネルの寄与Ｙもまた相殺され、そして除去されるであろう。チャネル特性が変動すれば、変動レベルは除去されるチャネル雑音の量を決定する際の要因であろう。
【００９４】
本発明に従って、該ドウェルの特別な変調シンボルを他の変調シンボルと関係づける関数の多数の変形は可能である。そのような例示的な関数はスケーラー、及び／またはオフセットを含む。例えば、オフセットは特別な変調シンボルを生成するために付加され、そして復元処理の間に基地局によって除去される。例えば、一つの例示的な関数はＤ＝−（Ａ＋Ｂ＋Ｃ）＋Ｅである。ここで、Ｄは４番目のシンボル時間区間の間に通信されるべき特別な変調シンボルの値であり、（Ａ、Ｂ、Ｃ）は（第１の、第２の、第３の）シンボル時間区間の間に通信されるべき符号化データを表す変調シンボルであり、そしてＥは無線端末と基地局の両方にとって既知の参照オフセット値である。
【００９５】
図１８は本発明に従って周波数分割多重システムにおいて基地局を動作させる例示的な方法のフローチャート１８００であり、ここで、信号は通過帯域において基地局によって伝送され、そして無線端末によって前記通過帯域信号をベースバンド信号に変換するために受信され、且つ処理される（ＤＣトーンは前記ベースバンドに存在し、そして対応するトーンは前記通過帯域に存在し、通過帯域は前記対応トーンに加えて追加のトーンを含む）。基地局は本発明に従って実施される例示的な基地局、例えば、図２のＢＳ ２００であってもよい。いくつかの実施例において、例示的なシステムは直交周波数分割多重（ＯＦＤＭ）システムである。様々な実施例において、少なくとも１００個の追加トーンがある。
【００９６】
動作は開始ステップ１８０２で始まり、そこでは基地局は電源が入り、そして初期化される。いくつかの実施例において、基地局は予め定義されたダウンリンク・タイミング構造情報を用いて動作するために初期化される。動作は開始ステップ１８０２からステップ１８０４へ進み、そこでは基地局は前記対応トーン上で伝送することなく前記追加のトーンを使用して前記通過帯域における最初の時間周期の間にデータを伝送するために作動される。動作はステップ１８０４からステップ１８０６へ進む。ステップ１８０６において、基地局は前記追加のトーン及び前記対応トーンの双方を同時に使用して前記通過帯域における第二の時間周期の間にデータを伝送するために作動される。動作はステップ１８０６からステップ１８０４へ進み、そこでは更なる最初の時間周期における伝送が起こる。
【００９７】
いくつかの実施例において、最初及び第二の時間周期は相互に一定のタイミング関係があり、そして、定期的に繰り返す。様々な実施例において、第二の時間周期は最初の時間周期より少なくとも１０倍長い。
【００９８】
図１９は本発明に従って周波数分割多重システムにおいて無線端末を動作させる例示的な方法のフローチャート１９００であり、そこでは、信号は通過帯域において基地局によって伝送され、そして無線端末によって前記通過帯域の信号をベースバンド信号に変換するために受信され、且つ処理される（ＤＣトーンは前記ベースバンドに存在し、そして対応するトーンは前記通過帯域に存在し、該通過帯域は前記対応トーンに加えて追加のトーンを含む）。無線端末は本発明に従って実施される例示的な無線端末、例えば、図３のＷＴ ３００であってもよい。いくつかの実施例において、例示的なシステムは直交周波数分割多重（ＯＦＤＭ）システムである。様々な実施例において、少なくとも１００個の追加のトーンがある。
【００９９】
動作は開始ステップ１９０２で始まり、そこでは基地局は電源が入り、そして初期化される。いくつかの実施例において、無線端末は基地局及び無線端末にとって既知の予め定義されたダウンリンク・タイミング構造情報を使用して動作するために初期化され、そして無線端末は基地局のダウンリンクのシグナリングのタイミングと同期するために作動される。動作は開始ステップ１９０２からステップ１９０４へ進み、そこでは無線端末は通過帯域信号、すなわちダウンリンク通過帯域信号１９０６を受信するために作動される。動作はステップ１９０４からステップ１９０８へ進む。
【０１００】
ステップ１９０８において、無線端末は、ステップ１９０４の受信された信号に対応する時間区間が、ＤＣトーン雑音の計測周期またはデータ周期であるかについて検査する。時間区間がＤＣトーン雑音の計測周期であれば、動作はステップ１９０８からステップ１９１０へ進む；しかしながら、時間区間がデータ周期であれば、動作はステップ１９０８からステップ１９２２へ進む
ステップ１９１０において、無線端末は前記受信された通過帯域の信号をベースバンド信号に変換するように作動される（ＤＣトーンは前記ベースバンドに存在し、ＤＣトーンは前記通過帯域信号における対応するトーンに対応し、通過帯域信号は追加の通過帯域トーンに対応する追加のベースバンド・トーンを含む）。動作はステップ１９１０からステップ１９１２及びステップ１９１４へ進む。ステップ１９１２において、無線端末はＤＣ雑音の計測値１９１６を生成するためにＤＣトーンの計測周期の間に前記ＤＣトーン上で信号計測を行うために作動される。ステップ１９１４において、無線端末は前記ＤＣ雑音の計測の間に前記追加のベースバンド・トーンからのデータを復元するために作動される。動作はステップ１９１２及びステップ１９１４からステップ１９０４へ進み、そこで無線端末は追加の通過帯域信号を受信する。動作はステップ１９１２からステップ１９１８にも進み、そこでＤＣ雑音の計測値１９１６が受信される。いくつかのＤＣ雑音の計測値１９１６は異なる複数のＤＣ雑音計測周期からステップ１９１８へ送られる。ステップ１９１８において、無線端末は平均のＤＣ雑音計測値１９２０を生成するために異なる複数のＤＣ雑音計測周期に対応する複数のＤＣ雑音計測値を平均化するために作動される。いくつかの実施例において、異なる技術、例えば、フィルタリング、重み付け平均化、等々といった技術が平均ＤＣ雑音測定値１９２０の代わりにＤＣ雑音の計測補正値を生成するためにステップ１９１８の平均化の代わりに用いられる。
【０１０１】
ステップ１９０８に戻って、ステップ１９０４の受信された通過帯域信号に対応する時間区間がデータ周期であると仮定すると、動作はステップ１９２２へ進む。ステップ１９２２において、無線端末は前記受信された通過帯域信号を前記ＤＣトーン及び前記追加のトーン上の同時に受信されたデータを含むベースバンド信号に変換するために作動される。動作はステップ１９２２からステップ１９２４及びステップ１９２６へ進む。
【０１０２】
ステップ１９２４において、無線端末は前記ＤＣトーン上で伝送されたデータを復元するために作動される。ステップ１９２４は部分ステップ１９２８及び部分ステップ１９３０を含む。部分ステップ１９２８において、無線端末は前記ＤＣトーンから平均のＤＣ雑音計測値１９２０を減算するために作動される。動作はステップ１９２８からステップ１９３０へ進む。ステップ１９３０において、無線端末は減算の結果から伝送シンボル値を決定するために作動される。データは決定した伝送シンボル値から復元される。
【０１０３】
ステップ１９２６において、無線端末は前記追加のベースバンド・トーンからデータを復元するために作動される。動作はステップ１９２４及びステップ１９２６からステップ１９０４へ進み、そこで、無線端末は追加の通過帯域信号を受信する。
【０１０４】
いくつかの実施例において、前記雑音計測周期の間、対応するトーンは伝送電力を全く運ばない。様々な実施例において、データ周期は前記ＤＣ雑音計測周期より少なくとも１０倍長く、そして少なくとも１０個のシンボルが前記ＤＣトーン上で前記データ周期において復元される。
【０１０５】
図２０は無線端末がＤＣベースバンド・トーンに対応する対応通過帯域トーンを使用する時間周期（前記時間周期はＮ個のシンボル伝送時間周期を含む）にデータを基地局に伝送するために、本発明に従って無線端末を動作させる例示的な方法のフローチャート２０００である。無線端末は本発明に従って実施される例示的な無線端末、例えば、図３のＷＴ ３００であってもよい。いくつかの実施例において、無線端末は例示的な周波数分割多重システム、例えば、直交周波数分割多重（ＯＦＤＭ）システム上の一部である。様々な実施例において、ＤＣベースバンド・トーンに対応する対応通過帯域トーンに加えてアップリンク・シグナリングのためにシステムに使用される少なくとも１００個の追加の通過帯域トーンがある。
【０１０６】
動作は開始ステップ２００２に始まり、無線端末は電源がオンにされ、初期化され、そして無線端末がＮ個のシンボル伝送時間周期を含む時間周期に関するＤＣベースバンド・トーンに対応する対応通過帯域トーンを使用すべきことを決定した。いくつかの実施例において、無線端末は基地局及び無線端末にとって既知の予め定義されたアップリンク・タイミング構造情報を使用して動作するために初期化され、そして無線端末はアップリンク・シグナリングのタイミングに関して基地局と同期するために作動されてもよい。いくつかの実施例において、一組のトーンはアップリンク・スケジューリング情報の関数として所与の時間周期においてアップリンク・シグナリングのために基地局によって無線端末に割付けられ、割付けられた前記集合はベースバンドＤＣトーンに対応する通過帯域トーンを含む。アップリンク・シグナリングのためのベースバンド・トーンに対応する通過帯域トーンは無線端末に割付けられたことを仮定するならば、動作はステップ２００２からステップ２００４へ進む。
【０１０７】
ステップ２００４において、無線端末のアップリンクＤＣトーン・モジュールはＤＣベースバンド・トーンに対応する対応通過帯域トーンを使用してＮ個のシンボル伝送時間周期の間に伝送されるＮ−１個のシンボル値の順序付けられた（ordered）集合を受信するために作動される。動作はステップ２００４からステップ２００６へ進み、そこで無線端末はＮ−１個のシンボル値の関数であるシンボル値を計算するために作動される。例えば、Ｎ−１個のシンボル値の関数であるシンボル値はＮ個のシンボル値の負数の和がゼロに等しいような関数である。動作はステップ２００６からステップ２００８へ進む。
【０１０８】
ステップ２００８において、無線端末はＮ個のシンボル伝送時間区間の集合内の現在のシンボル伝送時間区間が他のＮ−１個のシンボル値の関数であるシンボル値の伝送のために指定された区間であるかどうかを判定するために作動される。無線端末と基地局の両方にとって既知のタイミング構造情報はステップ２００８の判定を実行するにおいて無線端末によって使用される。例えば、いくつかの実施例において、他のＮ−１個のシンボル値の関数である特別なシンボル値はＮ個の伝送時間区間の集合内の固定された所定の場所、例えば、Ｎ番目の場所において伝送される。現在のシンボル伝送時間区間がＮ−１個のシンボル値の関数である特別なシンボル値の伝送のために指定された区間であれば、動作はステップ２０１０へ進む；そうでなければ、動作はステップ２０１２へ進む。
【０１０９】
ステップ２０１０において、無線端末はＮ個のシンボル伝送時間区間の残りのＮ−１個のシンボル伝送時間周期の間に伝送されたＮ−１個のシンボル値の関数であるシンボル値を伝送するために作動される。ステップ２０１２において、無線端末はＮ−１個のシンボル値の順序付けられた集合の次のシンボル値を伝送するために作動される。動作はステップ２０１０またはステップ２０１２のどちらか一方からステップ２０１４へ進む。ステップ２０１４において、無線端末は、ＤＣベースバンド・トーンに対応する対応通過帯域トーン上の伝送に指定されたＮ個のシンボル値が伝送されたかどうかを検査するために作動される。Ｎ個のシンボル値が伝送されていたならば、Ｎ個のシンボル時間周期を含む時間周期は完了しており、そして動作はステップ２００４へ進み、そこでは無線端末は別のＮ個のシンボル伝送時間周期を含む別の時間周期に関するＤＣベースバンド・トーンに対応する対応トーンを割当てられるのを待ち、そして前記対応トーンを使用して伝送されるべきＮ−１個のシンボル値の順序付けられた集合を受信するのを待つ。Ｎ個のシンボル値が伝送されていなかったならば、Ｎ個のシンボル時間周期を含む時間周期は完了しなかったということであり、そして無線端末はＮ個のシンボル時間区間の集合の中の次のシンボル伝送時間区間に移動し、 且つステップ２００８へ進み、そこでは無線端末は現在のシンボル伝送時間区間が他のＮ−１個のシンボル値の関数であるシンボル値の伝送のために指定された区間であるかどうかを検査する。
【０１１０】
図２１は本発明に従ってアップリンク・ベースバンド・トーンに対応するアップリンク通過帯域トーン上の同じ無線端末からのＮ個のシンボル値の系列を受信するために基地局を動作させる例示的な方法のフローチャート２１００である。基地局は本発明に従って実施される例示的な基地局、例えば、図２のＢＳ ２００であってもよい。いくつかの実施例において、例示的なシステムは周波数分割多重システム、例えば、直交周波数分割多重（ＯＦＤＭ）システムである。様々な実施例において、アップリンクＤＣトーンに加えてシステムに使用される少なくとも１００個の追加のアップリンク・トーンがある。動作は開始ステップ２１０２で始まり、そこで基地局は電源が入り、そして初期化される。基地局は所定のタイミング構造情報を用いて動作するために初期化され、無線端末から登録信号を受取ってもよく、そして資源を無線端末に割付けてもよい。動作は開始ステップ２１０２からステップ２１０４へ進む。
【０１１１】
ステップ２１０４において、基地局はベースバンドＤＣトーンに対応する通過帯域トーン上のＮ個のシンボル値の各々を受信するために作動され、 Ｎ個のシンボル値の一つは各々のＮ個のシンボル伝送時間周期の一つの間に受信され、所定のＮ個のシンボル値の一つはＮ個のシンボル値の前記系列における所定の場所に発生し、所定のＮ個のシンボル値の一つはＤＣトーン雑音値を通信し、残りのＮ−１個の受信されたシンボル値は情報値を通信する。アップリンク信号を伝送する無線端末はまたＮ個のシンボルの系列に関して所定の場所情報を知っており、そして使用する。Ｎ個の受信されたシンボル値は同じ無線端末によって伝送されている。いくつかの実施例において、受信されたＮ個のシンボル伝送時間周期は連続しており、そして一のドウェルに対応する。動作はステップ２１０４からステップ２１０６へ進む。
【０１１２】
ステップ２１０６において、基地局は通信された情報値と関係付けられたＮ−１個の受信されたシンボル値の集合、及び所定の関数から中間の雑音成分値を生成するために作動される。いくつかの実施例において、所定の関数はＮ−１個の受信されたシンボル値の和の負数である。動作はステップ２１０６からステップ２１０８へ進む。
【０１１３】
ステップ２１０８において、基地局はＮ個の受信されたシンボル値の集合からＤＣ信号の雑音成分値を計算するために作動される。ステップ２１０８は部分ステップ２１１０及び部分ステップ２１１２を含む。部分ステップ２１１０において、基地局はＤＣ雑音値を通信する所定の受信されたＮ個のシンボル値の一つから中間の雑音成分値を減算するために作動される。ステップ２１１２において、基地局は前記計算されたＤＣ雑音値を造出するために部分ステップ２１１０の減算の結果をスケールするために作動される。いくつかの実施例において、スケーリングのステップは前記減算の結果を所定の一定値、例えば、Ｎの値で割算することを含む。動作はステップ２１０８から２１１４へ進む。
【０１１４】
ステップ２１１４において、基地局はＮ−１個の受信されたシンボル値の各々からＤＣ雑音成分値を減算することによってＮ−１個のシンボル値を復元するために作動される。動作はステップ２１１４からステップ２１０４へ進み、そこでは基地局はベースバンドＤＣトーンに対応する通過帯域トーンの上のＮ個のシンボル値の別の集合を受信する。様々な実施例において、異なる無線端末は異なる時間、例えば、異なるドウェルにおいてアップリンク・ベースバンドＤＣトーンに対応するアップリンク通過帯域を使用するために割当てられる。
【０１１５】
いくつかの実施例において、Ｎ個のシンボル時間周期は連続する時間周期であり、そしてＤＣトーンは少なくとも幾つかの後続するＮ個のシンボル伝送時間周期に関して、直後のＮ個のシンボル伝送時間周期の集合内で、異なる無線端末によって使用される。例えば、様々な実施例において、基地局のセグメント割付けはどちらの無線端末がＮ個のシンボル時間周期の連続する集合に関してＤＣトーンを割付けられるかを決定する。いくつかの実施例において、アップリンクＤＣトーンはＮ個のシンボル時間周期の連続する集合に関して、例えば、交互に異なるＷＴに割当てられる。
【０１１６】
いくつかの実施例において、アップリンク・ベースバンドＤＣトーンに対応するアップリンク通過帯域トーンの使用は二以上の無線端末の間で織り混ぜられる。そのような実施例において、基地局はステップ（２１０４、２１０６、２１０８、２１１４）の２以上の実施を、例えば、並行して行う。各実施はＮ個の伝送シンボルの一つの系列についてアップリンク・ベースバンドＤＣを使用する異なる無線端末に対応し、ここで一つのＷＴに関してＮ個の伝送シンボルの該系列と関係付けられる時間区間は別のＷＴと関係付けられたＮ個の伝送シンボルの系列と関係付けられた時間系列と、例えば、部分的に重なり合う。
【０１１７】
図２２は少なくとも一つのトーン割付け時間周期を含む時間周期にわたって符号ワードの少なくとも一部を伝送するために無線端末を動作させる例示的な方法のフローチャート２２００であり、前記トーン割付け時間周期はＮ個のシンボル伝送時間周期を含み、前記無線端末は前記トーン割付け時間周期における前記Ｎ個のシンボル伝送時間周期の各々において同一である少なくとも一組のトーンを割付けられ、トーンの前記集合は少なくともＤＣトーンを含む。無線端末は本発明に従って実施される例示的な無線端末、例えば、図３のＷＴ ３００であってもよい。いくつかの実施例において、無線端末は周波数分割多重システム、例えば、直交周波数分割多重（ＯＦＤＭ）システムにおける複数の無線端末の一つであり、その中で無線端末はアップリンク信号を基地局へ伝送する。様々な実施例において、一つのトーン割付け周期に関して一つの無線端末に割付けられたトーンの集合はシステムにおいて使用されるアップリンク・トーンの集合の部分集合であり、前記アップリンク・システムの集合はＤＣトーンに加えて少なくとも１００個の追加のトーンを含む。
【０１１８】
動作は開始ステップ２２０２で始まり、そこで無線端末は電源がオンにされ、そして初期化される。いくつかの実施例において、無線端末は基地局及び無線端末にとって既知の予め定義されたアップリンク・タイミング構造情報を使用して動作するために初期化され、そして無線端末はアップリンク・シグナリングのタイミングに関して基地局と同期するために作動される。いくつかの実施例において、割付けられたトーンの集合はアップリンク・スケジューリング情報の関数として基地局によって無線端末に割付けられる。動作は開始ステップ２２０２からステップ２２０４へ進む。
【０１１９】
ステップ２２０４において、無線端末はＤＣトーンを使用してＮ−１個のシンボル伝送時間周期の各々一つの間に伝送されるべき符号ワードの前記一部から符号語ビットのＮ−１個の異なる集合を割付けるために作動される。動作はステップ２２０４からステップ２２０６へ進む。トーン割当周期の間、そこでは無線端末へ割付けられたトーンの集合はＤＣトーンに加えてＭ個の追加の非ＤＣトーンを含み、動作はまた開始ステップ２２０２からステップ２２１４へ進む。
【０１２０】
ステップ２２０６において、無線端末は伝送されるべきＮ−１個のシンボル値を生成するために作動される（伝送されるべき各々のＮ−１個のシンボル値は符号ワード・ビットのＮ個の集合の中の対応する一つから生成される）。動作はステップ２２０６からステップ２２０８へ進む。ステップ２２０８において、無線端末は伝送されるべきＮ番目のシンボル値を生成するために作動され、該生成は伝送されるべき前記Ｎ−１個のシンボルの関数として所定の方法で実行される。いくつかの実施例において、伝送されるべき生成されたＮ個のシンボル値は合計がゼロになる。動作はステップ２２０８からステップ２２１０へ進む。
【０１２１】
ステップ２２１０において、無線端末は、前記Ｎ個のシンボル伝送時間周期の中の別の一つの間にＤＣトーンを使用してＮ−１個のシンボル値の各々、及びＮ番目のシンボル値を伝送するために作動される。いくつかの実施例において、Ｎ番目のシンボル値は前記ＤＣトーンを使用して、Ｎ個のシンボル伝送時間周期の中の所定の一つにおいて伝送される。例えば、Ｎ番目のシンボル値はＮ個のシンボル伝送時間周期の集合の中の最後のシンボル伝送時間周期において伝送されることが可能であり、そしてその所定の場所は無線端末及び基地局にとって既知である。動作はステップ２２１０からステップ２２１２へ進む。
【０１２２】
ステップ２２１４に戻って、ステップ２２１４において、無線端末は割付けられたトーンの集合からのＭ個の非ＤＣの割付けられたトーンの一つを使用して、Ｎ個のシンボル伝送時間周期の各々の間に伝送されるべき符号ワードの前記一部からの符号ワード・ビットの追加のＮ個の異なる集合を割付けるために作動される。動作はステップ２２１４からステップ２２１６へ進む。
【０１２３】
ステップ２２１６において、無線端末は伝送されるべきＮ個の追加のシンボル値を生成するために作動され、伝送されるべきＮ個の追加のシンボル値の各々は符号ワード・ビットの追加のＮ個の異なる集合の中の対応する一つから生成される。動作はステップ２２１６からステップ２２１８へ進む。
【０１２４】
ステップ２２１８において、無線端末は前記Ｎ個のシンボル伝送時間周期の中の別の一つの間にＭ個の非ＤＣの割付けられたトーンの一つを使用してＮ個の追加のシンボル値の各々を伝送するために作動される。ステップ２２１８の動作は、実行されるとき、ステップ２２１０の動作と並行して実行される。動作はステップ２２１８からステップ２２１２へ進む。
【０１２５】
割付けられたトーンの集合がアップリンク伝送のために使用すべき一以上の非ＤＣトーンを含むならば、ステップ（２２１４、２２１６、２２１８）の複数のフローは、例えば、割付けられた非ＤＣトーンの各々について一つの割合でを実行されてもよい。
【０１２６】
ステップ２２１２において、無線端末は別のトーン割付け時間周期、例えば、前記トーン割付け周期の直後に続く次のトーン割付け周期の間に、使用すべきＤＣトーンを割付けられたかどうかを検査する。無線端末が別のトーン割付け時間周期に関してＤＣトーンを割付けられていたならば、動作はステップ２２０４へ進み、そして非ＤＣトーンがまた割付けられていたならば、ステップ２２１４へ進む。しかしながら、無線端末が、考慮中の別のトーン割付け周期の間にアップリンク・シグナリングに関してＤＣトーンを使用するために割付けられなかったならば、動作はステップ２２２０へ進み、そこで無線端末は特別なアップリンクＤＣトーン処理を除く処理を実行するために作動される。例えば、無線端末が考慮中の別のトーン割付け周期に関してＤＣトーンを除外するアップリンク・シグナリングに関して一組のトーンを使用するために割付けられれば、ステップ２２１４、２２１６、２２１８と同様の動作が実行される。
【０１２７】
図２５は本発明に従って実施される例示的な基地局２５０２、及び例示的な無線端末（２５２４、２５２６、２５２８）を例示する図２５００である。例示的な基地局２５０２は同じセクタにおいて３つのトーン・ブロックを使用する、例えば、一のネットワーク接続点に各トーン・ブロックが対応している基地局である。ネットワーク接続の各点について、複数の稼働中の無線端末ユーザーが維持され、且つサービスされてもよい。基地局２５０２は例えば、３つのセクターをサポートする基地局であり、各セクターは、３つのトーン・ブロックに対応する３つのネットワーク接続点を各々サポートしている。基地局２５０２は基地局によってサポートされた各セクタに関して基地局セクタ・モジュール２５０４を含む。基地局セクタ・モジュール２５０４はダウンリンク・タイミング系列モジュール２５０６、ＷＴベースバンドＤＣトーンに対応するトーンのための制御モジュール２５０８、トーン・ブロック３個分の幅のベースバンドのＯＦＤＭシンボル生成モジュール２５１０、ベースバンド対通過帯域変換モジュールと出力送信器段２５１２、及び送信アンテナ２５１４を含む。ダウンリンク・タイミング系列モジュール２５０６はダウンリンク・タイミングにおける現在のタイミング、及び基地局によって維持される（例えば、定期的に繰り返す）周波数構造に関して制御モジュール２５０８、及び／またはシンボル生成モジュール２５１０に信号を送る。制御モジュール２５０８はＤＣトーン制御情報２５１６を含む。どちらのトーンが、そしてダウンリンク・タイミング構造における何時の時点で伝送がそれらの各々のトーン上で発生すべきでないかをＤＣトーン制御情報２５１６は識別する。識別されたトーンは、一つのトーン・ブロック、例えば、トーン・ブロックＡ、トーン・ブロックＢ、またはトーン・ブロックＣを受信するために同調されたＷＴ受信器から見たベースバンドＤＣトーンに対応する。いくつかの実施例において、識別された各々のトーンは同時に伝送を一時停止するために制御される。他の実施例において、異なる複数のトーン・ブロックからの識別トーンは、異なる複数の時点で伝送を一時停止するために制御されるであろう。モジュール２５０８からの制御信号はベースバンドＯＦＤＭシンボル生成モジュール２５１０に入力される。
【０１２８】
ベースバンド・シンボル生成モジュール２５１０はベースバンドＯＦＤＭシンボル信号２５１８を生成し、各ＯＦＤＭシンボル信号はトーン・ブロック３個分の幅の周波数幅、例えば、３３９個の連続するベースバンド・トーンを含む。モジュール２５０８からの制御情報はダウンリンク・タイミング構造における特定の時間に特定のトーンと関係付けられた電力レベルをゼロにするためにシンボル生成モジュールによって使用され、このようにして無線端末受信器がＤＣトーンに対応する自己雑音を計測する機会を提供する。ベースバンドＯＦＤＭシンボル信号２５１８はベースバンド／通過帯域変換モジュール及び出力送信器出力段２５１２に入力される。モジュール２５１２はベースバンド信号をダウンリンク・キャリア周波数ｆDLC２５２０と混合し、そして通過帯域信号２５２２としてアンテナ２５１４を経由してそれが送信する信号を増幅する（通過帯域信号は３３９個のベースバンド信号に対応する３３９個のトーンを含む）。
【０１２９】
ＷＴ１ ２５２４はトーン・ブロックＡの１１３個のトーンを含む通過帯域信号２５２２の最初の部分を受信するためにｆA に同調される。ＷＴ２ ２５２６はトーン・ブロックＡの１１３個のトーンを含む通過帯域信号２５２２の第二の部分を受信するためにｆB に同調される。無線端末３ ２５２８はトーン・ブロックＣの１１３個のトーンを含む通過帯域信号２５２２の第三の部分を受信するためにｆC に同調される。各ＷＴの視点から、そのベースバンドＤＣトーンは伝送されつづけないように定期的に制御され、このようにしてＷＴがそのＤＣトーンに対応する雑音レベルのキャリブレーションを行うことを可能にし、そしてダウンリンク信号を通信するためにＤＣトーンを有益なものとする。本発明に従って、この手法はダウンリンクの容量を増大させる。この手法は、ＷＴのダウンリンクＤＣトーンに対応するトーンが情報を通信するために使用されず、或いはＷＴのダウンリンクＤＣトーンに対応するトーン上で通信される情報が雑音と関係付けられた不確実性によって典型的には無視されるような既知の実施とは対照的である。
【０１３０】
図２６〜３１は図２５に例示された例示的な実施例に照らして考察されるべきである。図２６は例示的な基地局セクタ送信器のベースバンドにおけるダウンリンク・トーン集合２６０２を例示する図２６００を含む。トーン・ブロック２６０２はトーン・ブロックＡ ２６０４、トーン・ブロックＢ ２６０６、及びトーン・ブロックＣ ２６０８を含む。各トーン・ブロック（２６０４、２６０６、２６０８）は１１３個のトーンを含む。基地局の視点から、そのベースバンドにおけるダウンリンクＤＣトーンはトーン２６１０（トーン・ブロックＢのトーン５６）である。しかしながら、無線端末受信器は一般的に一つのトーン・ブロックを処理していることが予期される；従って、本発明に従って、特別な処理がまた他の各々のトーン・ブロックにおける中心トーン、トーン２６１２（トーン・ブロックＡのトーン５６）及びトーン２６１４（トーン・ブロックＣ ２６１４）に適用される。トーン２６１０、２６１２、及び２６１４に適用される特別な処理は、例えば、ダウンリンク・タイミング構造中の周期的な時間区間におけるそれらのトーン上の伝送の停止である。図２６はまた基地局セクタ送信器に関する通過帯域におけるダウンリンク・トーン集合２６５２を例示する図２６５０を含む。トーン集合２６５２はトーン・ブロックＡ ２６５４、トーン・ブロックＢ ２６５６、及びトーン・ブロックＣ ２６５８を含む。基地局セクタ送信器に関してベースバンドＤＣトーン２６１０に対応する通過帯域におけるダウンリンク・トーンはダウンリンクキャリア周波数ｆCDL ２６６１に位置するトーン２６６０である。ダウンリンクキャリア周波数ｆCDLはまたＷＴ、例えば、ＷＴ２ ２５２６がトーン・ブロックＢの通過帯域トーンを含むダウンリンク通過帯域信号の一部を受信するために同調するであろうキャリア周波数ｆBに対応する。基地局セクタ送信器に関するベースバンド・トーン２６１２に対応する通過帯域におけるダウンリンク・トーンはダウンリンク・キャリア周波数ｆA ２６６３に位置するトーン２６６２である。ダウンリンク・キャリア周波数ｆA ２６６３はまたＷＴ、例えば、ＷＴ１ ２５２４がトーン・ブロックＡ通過帯域トーンを含むダウンリンク通過帯域信号の一部を受信するために同調するであろうキャリア周波数に対応する。基地局セクタ送信器に関するベースバンド・トーン２６１４に対応する通過帯域におけるダウンリンクトーンはダウンリンク・キャリア周波数ｆC ２６６５に位置するトーン２６６４である。ダウンリンク・キャリア周波数ｆC ２６６５はまたＷＴ、例えば、ＷＴ３ ２５２８がトーン・ブロックＣ通過帯域トーンを含むダウンリンク通過帯域信号の一部を受信するために同調するであろうキャリア周波数に対応する。
【０１３１】
図２７はＷＴ１受信器に関する通過帯域においてトーン・ブロックＡダウンリンク・トーン集合２７０２を含む図２７００を含む。トーン・ブロック２７０２はＷＴ１受信器に関するベースバンドＤＣトーン２７５４に対応する通過帯域においてダウンリンク・トーン２７０４を含む。図２７はまたＷＴ１受信器に関するベースバンドにおいてトーン・ブロックＡのダウンリンク・トーン集合２７５２を含む図２７５０を含む。 トーン・ブロック２７５２はＷＴ１受信器に関するベースバンドにおいてダウンリンクＤＣトーン２７５４を含む。
【０１３２】
図２８はＷＴ２受信器に関する通過帯域においてトーン・ブロックＢのダウンリンク・トーン集合２８０２を含む図２８００を含む。トーン・ブロック２８０２はＷＴ２受信器に関するベースバンドＤＣトーン２８５４に対応する通過帯域においてダウンリンク・トーン２８０４を含む。図２８はまたＷＴ２受信器に関するベースバンドにおいてトーン・ブロックＡのダウンリンク・トーン集合２８５２を含む図２８５０を含む。 トーン・ブロック２８５２はＷＴ２受信器に関するベースバンドにおいてダウンリンクＤＣトーン２８５４を含む。
【０１３３】
図２９はＷＴ３受信器に関する通過帯域においてトーン・ブロックＣダウンリンクトーン集合２９０２を含む図２９００を含む。トーン・ブロック２９０２はＷＴ３受信器に関するベースバンドＤＣトーン２９５４に対応する通過帯域においてダウンリンク・トーン２９０４を含む。図２９はまたＷＴ３受信器に関するベースバンドにおいてトーン・ブロックＣのダウンリンク・トーン集合２９５２を含む図２９５０を含む。 トーン・ブロック２９５２はＷＴ３受信器に関するベースバンドにおいてダウンリンクＤＣトーン２９５４を含む。
【０１３４】
図３０は本発明に従ってトーン・ブロックを復元する無線端末受信器においてＤＣトーンに対応するダウンリンク・トーン上での基地局セクタ送信器シグナリングの一時停止の例を図解する例示的なＯＦＤＭダウンリンクの時間周波数格子３０００を図解する図である。格子３０００は縦軸３００２のダウンリンク周波数（トーン・インデックス）対横軸３００４の時間（ＯＦＤＭシンボルインデックス）のグラフである。格子３０００の基本単位は正方形で示したＯＦＤＭトーン・シンボルであり、そして１個のＯＦＤＭシンボル伝送時間区間の期間について一つのトーンを表している。説明文３０５４は格子３０００におけるトーン・シンボルの状態を示すために使用される。本発明の特徴に従って、斜交平行線模様の正方形として示したタイプ３０５６のトーン・シンボルはトーン・シンボルが変調シンボルを搬送する可能性があることを示す。空白の正方形として示したタイプ３０５８のトーン・シンボルはトーン・シンボルが信号を全く伝送しないことを示す。縦軸３００２は３３９個のトーン（トーン０ ３００６、トーン１ ３００８、・・・、トーン５５ ３０１０、トーン５６ ３０１２、トーン５７ ３０１４、・・・、トーン１１１ ３０１６、トーン１１２ ３０１８、トーン１１３ ３０２０、トーン１１４ ３０２２、・・・、トーン１６８ ３０２４、トーン１６９ ３０２６、トーン１７０ ３０２８、・・・、トーン２２４ ３０３０、トーン２２５ ３０３２、トーン２２６ ３０３４、トーン２２７ ３０３６、・・・、トーン２８１ ３０３８、トーン２８２ ３０４０、トーン２８３ ３０４２、・・・、トーン３３７ ３０４４、トーン３３８ ３０４６）が３個のトーン・ブロック（トーン・ブロックＡ ３００１、トーン・ブロックＢ ３００３、及びトーン・ブロックＣ ３００５）に分割されることを例示する。各トーン・ブロック（３００１、３００３、３００５）は１１３個の連続するトーンを含む。この例示的実施例において、基地局セクタ送信器の視点からダウンリンクＤＣトーンはトーン１６９ ３０２６、中心トーンである。しかしながら、一つのトーン・ブロックを受信するために同調される無線端末の視点から、ＷＴのダウンリンクＤＣトーンに対応するトーンは特定の時間におけるＷＴ受信器の同調に応じて、トーン５６ ３０１２、トーン１６９ ３０２６、またはトーン２８２ ３０４０である。
【０１３５】
この例示的実施例において、ＯＦＤＭ時間区間１ ３０４８、ＯＦＤＭ時間区間１２ ３０５０、及びＯＦＤＭ時間区間２３ ３０５２の間に、トーン５６ ３０１２、トーン１６９ ３０２６、及びトーン２８２ ３０４０と関係付けられたトーン−シンボルは基地局セクタ送信器から信号を搬送する。横軸３００４は例示的な連続するＯＦＤＭシンボル伝送時間区間を図解する。格子３０００において、（トーン０ ３００６〜トーン５５ ３０１０）及び（トーン５７ ３０１４〜トーン１６８ ３０２４）及び（トーン１７０ ３０２８〜トーン２８１ ３０３８）及び（トーン２８３ ３０４２〜トーン３３８ ３０４６）に対応する各々のトーン・シンボルは変調シンボルを搬送することができる可能性がある。しかしながら、トーン５６ ３０１２、トーン１６９ ３０２６、及びトーン２８２ ３０４０は本発明に従って特別な処理を受ける。大半の時間の間、トーン５６ ３０１２、トーン１６９ ３０２６、及びトーン２８２ ３０４０は変調シンボルを搬送することができる可能性がある；しかしながら 、時により、トーン５６ ３０１２、トーン１６９ ３０２６、及びトーン２８２ ３０４０はＯＦＤＭ時間区間１（３０４８）、１２（３０５０）、及び２３（３０５２）に例示したように信号を全く伝送しない。ＷＴのＤＣトーンの視点から、区間３０４８、３０５０、及び３０５２はＤＣ雑音計測区間（３０６０、３０６２、３０６４）であると考えられることが可能であり、一方、ＯＦＤＭシンボル伝送時間区間（２〜１１、１３〜２２）に対応する区間（３０６６、３０６８）はデータ周期であると考えられうる。１０個の変調シンボルはデータ周期３０６２に対応するダウンリンクＤＣトーン上の無線端末によって復元され、一つの復元された変調シンボルは各ＯＦＤＭシンボル・インデックス（２〜１１）時間区間に対応する。図３０の例のデータ周期、例えば、区間３０６６はＤＣトーン雑音の計測周期、例えば、区間３０６０より１０倍長い。
【０１３６】
図３１は本発明に従ってトーン・ブロックを復元する無線端末の受信器におけるＤＣトーンに対応するダウンリンク・トーン上での基地局セクタ送信器のシグナリングの一時停止の例を図解する例示的なＯＦＤＭダウンリンクの時間周波数格子３１００を図解する図である。格子３１００は縦軸３１０２のダウンリンク周波数（トーン・インデックス）対横軸３１０４の時間（ＯＦＤＭシンボル・インデックス）のグラフである。格子３１００の基本単位は正方形で示したＯＦＤＭトーン・シンボルであり、そして１つのＯＦＤＭシンボル伝送時間区間の期間について一つのトーンを表している。説明文３１６６は格子３１００におけるトーン・シンボルの状態を示すために使用される。本発明の特徴に従って、斜交平行線模様の正方形として示したタイプ３１６８のトーン・シンボルはトーン−シンボルが変調シンボルを搬送する可能性があることを示す。空白の正方形として示したタイプ３１７０のトーン・シンボルは本発明の特徴に従ってトーン−シンボルが信号を全く伝送しないことを示す。縦軸３１０２は３３９個のトーン（トーン０ ３１０６、トーン１ ３１０８、・・・、トーン５５ ３１１０、トーン５６ ３１１２、トーン５７ ３１１４、・・・、トーン１１１ ３１１６、トーン１１２ ３１１８、トーン１１３ ３１２０、トーン１１４ ３１２２、・・・、トーン１６８ ３１２４、トーン１６９ ３１２６、トーン１７０ ３１２８、・・・、トーン２２４ ３１３０、トーン２２５ ３１３２、トーン２２６ ３１３４、トーン２２７ ３１３６、・・・、トーン２８１ ３１３８、トーン２８２ ３１４０、トーン２８３ ３１４２、・・・、トーン３３７ ３１４４、トーン３３８ ３１４６）が３個のトーン・ブロック（トーン・ブロックＡ ３１０１、トーン・ブロックＢ ３１０３、及びトーン・ブロックＣ ３１０５）に分割されることを例示する。各トーン・ブロック（３１０１、３１０３、３１０５）は１１３個の連続するトーンを含む。この例示的実施例において、基地局セクタ送信器の視点からのダウンリンクＤＣトーンはトーン１６９ ３１２６、中心トーンである。しかしながら、一つのトーン・ブロックを受信するために同調されるかもしれない無線端末の視点から、ＷＴのダウンリンクＤＣトーンに対応するトーンは、特定の時間におけるＷＴ受信器の同調に応じて、トーン５６ ３１１２、トーン１６９ ３１２６、またはトーン２８２ ３１４０であるかもしれない。
【０１３７】
この例示的実施例において、ＯＦＤＭ時間区間１ ３１４８、ＯＦＤＭ時間区間１２ ３１５０、及びＯＦＤＭ時間区間２３ ３０５２の間に、トーン５６ ３１１２、トーン１６９ ３１２６、及びトーン２８２ ３１４０と関係付けられたトーン−シンボルは基地局セクタ送信器から信号を搬送する。横軸３１０４は例示的な連続するＯＦＤＭシンボル伝送時間区間を図解する。格子３１００において、（トーン０ ３１０６〜トーン５５ ３１１０）及び（トーン５７ ３１１４〜トーン１６８ ３１２４）及び（トーン１７０ ３１２８〜トーン２８１ ３１３８）及び（トーン２８３ ３１４２〜トーン３３８ ３１４６）に対応する各々のトーン・シンボルは変調シンボルを搬送することができる可能性がある。しかしながら、トーン５６ ３１１２、トーン１６９ ３１２６、及びトーン２８２ ３１４０は本発明に従って特別な処理を受ける。大半の時間の間、トーン５６ ３１１２、トーン１６９ ３１２６、及びトーン２８２ ３１４０は変調シンボルを搬送することができる可能性がある；しかしながら、時により、トーン５６ ３１１２、トーン１６９ ３１２６、及びトーン２８２ ３１４０は、トーン５６ ３１１２に関してＯＦＤＭ時間区間０（３１４８）、１１（３１５４）、及び２２（３１６０）、トーン１６９ ３１２６に関してＯＦＤＭ時間区間１（３１５０）、１２（３１５６）、及び２３（３１６２）、及びトーン２８２ ３１４０に関してＯＦＤＭ時間区間２（３１５２）、１３（３１５８）、及び２４（３１６４）に例示したように信号を全く伝送しない。この例示的な実施例において、各トーン・ブロックはトーン・ブロックを受信するＷＴにおけるＤＣトーンに対応するトーン上の伝送された信号の一時停止と関係付けられた異なる複数の時間区間を持つ。トーン・ブロックＡ ３１０１に関して、時間区間３１７２、３１７４、及び３１７６はＤＣトーン雑音の計測を提供するためにトーン５６上のヌル（nul）と関係付けられ、一方、区間３１７８及び３１８０はトーン５６上のデータと関係付けられている。トーン・ブロックＢ ３１０３に関して、時間区間 ３１８２、３１８４、及び３１８６はＤＣトーン雑音の計測を提供するためにトーン１６９上のヌルと関係付けられ、一方、区間３１８８及び３１９０はトーン１６９上のデータと関係付けられる。トーン・ブロックＣ３１０５に関して、時間区間 ３１９２、３１９４、及び３１９６はＤＣトーン雑音の計測を提供するためにトーン２８２上のヌルと関係付けられ、一方、区間３１９８及び３１９９はトーン２８２上のデータと関係付けられる。
【０１３８】
図３２は本発明に従って実施される例示的な基地局３２００の図であり、そして本発明の方法を使用する。例示的な基地局３２００は周波数分割多重システム、例えば、ＯＦＤＭシステムにおける基地局であり、そこでは信号は基地局によって通過帯域において伝送され、そして無線端末によって受信され、且つ通過帯域信号をベースバンド信号に変換するために処理される（ＤＣトーンはベースバンドに存在し、そして対応するトーンは通過帯域に存在し、通過帯域は対応トーンに加えて追加のトーンを含む）。
【０１３９】
典型的な基地局３２００は様々な要素がデータ及び情報をその上で交換することができるバス３２１２を介して連結された受信器３２０２、送信器３２０４、プロセッサ３２０６、Ｉ／Ｏインタフェース３２０８及びメモリ３２１０を含む。受信器３２０２は受信アンテナ３２０３に連結され、それを介して基地局３２００はアップリンク信号を、例えば、複数の無線端末から受信することができる。受信器３２０２は受信されたアップリンク信号を復号化するための復号化器３２１４を含む。
【０１４０】
送信器３２０４は送信アンテナ３２０５に連結され、それを通して基地局３２００はダウンリンク信号を、例えば、それらのネットワーク接続点として基地局を使用する複数の無線端末に伝送する。送信器３２０４は対応トーン及び追加のトーン上の信号を伝送する。送信器 ３２０４、例えば、ＯＦＤＭ送信器は伝送の前にデータ／情報を符号化、例えば、ダウンリンク・トラヒック・チャネル・セグメントにおいて通信されるべき情報をブロック符号化する符号化器３２１６を含む。メモリ３２１０はルーチン３２１８及びデータ／情報３２２０を含む。プロセッサ３２０６、例えば、ＣＰＵは基地局３２００の動作を制御し、そして本発明の方法を実施するためにルーチン３２１８を実行し、そしてメモリ３２１０のデータ／情報３２２０を使用する。Ｉ／Ｏインタフェース３２０８は基地局３２００を他のネットワーク・ノード、例えば、他の基地局、ＡＡＡノード、ルータ、ホーム・エージェント・ノード、等々、及び／またはインターネットへ連結する。
【０１４１】
ルーチン３２１８は通信ルーチン３２２２及び基地局制御ルーチン３２２４を含む。通信ルーチン３２２２は様々な通信動作を行い、そして基地局によって使用される様々な通信プロトコルを実施する。基地局制御ルーチン３２２４はＤＣトーン・ヌル制御機能を持つ伝送制御モジュール３２２６、受信器制御モジュール３２２８及びＩ／Ｏインタフェース制御モジュール３２３０を含む。伝送制御モジュール３２２６は最初の時間周期に対応トーン上で伝送せずに追加のトーンを使用して通過帯域内に信号を伝送するために基地局送信器３２０４を制御し、そして追加のトーン及び対応トーンの両方を使用して前記通過帯域において第二の時間周期の間に同時に伝送するため送信器３２０４を制御する。様々な実施例において、最初及び第二の時間周期は相互に一定のタイミング関係があり、そして繰返し基準によって繰返す。受信器制御モジュール３２２８は受信器３２０２の動作を制御し、一方、Ｉ／Ｏインタフェース制御モジュール３２３０はＩ／Ｏインタフェース３２０８の動作を制御する。
【０１４２】
データ／情報３２２０は無線端末データ／情報３２３２、システム・データ／情報３２３４、及びダウンリンク信号情報３２３６を含む。ＷＴデータ／情報３２３２はＷＴに対応する、例えば、それらのネットワーク接続点として現在ＢＳ ３２００を使用しているＷＴに対応する複数のＷＴ情報の集合（ＷＴ ( WT１データ／情報３２３８、ＷＴ Ｎデータ／情報３２４０)を含む。WT１データ／情報３２３８はユーザー・データ３２４２ＷＴ識別情報３２４４、及びデバイス／セッション／資源情報３２４６を含む。ユーザー・データ３２４２は、例えば、音声、オーディオ、ビデオ、テキスト、ファイル、等々を表し、ＷＴ１との通信セッションにおいてＷＴ１と別のＷＴとの間で通信されるデータに対応するデータ／情報を含む。ＷＴ ＩＤ情報３２４４は、例えば、基地局が割当てた識別子、例えば、稼働中のユーザーの識別子を含む。デバイス／セッション／資源情報３２４６は、例えば、ＷＴ１に関係付けられた情報、アドレスのようなＷＴ１との通信セッションにおいてピア・ノードと関係付けられた情報、セッション情報、経路制御（routing）情報、ＷＴ１に割当てられたアップリンク、及び／またはダウンリンクのトラヒック・チャネル・セグメントといった無線リンク資源情報を含む。
【０１４３】
システム・データ／情報３２３４は記憶情報３２３５を含む。記憶情報３２３５はＤＣトーン・ヌル・タイミング情報３２４８を含むダウンリンク・タイミング構造情報及びＤＣトーン関連情報３２５０を含むダウンリンク・トーン情報を含む。ダウンリンク・タイミング構造情報３２４８は最初と第二の時間周期の関係を示す。これらは、例えば、ヌルが通過帯域の対応トーン、ベースバンドのＤＣトーンに対応する対応トーンで発生する時間、及び対応トーンがヌルにされるように制御されない第二の時間周期である。タイミング構造情報３２４８は、いくつかの実施例において、相互に関して最初と第二のタイミング周期の間の一定のタイミング関係を識別し、そして繰返すダウンリンク・タイミング構造におけるそのような時間周期の繰返しを識別する情報である。様々な実施例において、最初及び第二の時間周期は所定の基準で繰り返し、そして第二の時間周期は最初の時間周期より少なくとも１０倍長い。最初と第二の時間周期の比率、間隔、及び／または期間は慎重に選択されることが重要である。処理能力の改善は最初の時間周期の平均時間、ＷＴのキャリブレーション計測を可能にするために意図的にヌルにされた対応トーンに関するオーバーヘッド周期を最小化し、そして、第二の時間周期の平均時間、対応トーンに関する変調シンボル・ペイロード・シグナリング区間を最大化することによって達成される。しかしながら、最初及び第二の時間区間時間タイミング情報は、例えば、ダウンリンク・タイミング構造を確立する際に、例えば、ＷＴ計測、及び対応トーンへの調整によって達成される利益を考慮して、ヌルにされない時に対応トーンで使用可能な結果を達成することが予測されるように選択されることに注目すべきである。ダウンリンク・トーン情報３２５０は通過帯域における対応トーンを識別する。いくつかの実施例において、対応トーンは追加のトーン及び対応トーンを含むダウンリンク・トーン・ブロックにおける中心トーンである。様々な実施例において、送信器３２０４は第二の時間周期の対応トーンと並行して少なくとも １００個の追加のトーンを伝送する。例えば、いくつかのシステムにおいて、 通過帯域における例示的なダウンリンクＯＦＤＭトーン・ブロックはダウンリンク・トーン情報３２５０において識別される１１３個のトーンを含む。
【０１４４】
データ / 情報３２２０はまたダウンリンク信号情報３２３６、例えば、ベースバンド・ダウンリンク信号に関する情報及び通過帯域ダウンリンク信号に関する情報を含む。ダウンリンク信号情報３２３６は、いくつかの実施例において、生成された、及び／または伝送されたダウンリンク信号と関係する送信器３２０４によって使用され、且つ生成される中間情報を含む。
【０１４５】
図３３は本発明に従って実施される例示的な基地局３３００の図であり、そして本発明の方法を使用する。例示的な基地局３３００は直交周波数分割多重（ＯＦＤＭ）システムにおける基地局であり、そこでは複数のトーンを含むＯＦＤＭ信号は基地局によって通過帯域において伝送され、各ＯＦＤＭシンボルは通過帯域信号として伝送され、前記通過帯域信号は多数のトーン・ブロックを含む。
【０１４６】
例示的な基地局３３００は様々な要素がデータ及び情報をその上で交換することができるバス３３１２を介して共に連結された受信器３３０２、送信器３３０４、プロセッサ３３０６、Ｉ／Ｏインタフェース３３０８及びメモリ３３１０を含む。受信器３３０２は受信アンテナ３３０３に連結され、それを介して基地局３３００はアップリンク信号を、例えば、複数の無線端末から受信することができる。受信器３３０２は受信されたアップリンク信号を復号化するための復号化器３３１４を含む。
【０１４７】
送信器３３０４は送信アンテナ３３０５に連結され、それを通して基地局３３００はダウンリンク信号を、例えば、それらのネットワーク接続点として基地局を使用する複数の無線端末に伝送する。送信器３３０４、例えば、ＯＦＤＭ送信器は伝送の前にデータ／情報を符号化、例えば、ダウンリンク・トラヒック・チャネル・セグメントにおいて通信されるべき情報をブロック符号化する符号化器３３１６を含む。送信器３３０４はベースバンド信号生成モジュール３３１７、ベースバンド対通過帯域変換モジュール３３１９及びマルチ−トーン・ブロック通過帯域信号出力送信器モジュール３３２１を含む。ベースバンド信号生成モジュール３３１７はベースバンド信号、例えば、各ＯＦＤＭシンボル伝送時間周期に関するベースバンドＯＦＤＭシンボルを生成する。通過帯域変換モジュール３３１９はベースバンド信号生成モジュール３３１７から出力されたベースバンドＯＦＤＭシンボルをマルチ−トーン・ブロック通過帯域信号に変換する。例えば、 ベースバンド対通過帯域変換モジュール３３１９の動作はダウンリンク・キャリア周波数による変調を含む。マルチ−トーン・ブロック通過帯域信号出力送信器増幅モジュール３２２１、例えば、変換モジュール３３１９に接続された電力増幅段は、マルチ−トーン・ブロック通過帯域信号を増幅し、そして増幅された信号はアンテナ３３０５によって送信される。
【０１４８】
メモリ３３１０はルーチン３３１８及びデータ／情報３３２０を含む。プロセッサ３３０６、例えば、ＣＰＵは基地局３３００の動作を制御し、そして本発明の方法を実施するためにルーチン３３１８を実行し、そしてメモリ３３１０のデータ／情報３３２０を使用する。Ｉ／Ｏインタフェース３３０８は基地局３３００を他のネットワーク・ノード、例えば、他の基地局、ＡＡＡノード、ルータ、ホーム・エージェント・ノード、等々、及び／またはインターネットへ連結する。
【０１４９】
ルーチン３３１８は通信ルーチン３３２２及び基地局制御ルーチン３３２４を含む。通信ルーチン３３２２は様々な通信動作を行い、そして基地局によって使用される様々な通信プロトコルを実施する。基地局制御ルーチン３３２４は伝送制御モジュール３３２６、受信器制御モジュール３３２８及びＩ／Ｏインタフェース制御モジュール３３３０を含む。伝送制御モジュール３３２６は、所定のダウンリンク伝送タイミング構造内で繰返す少なくとも一つのＯＦＤＭシンボル伝送時間周期を含む最初の所定の区間についてマルチ−トーン・ブロック通過帯域信号の最初のトーン・ブロックにおける対応トーンに最初のヌルを導入するためにベースバンド信号生成モジュール３３１７、ベースバンド対通過帯域変換モジュール３３１９、及びマルチ−トーン・ブロック通過帯域信号出力送信器増幅モジュール３３２１のうちの少なくとも一つを制御し、そして対応トーンはベースバンドＯＦＤＭシンボルにおけるベースバンドＤＣトーンに対応する。いくつかの実施例において、ダウンリンクタイミング構造中の各最初の所定区間は期間として１個または少数の、例えば、２個、３個、または４個といった連続するＯＦＤＭシンボル伝送時間周期である。いくつかの実施例において、最初のトーン・ブロックはマルチ−トーン・ブロック通過帯域信号における中心トーン・ブロックである。
【０１５０】
送信器３３０４は３トーン・ブロックＯＦＤＭ送信器であるとする。いくつかのそのような実施例において、伝送制御モジュール３３２６は、所定のダウンリンク伝送タイミング構造内で繰返す少なくとも一つのＯＦＤＭシンボル伝送時間期間を含む第二の所定の区間についてマルチ−トーン・ブロック通過帯域信号の第二のトーン・ブロックにおける第二のトーンに第二のヌルを導入するためにベースバンド信号生成モジュール３３１７、ベースバンド対通過帯域変換モジュール３３１９、及びマルチ−トーン・ブロック通過帯域信号出力送信器モジュール３３２１のうちの少なくとも一つを制御する（そこでは第二のトーンは第二のトーン・ブロックにおける中心トーンである）。その上、伝送制御モジュール３３２６は、所定のダウンリンク伝送タイミング構造内で繰返す少なくとも一つのＯＦＤＭシンボル伝送時間周期を含む所定の第三の区間についてマルチ−トーン・ブロック通過帯域信号の第三のトーン・ブロックにおける第三のトーンに第三のヌルを導入するためにベースバンド信号生成モジュール３３１７、ベースバンド対通過帯域変換モジュール３３１９、及びマルチ−トーン・ブロック通過帯域信号出力送信器モジュール３３２１のうちの少なくとも一つを制御する（そこでは第三のトーンは第三のトーン・ブロックにおける中心トーンである）。受信器制御モジュール３３２８は受信器３３０２の動作を制御し、一方、Ｉ／Ｏインタフェース制御モジュール３３３０はＩ／Ｏインタフェース３３０３の動作を制御する。
【０１５１】
鎖線３３２３は、伝送制御モジュール３３２６が本発明に従って、トーンのヌル化を行うためにベースバンド信号生成モジュール３３１７、ベースバンド対通過帯域変換モジュール３３１９及びマルチ−トーン・ブロック通過帯域信号出力送信器増幅モジュール３３２１のうちの一つを制御することを示す。例えば、いくつかの実施例において、変調シンボル値はベースバンド信号においてゼロに設定されてもよい。別の実施例において、ヌルにされるべきトーンは通過帯域信号の生成動作の一部としてゼロになるように制御される。別の例として、通過帯域信号は所望のトーンをヌルにするために濾過（フィルタ）されてもよい。また別の例として、ヌルにされるべき所望のトーンと関係付けられた電力は電力増幅器においてゼロになるように制御される。いくつかの実施例において、受信器３３０４及び／または基地局制御ルーチン３３２４において実施される様々な機能は異なる複数の場所において実装され、或いは分散された態様で実装される。
【０１５２】
データ／情報３３２０は無線端末データ／情報３３３２、システム・データ／情報３３３４、及びダウンリンク信号情報３３３６を含む。ＷＴデータ／情報３３３２はＷＴに対応する、例えば、それらのネットワーク接続点として現在ＢＳ ３２００を使用しているＷＴに対応する複数のＷＴ情報の集合（ＷＴ１データ／情報３３３８、ＷＴ Ｎデータ／情報３３４０）を含む。ＷＴ１データ／情報３３３８はユーザー・データ３３４２、ＷＴ識別情報３３４４、デバイス／セッション／資源情報３３４６、及びトーン・ブロック情報３３４５を含む。ユーザー・データ３３４２は、例えば、ＷＴ１及びＷＴ１との通信セッション中の別のＷＴとの間で通信されるデータに対応する音声、オーディオ、ビデオ、テキスト、ファイル、等々を表すデータ／情報を含む。ＷＴ ＩＤ情報３３４４は、例えば、基地局が割当てた識別子、例えば、稼働中のユーザーの識別子である。デバイス／セッション／資源情報３３４６は、例えば、ＷＴ１に関連する情報、アドレス、セッション情報、経路制御（routing）情報のようなＷＴ１との通信セッションにおいてピア・ノードと関係付けられた情報、及び／またはＷＴ１に割当てられたアップリンク、及び／またはダウンリンクのトラヒック・チャネル・セグメントといった無線リンク資源情報を含む。トーン・ブロック情報３３４５は、例えば、ＷＴ１ダウンリンク・シグナリングと現在関係付けられているＢＳ ３００によって同時に使用される複数のトーン・ブロック、例えば、３個のトーン・ブロックからダウンリンク・トーン・ブロックを識別する。
【０１５３】
システム・データ／情報３３３４は記憶情報３３３５を含む。記憶情報３２３５はＤＣトーン・ヌル・タイミング情報を含むダウンリンク・タイミング構造情報３３４８及びＤＣトーン関連情報を含むダウンリンク・トーン情報３３５０を含む。
【０１５４】
ダウンリンク・タイミング構造情報３３４８は非ゼロ信号が対応トーン上で伝送されることを許される時間区間、及び対応トーンのトーン・ヌル化と関係付けられた時間区間を示す。いくつかの実施例において、非ゼロ信号が対応トーン上で伝送されることを許されるダウンリンク・タイミング構造におけるＯＦＤＭシンボル伝送時間周期は、対応トーンがダウンリンク・タイミング構造に従って意図的にヌル化されるＯＦＤＭシンボル伝送時間期間より少なくとも１０倍多い。ダウンリンクタイミング構造情報３３４８はまた非ゼロ信号が第二のトーン上で伝送されることを許される時間区間、及び第二のトーンのトーン・ヌル化と関係付けられた時間区間を示す。いくつかの実施例において、非ゼロ信号が第二のトーン上で伝送されることを許されるダウンリンク・タイミング構造におけるＯＦＤＭシンボル伝送時間周期は、第二のトーンがダウンリンク・タイミング構造に従って意図的にヌル化されるＯＦＤＭシンボル伝送時間周期の第二の時間区間より少なくとも１０倍多い。ダウンリンク・タイミング構造情報３３４８はまた非ゼロ信号が第三のトーン上で伝送されることを許される時間区間、及び第三のトーンのトーン・ヌル化と関係付けられた時間区間を示す。いくつかの実施例において、非ゼロ信号が第三のトーン上で伝送されることを許されるダウンリンクタイミング構造におけるＯＦＤＭシンボル伝送時間周期は、第三のトーンがダウンリンク・タイミング構造に従って意図的にヌル化されるＯＦＤＭシンボル伝送時間周期より少なくとも１０倍多い。いくつかの実施例において、対応トーン、第二のトーン及び第三のトーンがダウンリンク・タイミング構造に従って意図的にヌル化される時間区間は同じである。いくつかの実施例において、対応トーン、第二のトーン及び第三のトーンがダウンリンク・タイミング構造に従って意図的にヌル化される時間区間は異なる。
【０１５５】
ダウンリンク・トーン情報３３５０は通過帯域における対応トーン、最初のトーン及び第二のトーンを識別する。いくつかの実施例において、対応トーンは追加のトーン及び対応トーンを含むダウンリンクトーン・ブロックにおける中心トーンである。いくつかの実施例において、第二及び第三のトーンはそれらのそれぞれのトーン・ブロックにおける中心トーンである。様々な実施例において、各トーン・ブロックは少なくとも１００個のトーンを含む。例えば、３個のトーン・ブロックが通過帯域において連続している一つの例示的な３個のトーン−ブロックの実施例において、各トーン・ブロックは３３９個のトーンの合成通過帯域に関して１１３個のトーンを含む。各トーン・ブロックのトーンを識別する情報は情報３３５０に含まれる。
【０１５６】
データ／情報３３２０はまたダウンリンク信号情報３３３６、例えば、ベースバンド・ダウンリンクに関する情報及び通過帯域ダウンリンク信号に関する情報を含む。ダウンリンク信号情報３３３６は、いくつかの実施例において、生成された、及び／または伝送されたダウンリンク信号に関する送信器３３０４によって使用され、且つ／または生成される中間情報を含む。
【０１５７】
図３４は例示的な本発明に従って実施され、そして本発明の方法を使用する無線端末３４００、例えば、移動体ノードの図である。例示的な無線端末３４００は周波数分割多重システム、例えば、ＯＦＤＭ無線通信システムにおける使用のためのものであり、そこでは信号は基地局によって通過帯域において伝送される。例示的な無線端末３４００は様々な要素がデータ及び情報をその上で交換するバス３４１２によって連結された受信器３４０２、送信器３４０４、プロセッサ３４０６、ユーザーＩ／Ｏデバイス３４０６、及びメモリ３４１０を含む。
【０１５８】
受信器３４０２は通過帯域モジュール３４１６、通過帯域対ベースバンド変換モジュール３４１８、信号測定モジュール３４２０、フィルタリング・モジュール３４２２、及びデータ復元モジュール３４２４を含む。データ復元モジュール３４２４は ＤＣトーン・データ復元サブモジュール３４２６及び復号化器３４２８を含む。ＤＣトーン・データ復元サブモジュール３４２６は調整モジュール３４３０及びシンボル判定モジュール３４３２を含む。調整モジュール３４３０は減算器３４３４を含む。
【０１５９】
受信器３４０２は無線端末３４００がダウンリンク信号を基地局、例えば、図３２のＢＳ ３２００または図３３のＢＳ ３３００から受信する受信アンテナ３４０３に連結される。受信器３４０２は通過帯域モジュール３４１６、例えば、基地局送信器によって使用される通過帯域トーン・ブロックに対応するキャリア周波数に同調されたＲＦモジュールを使用してダウンリンク通過帯域信号を受信する。通過帯域対ベースバンド信号変換モジュールは受信された通過帯域信号をベースバンド信号に変換する。ＤＣトーンはベースバンド信号に存在し、ＤＣトーンは通過帯域信号の対応トーンに対応し、ベースバンド信号は追加の通過帯域トーンに対応する追加のベースバンド・トーンを含む。信号計測モジュール３４２０はＤＣトーン雑音の計測値、例えば、ＤＣ雑音計測値１ ３４６４を生成するためにＤＣトーン雑音の計測周期の間にＤＣトーン上の信号計測を行う。データ復元モジュール３４２４は受信された通過帯域信号からデータを復元する。ＤＣ雑音の計測周期の間、データ復元モジュール３４２４は追加のベースバンド・トーンからデータを復元する。フィルタ・モジュール３４２２は雑音計測値を生成するために別の雑音計測周期に対応する複数のＤＣ雑音計測値をフィルタリングする、例えば、フィルタ・モジュール３４２２はフィルタリングされたＤＣ雑音計測値３４６８を生成するためにＤＣ雑音計測値１、・・・、ＤＣ雑音計測値ｎをフィルタリングする。いくつかの実施例において、フィルタ・モジュール３４２２は加重平均化フィルタであり、そしてフィルタリングされたＤＣ雑音計測値は加重平均ＤＣ雑音計測値である。
【０１６０】
ＤＣトーン・データ復元サブモジュール３４２６は、受信器がダウンリンク・タイミング構造に従ってＤＣトーン及び追加のベースバンド・トーン上で同時にデータを受信したデータ周期に対応するＤＣトーン上で伝送されたデータを復元する。調整モジュール３４３０は、データ周期に、フィルタリングされたＤＣ雑音計測値の関数としてＤＣトーン上で受信されたシンボル値を調整する、例えば、調整されたＤＣトーン変調シンボル値３４７２を取得するために受信されたＤＣトーン変調シンボル値を処理する。調整モジュール３４３０はＤＣトーン上の受信されたシンボル値、例えば、受信されたＤＣトーン変調シンボル値３４７０からフィルタリングされたＤＣトーン雑音計測値３４７０を減算する減算器３４３４を含む。
【０１６１】
復号化器３４２８は受信されたダウンリンク信号の復号化動作を行う。例えば、ダウンリンク・トラヒック・チャネル・セグメントに関して、復元された変調シンボル値に対応する符号化ビットは基地局によって符号化されたデータ／情報ビットを復元するために復号化される。いつかは、ダウンリンク・タイミング構造に従って、いくつかの復元された変調シンボル値はＤＣトーンに対応する。
【０１６２】
送信器３４０４は基地局にアップリンク信号によって通信されるべきデータ／情報を符号化するための符号化器３４３６を含む。送信器３４０４はアップリンク信号が送信される送信アンテナに連結される。いくつかの実施例において、同じアンテナが送信器３４０４と受信器３４０２の両方のために使用される。
【０１６３】
メモリ３４１０はルーチン３４３８及びデータ／情報３４４０を含む。プロセッサ３４０６、例えば、ＣＰＵは無線端末３４００の動作を制御し、そして本発明の方法を実施するためにルーチン３４３８を実行し、且つメモリ３４１０のデータ／情報３４４０を使用する。ユーザーＩ／Ｏデバイス３４０８、例えば、マイクロホン、スピーカー、ディスプレイ、キーパッド、キーボード、タッチスクリーン、スイッチ、カメラ、等々はＷＴ ３４００のユーザーがデータ／情報を入力し、データ／情報を出力し、動作モードを選択し、機能を実行し、例えば、通信セッションを開始する。
【０１６４】
ルーチン３４３８は通信ルーチン３４４２及び無線端末制御ルーチン３４４４を含む。通信ルーチン３４４２は様々な通信動作を行い、そして無線端末３４００によって使用される様々な通信プロトコルを実施する。ＷＴ制御ルーチン３４４４は受信器制御モジュール３４４６、送信器制御モジュール３４４８、及びユーザー・インタフェース制御モジュール３４５０を含む。受信器制御モジュール３４４４は受信器３４０２の動作を制御する。送信器制御モジュール３４４８は送信器３４０４の動作を制御する。ユーザー・インタフェース制御モジュール３４５０はユーザーＩ／Ｏデバイス３４０８の動作を制御する。
【０１６５】
データ／情報３４４０はユーザー・データ３４５２、無線端末識別情報３４５４、デバイス／セッション／資源情報３４５６、基地局識別情報３４５８、現在タイミング情報３４６０、及びシステム・データ／情報３４６２を含む。ユーザー・データ３４５２は、例えば、ＷＴ ３４００とピア・ノードとの間の通信セッションに関する、例えば、音声、オーディオ、ビデオ、テキスト、ファイル、等々を表すデータ／情報を含む。無線端末識別情報３４５４は、例えば、稼働中のユーザーの識別子のような基地局が割当てた無線端末の識別子を含む。デバイス／セッション／資源情報３４５６はＷＴ ３４００に関するデバイス情報、ＷＴ ３４００との通信セッションにあるピア・ノードに関する情報、アドレス情報、経路制御情報、及び／またはＷＴ ３４００に関するダウンリンク及び／またはアップリンクのトラヒック・チャネル・セグメント割当などの無線リンク資源情報を含む。基地局識別情報３４５８は通信システムにおけるネットワーク接続点として使用される基地局を識別する情報、例えば、基地局識別子、セクタ識別子、及び／またはトーン・ブロック識別子を含む。
【０１６６】
データ／情報３４４０はシステム・データ／情報３４６２を含む。システム・データ／情報３４６２はタイミング情報３４７４及びトーン情報３４８０を含む。タイミング情報３４７４はアップリンク及びダウンリンクのタイミング構造情報を含み、一方、トーン情報３４８０はアップリンク及びダウンリンクのトーン情報を含む。いくつかの実施例において、システム・データ／情報３４６２は、例えば、別の基地局及び／または、同じ基地局における別の代替的なネットワーク接続点に対応して、例えば、セル、セクタ及び／またはトーン・ブロックの関数として、多数のタイミング情報３４７４及び／またはトーン情報３４８０の集合を含む。タイミング情報３４７４はＤＣトーン雑音の計測周期の情報３４７８を含むダウンリンク・タイミング構造情報３４７６を含む。ＤＣ雑音の計測周期の情報３４７８はＷＴがＤＣ雑音計測値を取得するためにＤＣトーンの計測を行うべき所で使用されるダウンリンク・タイミング構造における区間を識別する。いくつかの実施例において、基地局はＤＣトーン雑音の計測周期の間、対応トーン上で伝送しないように制御されるので、対応トーンは雑音計測周期の間、伝送電力を全く運ばない。ダウンリンク・タイミング構造情報３４７６はまた対応トーンが、例えば、非ゼロ電力レベルにおいて変調シンボルを介して、データを搬送することを許されるデータ周期を識別する情報を含む。いくつかの実施例において、ＤＣトーン上のデータ周期の間に復元される少なくとも１０個の変調シンボルに関して、データ周期はＤＣ雑音の計測周期より少なくとも１０倍長い。
【０１６７】
トーン情報３４８０はＤＣトーン関連情報を含むダウンリンク・トーン情報３４８２を含む。ダウンリンク・トーン情報３４８２は通過帯域トーン・ブロックのトーン、ベースバンド・トーン・ブロックのトーン、ベースバンドのＤＣトーン、 通過帯域の対応トーン、追加のベースバンド・トーン、及び追加の通過帯域トーンを識別する情報を含む。いくつかの実施例において、ＤＣトーンに加えて少なくとも１００個の追加のベースバンド・トーンがある。例えば、一つの例示的なダウンリンク・ベースバンドＯＦＤＭトーン・ブロックは１１３個の連続するトーンを含み、そこでは中心トーンはＤＣトーンであり、そして他の１１２個のトーンは追加のベースバンド・トーンである；対応する例示的な通過帯域ＯＦＤＭトーン・ブロックは１１３個の連続するトーンを含み、そこでは中心トーンはＤＣトーンであり、他の１１２個のトーンは追加の通過帯域トーンであり、そして通過帯域は受信器３４０２が同調されるアップリンク・トーン・ブロック・キャリア周波数と関係付けられている。
【０１６８】
データ／情報３４４０はまたＤＣ雑音計測値（ＤＣ雑音計測値１ ３４６２、・・・、ＤＣ雑音計測値ｎ ３４６６）、フィルタリングされたＤＣ雑音計測値３４６８、受信されたＤＣトーン変調シンボル値３４７０、調整されたＤＣトーン変調シンボル値３４７２、及び決定されたＤＣトーン変調シンボル値３４７３を含む。
【０１６９】
図３５は本発明に従って実施され、そして本発明の方法を使用する例示的な基地局３５００の図である。例示的な基地局３５００は、例えば、スペクトラム拡散多元接続無線通信システムにおいて動作するＯＦＤＭ基地局である。例示的な基地局３５００は様々な要素がデータ及び情報をその上で交換するバス３５１２によって連結された受信器３５０２、送信器３５０４、プロセッサ３５０６、ユーザーＩ／Ｏインタフェース３５０８、及びメモリ３５１０を含む。
【０１７０】
受信器３５０２は基地局が無線端末からアップリンク信号を受信する受信アンテナ３５０３に連結される。受信器３５０２の受信動作はベースバンドＤＣトーンに対応する対応通過帯域トーン上の一連のＮ個の変調シンボル値を受信することを含み、Ｎ個の変調シンボル値の一つはＮ個のシンボル伝送時間周期の各々の間に受信される（ここでＮは１より大きい正の整数である）。受信シンボル値は、変調シンボルＸU1 ３５８０、・・・、ＸUN ３５８２で表される。いくつかの実施例において、Ｎ＝７である。受信器３５０２は通過帯域モジュール３５１４、通過帯域対ベースバンド変換モジュール３５１６、ＤＣ信号雑音成分値計算モジュール３５１８、及び復元モジュール３５２０を含む。ＤＣ信号雑音成分値計算モジュール３５１８は第二減算器モジュール３５２４及び倍率器（scalar）モジュール３５２６を含む。復元モジュール３５２０は第一減算器モジュール３５２８を含む。
【０１７１】
通過帯域モジュール３５１４、例えば、ＲＦモジュールはアンテナ３５０３に連結され、そして通過帯域信号を受信し、ＯＦＤＭシンボル伝送時間周期に対応する受信された通過帯域信号は基地局における、例えば、ＯＦＤＭシンボル巡回プレフィックス内に、信号到着に関してタイミング同期された複数の無線端末から伝送されたアップリンク信号からの複合信号である。別の時間に、例えば、異なるドウェルに関して、異なる複数の無線端末は基地局割当、アップリンク・タイミング／周波数構造、及び／またはアップリンク・ホッピング系列に従ってアップリンク・トーン・ブロックからアップリンク・トーンの異なる複数の部分集合を使用している。トーン・ブロック中のアップリンク・ベースバンドＤＣトーンに対応する通過帯域における対応トーンは、例えば、通過帯域トーン・ブロックにおける中心トーンである。対応トーンと関係付けられた無線端末は、ドウェルからドウェルへと変化する可能性がある。ベースバンド対通過帯域変換モジュール３５１６は受信された通過帯域信号をベースバンド信号に変換する。
【０１７２】
ＤＣ信号雑音成分値計算モジュール３５１８は中間雑音成分生成モジュール３５２２、第二減算器モジュール３５２４、及び倍率器モジュール３５２６を含む。ＤＣ信号雑音成分値計算モジュール３５１８はＮ個の受信されたシンボル値（ＸU1 ３５８０、・・・、ＸUN ３５８２）の集合からＤＣ信号雑音成分値３５７４を計算する。所定の受信されたＮ−１個のシンボル値の一つはＤＣ雑音値を通信し、所定の受信されたＮ個のシンボル値の一つはＮ個の系列における所定の場所で発生し、残りのＮ−１個の受信されたシンボル値は情報値を通信する。例えば、７個の受信された変調シンボル値の系列集合を使用するいくつかの実施例において、最後の値は ＤＣ雑音値に関する所定の場所であり、一方、最初の６個の場所は情報値を通信するためのものである。
【０１７３】
中間雑音成分生成モジュール３５２２は情報値、及び所定の関数に対応するＮ−１個の受信されたシンボル値から中間雑音成分値３５７５を生成する。いくつかの実施例において、中間雑音値３５７５を生成するために使用される所定の関数は情報と関連するＮ−１個の受信値の加重和の負数である。関数は、いくつかの実施例において、モジュール３５２２において符号化される；他の実施例において、関数を表す情報はメモリに記憶され、そしてモジュール３５２２によって使用される。
【０１７４】
第二減算器モジュール３５２４はＤＣ雑音値を通信する所定のＮ個の受信されたシンボル値（３５８０、・・・、８５８２）の一つから中間雑音成分値３５７５を減算する。倍率器モジュール３５２６は計算された信号雑音成分値３５７４を造出するためにモジュール３５２４の減算の結果をスケーリングする。いくつかの実施例において、倍率器モジュール３５２６は減算の結果を所定の一定値（それは記憶された倍率情報３５６６に含まれる）、例えば、Ｎで割算することによって減算の結果をスケーリングする。
【０１７５】
復元モジュール３５２０はＮ個の受信された変調シンボル値（ＸU1 ３５８０、・・・、ＸUN ３５８２）から処理される各集合についてＮ−１個の個々の変調シンボル値（ＸP1、・・・、ＸPN−1）を復元する。復元モジュール３５２０はＮ個の受信されたシンボル値 （３５８０、３５８２）のＮ−１個の各々からＤＣ信号雑音成分値を減算することによって個々のＮ−１個のシンボル値（ＸP1、・・・、ＸPN−1）を生成する第一減算器モジュール３５２８を含む。
【０１７６】
送信器３５０４は基地局３５００がダウンリンク信号を無線端末に送信する送信アンテナ３５０５に連結される。送信器３５０４はダウンリンク信号におけるデータ／情報を、例えば、ダウンリンク・トラヒック・チャネル・セグメントをブロック符号化するための符号化器を含む。
【０１７７】
Ｉ／Ｏインタフェース３５０８は基地局３５００を他のネットワーク・ノード、例えば、他の基地局、ルータ、ＡＡＡノード、ホーム・エージェント・ノード等、及び／またはインターネットに連結する。メモリ３５１０はルーチン３５３２及びデータ／情報３５３４を含む。プロセッサ３５０６、例えば、ＣＰＵは基地局の動作を制御し、且つ本発明の方法を実施するためにルーチン３５３２を実行し、そしてメモリ３５１０のデータ／情報３５３４を使用する。
【０１７８】
ルーチン３５３２は通信ルーチン３５３６及び基地局制御ルーチン３５３８を含む。通信ルーチン３５３６は様々な通信機能を果たし、そして基地局によって使用される様々な通信プロトコルを実行する。基地局制御ルーチン３５３８はスケジューリング（scheduling）モジュール３５４０、受信器制御モジュール３５４２、送信器制御モジュール３５４４、及びＩ／Ｏインタフェース制御モジュール３５４６を含む。スケジューリング・モジュール３５４０、例えば、スケジューラはそれらのネットワーク接続点として基地局３５００を利用する無線端末へアップリンク及びダウンリンクのセグメントをスケジューリングする。スケジューリングの結果、異なる時間に異なる無線端末がアップリンクベースバンドＤＣトーンに対応するアップリンク・セグメントに割当てられる可能性がある。また、いくつかの実施例において、アップリンク・ホッピング構造の関数として、異なる時間に、例えば、異なるドウェルについて、異なる無線端末がアップリンク・ベースバンドＤＣトーンに対応するアップリンク・セグメントに割当てられる可能性がある。受信器制御モジュール３５４２は受信器３５０２の動作を制御し、一方、送信器制御モジュール３５４４は送信器３５０４の動作を制御する。Ｉ／Ｏインタフェース制御モジュール３５４６はＩ／Ｏインタフェース３５０８の動作を制御する。
【０１７９】
データ／情報３５３４は無線端末データ／情報３５４８、システム・データ情報３５６０、ＤＣトーンに関する計測されたアップリンク成分３５７４、現在のタイミング情報３５７６、未処理の受信されたアップリンクＤＣトーン変調シンボル３５７８、及び処理されたアップリンクＤＣトーン変調シンボル３５８４を含む。ＷＴデータ／情報３５４８は複数のＷＴデータ／情報の集合（ＷＴ１データ／情報３５５０、・・・、ＷＴ Ｎデータ／情報３５５２）を含み、例えば、各集合は基地局３５００によって現在登録されたＷＴに対応し、そして基地局３５００をネットワーク接続点として利用する。ＷＴ１データ／情報３５５０はユーザー・データ３５５４、無線端末識別情報３５５６、及びデバイス／セッション／資源情報３５５８を含む。ユーザー・データ３５５４は、例えば、ＷＴ１とピア・ノードとの間の通信セッションへの関係に対応する音声、オーディオ、ビデオ、テキスト、ファイル等を表すデータ／情報である。ＷＴ ＩＤ情報３５５６は現在ＷＴ１と関係付けられたいる基地局が割当てた識別子、例えば、稼働中のユーザーの識別子を含む。デバイス／セッション／資源情報３５５８はＷＴ１デバイス情報、ＷＴ１との通信セッションにあるＷＴ１のピア・ノードに対応する情報、アドレス情報、経路制御情報、セッション情報、及び／または無線リンク資源情報、例えば、ＷＴ１に割当てられたアップリンク及びダウンリンクセグメントを識別する情報を含む。そのうちに、ＷＴ１に割当てられたいくつかのアップリンク・セグメントはアップリンクＤＣトーンに対応し、それは本発明に従って特別な処理を受ける。
【０１８０】
システム・データ情報３５６０はタイミング情報３５６２、周波数情報３５６４、及び記憶された倍率（scalar）情報３５６６を含む。タイミング情報３５６２はアップリンク及びダウンリンクのタイミング構造情報を含む。アップリンク・タイミング情報３５６８はアップリンク・ドウェル・タイミング情報３５７０を含む。アップリンク・タイミング情報３５６８は基地局、及びネットワーク接続点として基地局を使用する無線端末によって使用されるアップリンク・タイミング構造を識別する情報を含む。アップリンク・タイミング情報３５６８は、例えば、使用されるドウェル構造を識別するアップリンク・ドウェル・タイミング情報３５７０を含む。アップリンク・トーン・ホッピングはドウェル境界上で発生し、従ってアップリンクＤＣトーンは異なる複数のドウェルに関して異なる複数の無線端末の間で変化することが可能である。周波数情報３５６４はアップリンク・トーン情報３５７２及びダウンリンク・トーン情報を含む。アップリンク・トーン情報３５７２は通過帯域のアップリンク・トーン（例えば、アップリンク・トーン・ブロックについて）、ベースバンドのアップリンク・トーン、アップリンクＤＣトーンに対応するトーンを識別する。アップリンク・トーン情報３５７２はまたトーン・ホッピング情報、例えば、セグメントの論理トーンを物理トーンに写像する情報を含む。
【０１８１】
現在のタイミングの情報３５７６は現在のタイミング、例えば、アップリンク・タイミング構造、例えば、繰返し的なアップリンク・タイミング構造中の現在のＯＦＤＭシンボル伝送時間周期、現在のハーフスロット等々、を識別する情報を含む。未処理の受信されたアップリンクＤＣトーン変調シンボル３５７８は、伝送される同じ無線端末がそのトーンを使用する、一定数（Ｎ個）の連続するＯＦＤＭシンボル伝送時間周期のドウェルに関連する一組の変調シンボルである一組の変調シンボル（ＸU1 ３５８０、・・・、ＸUN ３５８２）を含む。いくつかの実施例において、Ｎ＝７である。処理されたアップリンクＤＣトーン変調シンボル３５８４は未処理の集合３５７８に対応する一組の変調シンボル（ＸP1３５８６、・・・、ＸPN−1３５８８）を含み、その集合は未処理の集合中のそれから処理される集合における一つ少ないシンボルを含む。
【０１８２】
図３６は本発明に従って実施され、且つ本発明の方法を使用する例示的な無線端末３６００、例えば、移動体ノードの図である。例示的な無線端末３６００は、例えば、複数の無線端末と一以上の基地局、例えば、図３５の一以上の基地局３５００を含む、スペクトラム拡散多元接続無線ＯＦＤＭ通信システムにおける無線端末である。
【０１８３】
例示的な無線端末３６００は様々な要素がデータ及び情報をその上で交換するバス３６１２によって連結された受信器３６０２、送信器３６０４、プロセッサ３６０６、ユーザーＩ／Ｏデバイス３６０８、及びメモリ３６１０を含む。受信器３６０２は無線端末３６００がダウンリンク信号を基地局３６００から受信する受信アンテナ３６０３に連結される。ダウンリンク信号はアップリンク・トラヒック・チャネル・セグメント割当を含み、そしていくつかの割当られたセグメントはアップリンクＤＣトーンを使用するセグメントに対応する。受信器３６０２は受信ダウンリンク信号を復号化するための復号化器３６１４を含む。
【０１８４】
送信器３６０４は無線端末が、例えば、アップリンク・トラヒック・チャネル・セグメン信号を含む、アップリンク信号を基地局に送信する送信アンテナに連結される。いくつかの実施例において、同じアンテナが送信器３６０２と受信器３６０４のために使用される。送信器３６０４は符号化器３６１５、ＤＣトーンのための符号ワード・ビットの割付けモジュール３６１６、非ＤＣトーンのための符号ワード・ビットの割付けモジュール３６１８、ＤＣトーンのための第一の変調シンボル値生成モジュール３６２０、非ＤＣトーンのための変調シンボル値生成モジュール３６２２、ＤＣトーンのための第二の変調シンボル値生成モジュール３６２４、ベースバンド対通過帯域変換モジュール３６２６、及び通過帯域モジュール３６２８を含む。
【０１８５】
符号化器３６１５は情報ビット３６９０または情報ビットのフレームを符号ワード・ビット３６９１に符号化する。例えば、ユーザー・データを含む情報ビットはアップリンク・トラヒック・チャネル・セグメントまたはアップリンク・トラヒック・チャネル・セグメントの一部において通信するために符号化器３６１５によって符号化される。
【０１８６】
符号ワード・ビットの割付けモジュール３６１６はＤＣトーンを使用するＮ−１個のシンボル伝送時間周期の各々の間に伝送されるべき符号ワードの一部からＮ−１個の異なる符号語ビットの集合（３６６６、・・・、３６６７）を割り付ける。例えば、無線端末３６００は一部のアップリンク・トラヒック・チャネル・セグメントに対応する一のドウェルの間に使用する一組のＭ＋１個のトーンを割付けられていて、トーンの集合はＤＣトーンを含む。いくつかのそのような例において、符号ワードはアップリンク・トラヒック・チャネル・セグメントの間に伝達されるべきであり、そして符号ワードの一部は割付けられたトーンの集合を使用してドウェルの間に通信されるべきである。
【０１８７】
ＤＣトーンに関する第一の変調シンボル値生成モジュール３６２０は伝送されるべきＮ−１個のシンボル値（Ｘ1３６７２、・・・、ＸN−1３６７３）を生成し、Ｎ−１個のシンボル値（Ｘ1３６７２、・・・、ＸN−1３６７３）はＮ−１個の符号ワード・ビット集合（３６６６、・・・、３６６８）の対応する一つから生成される。ＤＣトーンに関する第二の変調シンボル生成モジュール３６２４は伝送されるべきＮ−１個のシンボル値（Ｘ1３６７２、・・・、ＸN−1３６７３）の関数として所定の方法で伝送されるようにＮ番目のシンボル値（ＸN３６７４）を生成する。いくつかの実施例において、Ｎ＝７である。いくつかの実施例において、生成されたシンボル値（Ｘ1３６７２,・・・、ＸN−1３６７３、ＸN３６７４）は合計がゼロになる。
【０１８８】
いくつかの実施例において、Ｎ番目の生成されたシンボルＸN３６７４はＤＣトーンを使用するＮ個のシンボル伝送時間周期の所定の一つ、例えば、該ドウェルにおける最後のＯＦＤＭシンボル伝送時間周期に伝送される。
【０１８９】
非ＤＣトーンのための符号ワード・ビットの割付けモジュール３６１８は、無線端末に割付けられた一組のトーンからのＭ個の非ＤＣトーンの各集合に関して、割付られたトーンの集合からの非ＤＣトーンを使用してＮ個のシンボル伝送時間周期の各々の間に伝送されるべき符号ワードの一部からＮ個の追加の異なる符号ワード・ビットの集合を割付ける。例えば、非ＤＣトーンのための符号ワード・ビットの割付けモジュール３６１８は割付られたトーンの集合における非ＤＣトーン１についてＮ個の追加の符号ワード集合（３６６８、・・・、３６６９）を割付け、そして非ＤＣトーンのための符号ワード・ビットの割付けモジュール３６１８は割付られたトーンの集合における非ＤＣトーンＭについてＮ個の追加の符号ワード集合（３６７０、・・・、３６７１）を割付ける。
【０１９０】
非ＤＣトーンのための変調シンボル値生成モジュール３６２２は、割付られたトーンの集合におけるM個の非ＤＣトーンの各々について、Ｎ個の追加の異なる符号ワード・ビットの集合の中の対応する一つからＮ個の追加のシンボル値を生成する。例えば、非ＤＣトーンのための変調シンボル値生成モジュール３６２２は対応する追加の符号ワード・ビットの集合（３６６８、・・・、３６６９）から Ｎ個の追加の変調シンボル値（Ａ1３６７５、・・・、ＡN３６７６）を生成し、そして非ＤＣトーンのための変調シンボル値生成モジュール３６２２は対応する追加の符号ワード・ビットの集合（３６７０、・・・、３６７１）からＮ個の追加の変調シンボル値（Ｂ1３６７７、・・・、ＢN３６７８）を生成する。
【０１９１】
モジュール３６２０、３６２２、及び３６２４からの出力はベースバンド信号、例えば、該ドウェルのための一連のＮ個のＯＦＤＭベースバンド・シンボルの形成に使用され、各々のＯＦＤＭベースバンド・シンボルはドウェルのための割当られたトーン、例えば、ＤＣトーン及びＭ非ＤＣトーンに対応する変調シンボル値を含む。
【０１９２】
通過帯域対ベースバンド変換モジュール３６２６はベースバンド信号を通過帯域信号に変換する、例えば、選択されたアップリンク・キャリアを使用してベースバンド信号を変調する。通過帯域モジュール３６２８、例えば、フィルタ及び電力増幅器段はアンテナ３６０５を介して生成された通過帯域信号を伝送する。
【０１９３】
送信器３６０４はＮ個のシンボル伝送時間周期の異なる一つの間、例えば、無線端末がＤＣトーンを割当てられたドウェルの間にＤＣトーンを使用してＮ−１個の変調シンボルの各々、及びＮ番目のシンボルを伝送するために作動される。送信器３６０４はまた、Ｍ個の非ＤＣトーンの各々について、Ｎ個のシンボル伝送時間周期の異なる一つの間に非ＤＣトーンを使用してＮ個の追加のシンボルの各々を伝送するために作動される。例えば、最初のドウェルのシンボル伝送時間周期の間、トーン集合の割当に対応して、送信器３６０４は変調シンボル値（Ｘ1３６７２、Ａ1３６７５、Ｂ1３６７７）に対応する信号を含む通過帯域ＯＦＤＭ信号を伝送する；ドウェルのＮ番目のシンボル伝送時間周期の間、トーン集合の割当に対応して、送信器３６０４は変調シンボル値（ＸN３６７４、ＡN３６７６、ＢN３６７８）に対応する通過帯域ＯＦＤＭ信号を伝送する。
【０１９４】
いくつかの実施例において、ＤＣトーンは一つの割付け期間、例えば、ドウェルから次へと異なる複数の無線端末によって使用される。例えば、ＷＴ３６００は最初の割付け期間のためにＤＣトーンを使用するように指定され、そして、例えば、アップリンク・タイミング／周波数構造において使用されるセグメント割当及び／またはホッピングの機能として、最初の割付け期間の直後の次の割当期間のためにＤＣトーンを使用しないように指定される。或るトーン割付け期間、例えば、或るドウェルに関するアップリンク・シグナリングのために、ＤＣトーン及び追加のトーンがＷＴ３６００に割付けられれば、モジュール（３６１６、３６１８、３６２０、３６２２、及び３６２４）が使用され、一方、或るトーン割付け期間に関するアップリンク・シグナリングのために、非ＤＣトーンだけがＷＴ３６００に割付けられれば、モジュール（３６１６、３６２０、及び３６２４）が使用さないときモジュール（３６１８及び３６２２）が使用される。
【０１９５】
ユーザーＩ／Ｏデバイス３６０８は、例えば、マイクロホン、スピーカー、ディスプレイ、カメラ、キーボード、キーパッド、スイッチ、等々を含む。ユーザーＩ／Ｏデバイス３６０８によってＷＴ ３６００のユーザーはデータを入力すること、データを出力すること、及び制御動作を実行すること、例えば、通信セッションを開始することが可能となる。
【０１９６】
メモリ３６１０はルーチン３６３０及びデータ／情報３６３２を含む。プロセッサ３６０６、例えば、ＣＰＵは基地局３６００の動作を制御し、そして本発明の方法を実施するためにルーチン３６３０を実行し、そしてメモリ３６１０のデータ／情報３６３２を使用する。
【０１９７】
ルーチン３６３０は通信ルーチン３５３４及び無線端末制御ルーチン３６３６を含む。通信ルーチン３６３４は様々な通信動作を行い、そして無線端末によって使用される様々な通信プロトコルを実施する。無線端末制御ルーチン３６３６は受信器制御モジュール３６３８、送信器制御モジュール３６４０、及びＩ／Ｏデバイス制御モジュール３６４２を含む。受信器制御モジュール３６３８は受信器３６０２の動作を制御する；一方、送信器制御モジュール３６４０は送信器３６０４の動作を制御する。Ｉ／Ｏデバイス制御モジュール３６４２はユーザーＩ／Ｏデバイス３６０８の動作を制御する。
【０１９８】
データ／情報３６３２はユーザー・データ３６４４、無線端末識別情報３６４５、デバイス／セッション／資源情報３６４７、現在のタイミングの情報３６４８、及びシステム・データ／情報３６４９、割付られたトーンの集合の識別情報３６５０、アップリンクＤＣトーン識別子３６５１、情報ビット３６９０、符号ワード・ビット３６９１、アップリンクＤＣトーン変調シンボル３６５３、アップリンク非ＤＣトーン１変調シンボル３６５４、・・・、アップリンク非ＤＣトーンＭ変調シンボル３６５５を含む。
【０１９９】
ユーザー・データ３６４４は、例えば、ＷＴ ３６００とピア・ノードとの間で通信されるデータ／情報に関する音声、オーディオ、ビデオ、テキスト、ファイル、等々を表す情報を含む。ＷＴ ＩＤ情報３６４５は基地局が割当てた無線端末の識別子、例えば、稼働中のユーザーの識別子を含む。基地局識別情報３６４６はＷＴ ３６００によって現在使用されているネットワーク接続点を、例えば、セル、セクタ及び／または関連するキャリア周波数に関して、識別する情報を含む。デバイス／セッション／資源情報３３４７はＷＴ ３６００に関連する情報、ＷＴ ３６００との通信セッションにおいてピア・ノードと関連する情報、セッション情報、アドレス情報、経路制御情報、及び無線リンク資源情報、例えば、ＷＴ ３６００に割当てられたアップリンク及びダウンリンクセグメントを含む。現在のタイミングの情報３６４８は、例えば、基地局のネットワーク接続点によって使用される反復タイミング構造中のインデックス付きＯＦＤＭシンボル時間伝送時間周期に関して、現在の時間を識別する情報を含む。
【０２００】
システム・データ／情報３６４９はタイミング情報３６５６、周波数情報３６５７、アップリンク・セグメント構造情報３６５８、及びアップリンク・トーンへのアップリンク・セグメント写像情報３６５９を含む。ＷＴ ３６００は、様々な実施例において、複数のシステム・データ／情報集合を含み、それぞれの集合は異なる基地局及び／または基地局のネットワーク接続点に対応する。タイミング情報はダウンリンクタイミング構造情報及びアップリンクタイミング構造情報３６６０を含む。アップリンク・タイミング構造情報３６６０は、例えば、ドウェルにおける連続するＯＦＤＭシンボル伝送時間周期の数、例えば、７を識別し、アップリンク・タイミング構造においてインデックス付きドウェルを持つインデックス付きＯＦＤＭシンボル伝送時間区間を識別するアップリンク・ドウェル・タイミング情報３６６１を含む。
【０２０１】
周波数情報３６５７はアップリンク・キャリア周波数といったアップリンク及びダウンリンクの周波数情報、アップリンク・トーン・ブロック情報、アップリンク・トーン・ブロックにおけるトーン数、例えば、１１３、アップリンク・トーン・ホッピング系列情報、ダウンリンク・キャリア周波数、ダウンリンク・トーン・ブロックにおけるトーン数、ダウンリンク・トーン・ホッピング系列情報、等々を含む。周波数情報３６５７はアップリンクＤＣトーン情報３６６２を含むアップリンク・トーン情報３６５８（二重使用！）を含む。アップリンクＤＣトーン情報３６６２はアップリンクトーン・ブロックにおけるＤＣトーンを識別する情報を含む。アップリンク・セグメント構造情報３６５８はアップリンク・トラヒック・チャネル・セグメントを含むアップリンク・セグメントを識別する情報を含む。異なる時間に、異なるアップリンクセグメントが、例えば、アップリンク・セグメント構造及びアップリンク・トーン・ホッピングの関数として、ＤＣトーンと関係付けられる。アップリンク・トーンへのアップリンク・セグメント写像情報３６５９は割当てられたセグメント、例えば、割当てられたアップリンク・トラヒック・チャネル・セグメントをセグメント内の別のドウェルに対応する一組のトーンまたは多数のトーン集合に写像するために使用される情報を含む。割付けられたトーン集合はアップリンクＤＣトーンを含み、或いは含まないこともある。
【０２０２】
割付られたトーンの集合の識別情報３６５０はＷＴ ３６００に割付けられたトーンの集合、例えば、アップリンク・トラヒック・チャネル・セグメントの一部に対応するＷＴ ３６００にドウェルのために割付けられたトーンの集合を識別する情報を含む。アップリンクＤＣトーン識別子３６５１、例えば、１ビット・フラグは割付けられたトーン集合３６５０がアップリンクＤＣトーンを含むかどうかを識別する情報を含む。モジュール３６１６、３６２０及び３６２４は、ＤＣトーンが割付られたトーンの集合に含まれることを所与のドウェルに関するアップリンクＤＣトーン識別子３６５１が示すとき、使用される。
【０２０３】
情報ビット３６９０は符号化器３６１５への入力である。符号ワード・ビット３６９１、符号化器３６１５の出力は割付けられた符号ワード・ビット３６５２に含まれる割付られた集合にモジュール（３６１６、３６１８）によって割当てられる。ＤＣトーン・ビット３６６３はＤＣトーンのための符号ワード・ビットの割付けモジュール３６１６によって割付けられたＮ−１個の集合（集合１ ３６６６、・・・、集合Ｎ−１ ３６６７）を含む。非ＤＣトーン・ビット３６６４は非ＤＣトーン１に関する非ＤＣトーンのための符号ワード・ビットの割当けモジュール３６１８によって割付けられたＮ個の集合（集合１ ３６６８、・・・、集合Ｎ ３６６９）を含む。非ＤＣトーン・ビット３６６４は非ＤＣトーンMに関する非ＤＣトーンのための符号ワード・ビットの割当けモジュール３６１８によって割付けられたＮ個の集合（集合１ ３６７０、・・・、集合Ｎ ３６７１）を含む。
【０２０４】
アップリンクＤＣトーン変調シンボル３６５３は、ドウェルに対応して、ＤＣトーンのための第一変調シンボル値生成モジュール３６２０から出力される変調シンボル値（Ｘ1３６７２、・・・、ＸN−1３６７８）及びＤＣトーンのための第二変調シンボル値生成モジュール３６２４から出力される変調シンボル値ＸNを含む。
【０２０５】
アップリンク非ＤＣトーン１変調シンボル３６５４は、ドウェルに対応して、非ＤＣトーンのための変調シンボル値生成モジュール３６２２から出力される変調シンボル値（Ａ1３６７５、・・・、ＡN３６７６）を含む。アップリンク非ＤＣトーンＭ変調シンボル３６５５は、ドウェルに対応して、非ＤＣトーンのための変調シンボル値生成モジュール３６２２から出力される変調シンボル値（Ｂ1３６７７、・・・、ＢN３６７８）を含む。
【０２０６】
ＯＦＤＭシステムの文脈で述べてきたが、本発明の方法及び装置は多くの非ＯＦＤＭ及び／また非セルラー・システム、例えば、他の周波数分割多重化システムを含む広範囲の通信システムに適用できる。
【０２０７】
様々な実施例において、ここに述べたノードは本発明の一以上の方法に対応するステップを実行する、例えば、ドウェルにおける他のＤＣトーン変調シンボルの関数として特別なアップリンクＤＣトーン変調シンボルを生成する、ドウェルに対応するアップリンクＤＣトーン変調シンボルの受信された集合を処理する、ダウンリンクタイミング系列における所定の時間にダウンリンク ＤＣトーン上のシグナリングを一時停止する、またはダウンリンク・トーンが伝送されないときに計測に基づいて受信器のＤＣトーン自己干渉特性を推定するために、一以上のモジュールを使用して実施される。いくつかの実施例において、本発明の様々な特徴はモジュールを使用して実施される。そのようなモジュールはソフトウェア、ハードウェアまたはソフトウェアとハードウェアの組合せ用いて実施される。上に述べた多くの方法または方法ステップはマシン、例えば、追加のハードウェアを伴う、または伴わないの一般用途コンピュータを制御するため、例えば、一以上のノードにおいて上に述べた方法の全てまたは一部を実施するために、メモリ・デバイス、例えば、ＲＡＭ、フロッピー（登録商標）ディスク等といったマシン可読媒体に含まれるソフトウェアのようなマシン実行可能命令を使用して実施される。従って 、とりわけ、本発明はマシン、例えば、プロセッサ及び関連するハードウェアが上に述べた方法の一以上のステップを実行することができるマシン実行可能な命令を含むマシン可読媒体に指示される。
【０２０８】
上で示された本発明の方法及び装置に関する多数のさらなる変形は発明の上記の記述を考慮して当業者には明白であろう。そのような変形は本発明の範囲内で考察される。本発明の方法及び装置は、様々な実施例において、直交周波数分割多重化（ＯＦＤＭ）、及び／または様々な他形式の通信技術、例えば、他の周波数分割多重化技術と共に使用され、それは本発明に関連して、アップリンク、及び／またはＤＣトーンの処理が有益であるアクセス・ノード及び携帯電話ノード間の無線通信回線を提供するために使用される。いくつかの実施例において、アクセス・ノードはＯＦＤＭ、ＦＤＭ及び／またはＣＤＭＡを使用して携帯電話ノードとの通信回線を確立する基地局として実施される。様々な実施例において、携帯電話ノードは本発明の方法を実行するためにノート型パソコン、個人情報端末（ＰＤＡ）、または、受信器／送信器回路及び論理及び／またはルーチンを含む他の携帯デバイスとして実施される。
【図面の簡単な説明】
【０２０９】
【図１】本発明に従って実施され、本発明の方法を使用する例示的な通信システムの図である。
【図２】本発明に従って実施され、本発明の方法を使用する例示的な基地局の図である。
【図３】本発明に従って実施され、本発明の方法を使用する例示的な無線端末の図である。
【図４】本発明に従ってＤＣトーン上のシグナリングの時々起こる一時停止を図解する例示的なＯＦＤＭダウンリンクの時間周波数格子を図解する図である。
【図５】本発明に従ってＤＣトーンの特別な処理を図解するドウェルのための例示的なＯＦＤＭアップリンクの時間周波数格子を図解する図である。
【図６】本発明に従ってドウェル中のアップリンクＤＣトーンによって搬送される変調シンボル間の例示的な関係を図解する図である。
【図７】本発明に従ってアップリンクＤＣトーンが別のドウェルのために別のユーザーに割当てられることを図解する図である。
【図８】本発明に従ってダウンリンクＤＣトーンの処理を行うために基地局を動作させる例示的な方法のフローチャートである。
【図９】本発明に従ってアップリンクＤＣトーンの処理を行うために基地局を動作させる例示的な方法のフローチャートである。
【図１０】本発明に従ってダウンリンクＤＣトーンの処理を行うために無線端末を動作させる例示的な方法のフローチャートである。
【図１１】本発明に従ってアップリンクＤＣトーンの処理を行うために無線端末を動作させる例示的な方法のフローチャートである。
【図１２】ＲＦにおけるダウンリンク・トーンの例示的な集合、及びベースバンドにおけるダウンリンク・トーンの対応する集合を図解する図である。
【図１３】ベースバンドにおけるアップリンク・トーンの例示的な集合、及びＲＦにおけるアップリンク・トーンの対応する集合を図解する図である。
【図１４】アップリンクトーン割当構造が一定数の連続するシンボル時間区間のドウェルのために一つの無線端末へのトーン割当として実施されないが、むしろ一の所与のトーンが異なる無線端末間で交互に織り混ぜられる方法で割当てられる本発明の例示的な実施例を図解する図である。
【図１４Ａ】アップリンク・トーン、例えば、アップリンクＤＣトーンが一定数の連続するシンボル時間区間のドウェルのために一つの無線端末に割当てられるようにアップリンク・トーンの割当構造が実施される本発明の例示的な実施例を図解する図である。
【図１５】本発明に従ってアップリンクＤＣトーンの特別な処理を利用する本発明の例示的な実施例の特徴を図解する。
【図１６】本発明に従ってアップリンクＤＣトーンの特別な処理を利用する本発明の例示的な実施例の特徴を図解する。
【図１７】本発明に従って例示的なアップリンクＤＣトーン信号及び例示的な雑音成分の計算を図解する図である。
【図１８】本発明に従って周波数分割多重システムにおいてダウンリンクＤＣトーンの特別な処理を含む基地局を動作させる例示的な方法のフローチャートである。
【図１９】周波数分割多重システムにおいて本発明に従ってダウンリンクＤＣトーンの特別な処理を含む無線端末を動作させる例示的な方法のフローチャートである。
【図２０】データを基地局に伝送するために本発明に従ってアップリンクＤＣトーンの特別な処理を含む無線端末を動作させる例示的な方法のフローチャートである。
【図２１】本発明に従ってアップリンク・ベースバンドＤＣトーンに対応するアップリンク通過帯域トーン上で、同じ無線端末からＮ個のシンボル値の系列を受信するために基地局を動作させる例示的な方法のフローチャートである。
【図２２】少なくとも１つのトーン割当時間周期を含む時間周期にわたって符号語の少なくとも一部を伝送するために本発明に従って無線端末を動作させる例示的な方法のフローチャートであり、 前記トーン割当時間周期はＮ個のシンボル伝送時間周期を含み、前記無線端末は前記トーン割当時間周期における前記Ｎ個のシンボル伝送時間周期に使用するために同じトーン集合を割当てられ、前記トーン集合は少なくとも一つのＤＣトーンを含む。
【図２３】本発明に従ってＤＣトーン上のシグナリングの一時停止の別の例を例示する例示的なＯＦＤＭダウンリンクの時間周波数格子を図解する図である。
【図２４】本発明に従って例示的なアップリンクＤＣトーン信号、及び例示的な雑音成分の計算の別の集合を図解する図である。
【図２５】本発明に従って実施される例示的な基地局及び例示的な無線端末を図解する図である。
【図２６】多数のトーン・ブロック、及びトーンの対応する通過帯域集合を使用する例示的な基地局のセクタ送信器のためのベースバンド中の例示的なダウンリンク・トーン集合を図解する図である。
【図２７】例示的なＷＴ１受信器のための通過帯域中のトーン・ブロックのダウンリンク・トーンの集合、及びトーンの対応するベースバンド集合を含む図を含む。
【図２８】例示的なＷＴ２受信器のための通過帯域中のトーン・ブロックのダウンリンク・トーンの集合、及びトーンの対応するベースバンド集合を含む図を含む。
【図２９】例示的なＷＴ３受信器のための通過帯域中のトーン・ブロックのダウンリンク・トーンの集合、及びトーンの対応するベースバンド集合を含む図を含む。
【図３０】本発明に従ってトーン・ブロックを復元している無線端末の受信器においてＤＣトーンに対応するダウンリンク・トーン上での基地局のセクタ送信器のシグナリングの一時停止の例を図解する例示的なＯＦＤＭダウンリンクの時間周波数格子を図解する図である。
【図３１】本発明に従ってトーン・ブロックを復元する無線端末の受信器においてＤＣトーンに対応するダウンリンク・トーン上での基地局のセクタ送信器のシグナリングの一時停止の別の例を図解する例示的なＯＦＤＭダウンリンクの時間周波数格子を例示する図である。
【図３２】本発明に従って実施され、且つ本発明の方法を使用する例示的な基地局の図である。
【図３３】本発明に従って実施され、且つ本発明の方法を使用する例示的な基地局の図である。
【図３４】本発明に従って実施され、且つ本発明の方法を使用する例示的な無線端末、例えば、携帯電話ノードの図である。
【図３５】本発明に従って実施され、且つ本発明の方法を使用する例示的な基地局の図である。
【図３６】本発明に従って実施され、且つ本発明の方法を使用する例示的な無線端末、例えば、携帯電話ノードの図である。
【図１】
2009500966.tif 000006
【図２】
2009500966.tif 000007
【図３】
2009500966.tif 000008
【図４】
2009500966.tif 000009
【図５】
2009500966.tif 000010
【図６】
2009500966.tif 000011
【図７】
2009500966.tif 000012
【図８】
2009500966.tif 000013
【図９】
2009500966.tif 000014
【図１０】
2009500966.tif 000015
【図１１】
2009500966.tif 000016
【図１２】
2009500966.tif 000017
【図１３】
2009500966.tif 000018
【図１４】
2009500966.tif 000019
【図１４Ａ】
2009500966.tif 000020
【図１５】
2009500966.tif 000021
【図１６】
2009500966.tif 000022
【図１７】
2009500966.tif 000023
【図１８】
2009500966.tif 000024
【図１９】
2009500966.tif 000025
【図２０】
2009500966.tif 000026
【図２１】
2009500966.tif 000027
【図２２】
2009500966.tif 000028
【図２３】
2009500966.tif 000029
【図２４】
2009500966.tif 000030
【図２５】
2009500966.tif 000031
【図２６】
2009500966.tif 000032
【図２７】
2009500966.tif 000033
【図２８】
2009500966.tif 000034
【図２９】
2009500966.tif 000035
【図３０】
2009500966.tif 000036
【図３１】
2009500966.tif 000037
【図３２】
2009500966.tif 000038
【図３３】
2009500966.tif 000039
【図３４】
2009500966.tif 000040
【図３５】
2009500966.tif 000041
【図３６】
2009500966.tif 000042
【国際調査報告】
2009500966.tif 000043
2009500966.tif 000044
2009500966.tif 000045